(57)【要約】      （修正有）【課題】コンテンツプロバイダによってモバイルデバイスに送信されたコンテンツをフィルタリングすることを容易にするシステム、方法、及びデバイスを提供する。【解決手段】コンテンツプロバイダは、コンテンツのためのコンテンツレーティングを決定することができ、及び／又はコアネットワーク及び／又はモバイルデバイスは、予め定義されたコンテンツレーティング基準に少なくとも部分的に基づいて、コンテンツレーティングを決定又は推測することができる。モバイルデバイスユーザは、モバイルデバイスのための希望されるレーティング優先度を指定することができる。コアネットワーク及び／又はモバイルデバイスと各々関連づけられたフィルタは、コンテンツのコンテンツレーティング及び送信されているコンテンツの送信先であるモバイルデバイスのコンテンツレーティング優先度に少なくとも部分的に基づいてコンテンツをフィルタリングすることができる。【選択図】図２
2014112363.tif 000002
【特許請求の範囲】
【請求項１】
モバイルデバイスと関連づけられた通信を容易にする方法であって、
前記モバイルデバイスと関連づけられた制御レーティング優先度を設定することと、
少なくとも１つのコンテンツを備える少なくとも１つのメッセージを少なくとも１つのコンテンツプロバイダから受信すること、とを備え、前記少なくとも1つのメッセージは、前記少なくとも1つのコンテンツと関連づけられた少なくとも１つのコンテンツレーティングを備え、前記少なくとも1つのコンテンツは、前記制御レーティング優先度及び前記少なくとも1つのコンテンツレーティングに少なくとも部分的に基づいてフィルタリングされる、モバイルデバイスと関連づけられた通信を容易にする方法。
【請求項２】
前記少なくとも1つのコンテンツレーティングは、予め定義されたコンテンツレーティング基準に少なくとも部分的に基づいて決定される請求項１に記載の方法。
【請求項３】
前記予め定義されたコンテンツレーティング基準は、コンテンツ内の言葉の性質、オーディオコンテンツの性質、又はビジュアルコンテンツの性質のうちの少なくとも１つに関連し、成人向け度がより高いコンテンツは、前記予め定義されたコンテンツレーティング基準に少なくとも部分的に基づいて成人向け度がより低いコンテンツよりも高いコンテンツレーティングが与えられる請求項２に記載の方法。
【請求項４】
制御レーティング優先度メニューにおける前記制御レーティング優先度に関連するセキュリティコードを受信することと、
制御レーティング優先度パラメータにアクセスすることと、
予め定義された制御レーティング基準に少なくとも部分的に基づいて前記制御レーティング優先度を設定すること、とをさらに備える請求項１に記載の方法。
【請求項５】
セキュリティが確保されたコンテンツフォルダに関連するセキュリティコードを受信することと、
前記受信されたセキュリティコードが有効である場合に前記セキュリティが確保されたコンテンツフォルダにアクセスすることと、
前記セキュリティが確保されたコンテンツフォルダから少なくとも１つのその他のコンテンツを受信すること、とをさらに備え、前記少なくとも１つのその他のコンテンツは、前記コンテンツレーティング優先度及び前記少なくとも１つのその他のコンテンツと関連づけられた少なくとも1つのその他のコンテンツレーティングに少なくとも部分的に基づいてフィルタリングされて排除され、前記セキュリティが確保されたコンテンツフォルダに格納され、前記少なくとも1つのその他のコンテンツ及び前記少なくとも1つのその他のコンテンツレーティングは、少なくとも１つのその他のメッセージ内に含められる請求項１に記載の方法。
【請求項６】
前記少なくとも1つのコンテンツと前記少なくとも1つのコンテンツレーティングとを備える前記少なくとも1つのメッセージをコアネットワークを介して前記少なくとも1つのコンテンツプロバイダから受信することと、
前記コンテンツレーティング優先度及び前記少なくとも1つのコンテンツレーティングに少なくとも部分的に基づいて前記少なくとも1つのコンテンツをフィルタリングすること、とをさらに備える請求項１に記載の方法。
【請求項７】
前記少なくとも1つのコンテンツをフィルタリングすることは、
前記少なくとも1つのコンテンツを評価することと、
前記少なくとも1つのコンテンツレーティングが前記コンテンツレーティング優先度の値よりも高い値を有する場合に前記少なくとも1つのコンテンツをフィルタリングして排除すること、又は
前記少なくとも1つのコンテンツレーティングが前記コンテンツレーティング優先度の前記値と同じであるか又はより低い値を有する場合に前記少なくとも1つのコンテンツを提示することのうちの少なくとも１つと、をさらに備える請求項６に記載の方法。
【請求項８】
前記制御レーティング優先度と前記モバイルデバイスと関連づけられた前記制御レーティング優先度を設定することに関連するコマンドとを備えるメッセージをコアネットワークに送信することをさらに備え、前記メッセージは、修正されたショートメッセージサービス（ＳＭＳ）メッセージであり、前記制御レーティング優先度は、追加のショートメッセージサービス（ＳＭＳ）レーティング優先度パラメータ又は追加の拡張メッセージングサービス（ＥＭＳ）レーティング優先度ヘッダのうちの少なくとも１つに含められ、前記制御レーティング優先度は、最高レベルのコンテンツフィルタリングからコンテンツのフィルタリングなしまでの範囲内の値である請求項１に記載の方法。
【請求項９】
前記制御レーティング優先度に関連する問い合わせとコマンドとを備えるメッセージをコアネットワークに送信することであって、前記メッセージは、修正されたショートメッセージサービス（ＳＭＳ）メッセージであり、前記問い合わせは、追加のショートメッセージサービス（ＳＭＳ）問い合わせパラメータ又は追加の拡張メッセージングサービス（ＥＭＳ）問い合わせヘッダのうちの少なくとも１つに含められることと、
前記問い合わせに少なくとも部分的に基づいて前記制御レーティング優先度の現在値に関して前記コアネットワークに問い合わせることと、
前記問い合わせに応答して前記制御レーティング優先度の前記現在値を受信すること、とをさらに備える請求項１に記載の方法。
【請求項１０】
前記少なくとも１つのメッセージは、コアネットワークを介して前記少なくとも１つのコンテンツプロバイダから受信され、前記少なくとも１つのメッセージは、追加のショートメッセージサービス（ＳＭＳ）レーティングパラメータ、追加の拡張メッセージングサービス（ＥＭＳ）レーティングヘッダ、又は前記少なくとも１つのメッセージの本体内のレーティングフィールドのうちの少なくとも１つに含められる前記少なくとも１つのコンテンツレーティングを備える修正されたショートメッセージサービス（ＳＭＳ）メッセージであり、前記レーティングフィールドは、１つ以上のキーワードによって特定される請求項１に記載の方法。
【請求項１１】
少なくとも１つのレーティングされていないコンテンツを備える少なくとも１つのその他のメッセージを少なくとも１つのその他のコンテンツプロバイダから受信することと、
前記少なくとも１つのレーティングされていないコンテンツを評価することと、
前記少なくとも１つのレーティングされていないコンテンツのコンテンツレーティングを決定することと、
前記決定されたコンテンツレーティングが前記コンテンツレーティング優先度の値よりも高い値を有する場合に前記少なくとも１つのレーティングされていないコンテンツをフィルタリングして排除すること、又は
前記決定されたコンテンツレーティングが前記コンテンツレーティング優先度の前記値と同じであるか又はより低い値を有する場合に前記少なくとも１つのレーティングされていないコンテンツを提示することのうちの少なくとも１つと、をさらに備える請求項１に記載の方法。
【請求項１２】
少なくとも１つのレーティングされていないコンテンツを備える少なくとも１つのその他のメッセージを少なくとも１つのその他のコンテンツプロバイダから受信することと、
前記モバイルデバイスと関連づけられた少なくとも１つの連絡先リストを再検討することと、
前記少なくともその他のコンテンツプロバイダが前記少なくとも１つの連絡先リストに含まれていない場合に前記少なくとも１つのレーティングされていないコンテンツをフィルタリングして排除すること、又は
前記少なくとも１つのその他のコンテンツプロバイダが前記少なくとも１つの連絡先リストに含まれている場合に前記少なくとも１つのレーティングされていないコンテンツを提示することのうちの少なくとも１つと、をさらに備える請求項１に記載の方法。
【請求項１３】
無線通信装置であって、
モバイルデバイスと関連づけられた制御レーティング優先度の確立、及び少なくとも１つのコンテンツプロバイダからの少なくとも１つのコンテンツを備える少なくとも１つのメッセージの受信に関連する命令を保持するメモリと、
前記メモリ内に保持される前記命令を実行するように構成された、前記メモリに結合されたプロセッサと、を備え、前記少なくとも１つのメッセージは、前記少なくとも１つのコンテンツと関連づけられた少なくとも１つのコンテンツレーティングを備え、前記少なくとも１つのコンテンツは、前記制御レーティング優先度及び前記少なくとも１つのコンテンツレーティングに少なくとも部分的に基づいてフィルタリングされる、無線通信装置。
【請求項１４】
前記少なくとも１つのコンテンツレーティングは、予め定義されたコンテンツレーティング基準に少なくとも部分的に基づいて決定され、前記予め定義されたコンテンツレーティング基準は、コンテンツ内の言葉の性質、オーディオコンテンツの性質、又はビジュアルコンテンツの性質のうちの少なくとも１つに関連し、成人向け度がより高いコンテンツは、前記予め定義されたコンテンツレーティング基準に少なくとも部分的に基づいて成人向け度がより低いコンテンツよりも高いコンテンツレーティングが与えられる請求項１３に記載の無線通信装置。
【請求項１５】
前記メモリは、
制御レーティング優先度メニューにおける前記制御レーティング優先度に関連するセキュリティコードの受信、
制御レーティング優先度パラメータへのアクセス、及び
予め定義された制御レーティング基準に少なくとも部分的に基づく前記制御レーティング優先度の確立に関連する命令を保持する請求項１３に記載の無線通信装置。
【請求項１６】
前記メモリは、
セキュリティが確保されたコンテンツフォルダに関連するセキュリティコードの受信、
前記受信されたセキュリティコードが有効である場合における前記セキュリティが確保されたコンテンツフォルダへのアクセス、及び
前記セキュリティが確保されたコンテンツフォルダからの少なくとも１つのその他のコンテンツの受信に関連する命令をさらに保持し、前記少なくとも１つのその他のコンテンツは、前記コンテンツレーティング優先度及び前記少なくとも１つのその他のコンテンツと関連づけられた少なくとも1つのその他のコンテンツレーティングに少なくとも部分的に基づいてフィルタリングされて排除され、前記セキュリティが確保されたコンテンツフォルダに格納され、前記少なくとも1つのその他のコンテンツ及び前記少なくとも1つのその他のコンテンツレーティングは、少なくとも１つのその他のメッセージ内に含められる請求項１３に記載の無線通信装置。
【請求項１７】
前記メモリは、
前記少なくとも1つのコンテンツプロバイダからの前記少なくとも1つのコンテンツと前記少なくとも1つのコンテンツレーティングとを備える前記少なくとも1つのメッセージの受信、及び
前記コンテンツレーティング優先度及び前記少なくとも1つのコンテンツレーティングに少なくとも部分的に基づく前記少なくとも1つのコンテンツのフィルタリングに関連する命令をさらに保持する請求項１３に記載の無線通信装置。
【請求項１８】
モバイルデバイスと関連づけられた通信を容易にする無線通信装置であって、
前記モバイルデバイスと関連づけられた制御レーティング優先度を設定するための手段と、
少なくとも１つのコンテンツを備える少なくとも１つのメッセージを少なくとも１つのコンテンツプロバイダから受信するための手段と、を備え、前記少なくとも１つのメッセージは、前記少なくとも１つのコンテンツと関連づけられた少なくとも１つのコンテンツレーティングを備え、前記少なくとも１つのコンテンツは、前記制御レーティング優先度及び前記少なくとも１つのコンテンツレーティングに少なくとも部分的に基づいてフィルタリングされる、モバイルデバイスと関連づけられた通信を容易にする無線通信装置。
【請求項１９】
前記少なくとも１つのコンテンツレーティングは、予め定義されたコンテンツレーティング基準に少なくとも部分的に基づいて決定され、前記予め定義されたコンテンツレーティング基準は、コンテンツ内の言葉の性質、オーディオコンテンツの性質、又はビジュアルコンテンツの性質のうちの少なくとも１つに関連し、成人向け度がより高いコンテンツは、前記予め定義されたコンテンツレーティング基準に少なくとも部分的に基づいて成人向け度がより低いコンテンツよりも高いコンテンツレーティングが与えられる請求項１８に記載の無線通信装置。
【請求項２０】
制御レーティング優先度メニューにおける前記制御レーティング優先度に関連するセキュリティコードを受信するための手段と、
制御レーティング優先度パラメータにアクセスするための手段と、
予め定義された制御レーティング基準に少なくとも部分的に基づいて前記制御レーティング優先度を設定するための手段と、をさらに備える請求項１８に記載の無線通信装置。
【請求項２１】
コンピュータプログラム製品であって、
モバイルデバイスと関連づけられた制御レーティング優先度を設定することを少なくとも１つのコンピュータに行わせるための符号と、
少なくとも１つのコンテンツを備える少なくとも１つのメッセージを少なくとも１つのコンテンツプロバイダから受信することを少なくとも１つのコンピュータに行わせるための符号と、を備えるコンピュータによって読み取り可能な媒体を備え、前記少なくとも1つのメッセージは、前記少なくとも1つのコンテンツと関連づけられた少なくとも１つのコンテンツレーティングを備え、前記少なくとも1つのコンテンツは、前記制御レーティング優先度及び前記少なくとも1つのコンテンツレーティングに少なくとも部分的に基づいてフィルタリングされる、コンピュータプログラム製品。
【請求項２２】
制御レーティング優先度メニューにおける前記制御レーティング優先度に関連するセキュリティコードを受信することを少なくとも１つのコンピュータに行わせるための符号と、
制御レーティング優先度パラメータにアクセスすることを少なくとも１つのコンピュータに行わせるための符号と、
予め定義された制御レーティング基準に少なくとも部分的に基づいて前記制御レーティング優先度を設定することを少なくとも１つのコンピュータに行わせるための符号と、を備えるコンピュータによって読み取り可能な媒体、をさらに備える請求項２１に記載のコンピュータプログラム製品。
【請求項２３】
セキュリティが確保されたコンテンツフォルダに関連するセキュリティコードを受信することを少なくとも１つのコンピュータに行わせるための符号と、
前記受信されたセキュリティコードが有効である場合に前記セキュリティが確保されたコンテンツフォルダにアクセスすることを少なくとも１つのコンピュータに行わせるための符号と、
前記セキュリティが確保されたコンテンツフォルダから少なくとも１つのその他のコンテンツを受信することを少なくとも１つのコンピュータに行わせるための符号と、を備えるコンピュータによって読み取り可能な媒体をさらに備え、前記少なくとも１つのその他のコンテンツは、前記コンテンツレーティング優先度及び前記少なくとも１つのその他のコンテンツと関連づけられた少なくとも1つのその他のコンテンツレーティングに少なくとも部分的に基づいてフィルタリングされて排除され、前記セキュリティが確保されたコンテンツフォルダに格納され、前記少なくとも1つのその他のコンテンツ及び前記少なくとも1つのその他のコンテンツレーティングは、少なくとも１つのその他のメッセージ内に含められる請求項２１に記載のコンピュータプログラム製品。
【請求項２４】
前記少なくとも1つのコンテンツと前記少なくとも1つのコンテンツレーティングとを備える前記少なくとも1つのメッセージを前記少なくとも1つのコンテンツプロバイダから受信することを少なくとも１つのコンピュータに行わせるための符号と、
前記少なくとも１つのコンテンツを評価することを少なくとも１つのコンピュータに行わせるための符号と、
前記少なくとも1つのコンテンツレーティングが前記コンテンツレーティング優先度の値よりも高い値を有する場合に前記少なくとも1つのコンテンツをフィルタリングして排除すること、又は
前記少なくとも1つのコンテンツレーティングが前記コンテンツレーティング優先度の前記値と同じであるか又はより低い値を有する場合に前記少なくとも1つのコンテンツを提示することのうちの少なくとも１つを行うことを少なくとも１つのコンピュータに行わせるための符号と、を備えるコンピュータによって読み取り可能な媒体、をさらに備える請求項２１に記載のコンピュータプログラム製品。
【請求項２５】
前記少なくとも１つのコンテンツレーティングは、予め定義されたコンテンツレーティング基準に少なくとも部分的に基づいて決定され、前記予め定義されたコンテンツレーティング基準は、コンテンツ内の言葉の性質、オーディオコンテンツの性質、又はビジュアルコンテンツの性質のうちの少なくとも１つにさらに関連し、成人向け度がより高いコンテンツは、前記予め定義されたコンテンツレーティング基準に少なくとも部分的に基づいて成人向け度がより低いコンテンツよりも高いコンテンツレーティングが与えられる請求項２１に記載のコンピュータプログラム製品。
【請求項２６】
無線通信システムにおいて、
モバイルデバイスと関連づけられた制御レーティング優先度を確立し、及び
少なくとも１つのコンテンツを備える少なくとも１つのメッセージを少なくとも１つのコンテンツプロバイダから受信するように構成されたプロセッサを備え、前記少なくとも１つのメッセージは、前記少なくとも１つのコンテンツと関連づけられた少なくとも１つのコンテンツレーティングを備え、前記少なくとも１つのコンテンツは、前記制御レーティング優先度及び前記少なくとも１つのコンテンツレーティングに少なくとも部分的に基づいてフィルタリングされる、装置。
【請求項２７】
前記プロセッサは、
制御レーティング優先度メニューにおける前記制御レーティング優先度に関連するセキュリティコードを受信し、
制御レーティング優先度パラメータにアクセスし、及び
予め定義された制御レーティング基準に少なくとも部分的に基づいて前記制御レーティング優先度を設定するようにさらに構成される請求項２６に記載の装置。
【請求項２８】
モバイルデバイスと関連づけられた通信を容易にする方法であって、
少なくとも１つのコンテンツプロバイダから少なくとも１つのモバイルデバイスに送信されている少なくとも１つのメッセージにおいて受信された少なくとも１つのコンテンツを評価することであって、前記少なくとも１つのメッセージは、前記少なくとも１つのコンテンツと関連づけられた少なくとも１つのコンテンツレーティングを備えることと、
前記少なくとも１つのコンテンツレーティング及び前記少なくとも１つのモバイルデバイスと関連づけられた少なくとも１つのコンテンツレーティング優先度に少なくとも部分的に基づいて前記少なくとも１つのコンテンツをフィルタリングすること、とを備える、モバイルデバイスと関連づけられた通信を容易にする方法。
【請求項２９】
前記少なくとも１つのモバイルデバイスと関連づけられた前記少なくとも１つのコンテンツレーティング優先度に関連する少なくとも１つのセキュリティコードを受信することと、
前記少なくとも１つのセキュリティコードが有効であるかどうかを決定することを容易にするために前記少なくとも１つのセキュリティコードを評価することと、
前記少なくとも１つのコンテンツレーティング優先度と前記制御レーティング優先度を設定することに関連するコマンドとを備えるメッセージを前記少なくとも１つのモバイルデバイスから受信することであって、前記メッセージは、修正されたショートメッセージサービス（ＳＭＳ）メッセージであり、前記制御レーティング優先度は、追加のショートメッセージサービス（ＳＭＳ）レーティング優先度パラメータ又は追加の拡張メッセージングサービス（ＥＭＳ）レーティング優先度ヘッダのうちの少なくとも１つに含められることと、
前記少なくとも１つのセキュリティコードが有効であると決定された場合に、前記少なくとも１つのモバイルデバイスと関連づけられた少なくとも１つのコンテンツレーティング優先度パラメータを前記少なくとも１つのコンテンツレーティング優先度に設定することと、
前記少なくとも１つのセキュリティコードが有効であると決定された場合に前記少なくとも１つのコンテンツレーティング優先度を格納すること、とをさらに備える請求項２８に記載の方法。
【請求項３０】
少なくとも１つのセキュリティコードを受信することは、
コアネットワークと通信中の前記少なくとも１つのモバイルデバイス、前記コアネットワークと関連づけられたウェブサイト、又は前記コアネットワークと関連づけられた担当者への音声呼のうちの少なくとも１つを介して前記少なくとも１つのセキュリティコードを受信することをさらに備える請求項２９に記載の方法。
【請求項３１】
前記少なくとも１つのモバイルデバイスと関連づけられた前記少なくとも１つのセキュリティが確保されたコンテンツフォルダに関連する少なくとも１つのセキュリティコードを受信することと、
前記少なくとも１つのセキュリティコードが有効であるかどうかを決定することを容易にするために前記少なくとも１つのセキュリティコードを評価することと、
前記少なくとも１つのセキュリティコードが有効である場合に前記少なくとも１つのセキュリティが確保されたコンテンツフォルダにアクセスすることと、
少なくとも１つのフィルタリングされて排除されたコンテンツを取り出すことと、
前記少なくとも１つのフィルタリングされて排除されたコンテンツを前記少なくとも１つのモバイルデバイス又は前記少なくとも１つのモバイルデバイスと関連づけられた少なくとも１つのユーザと関連づけられた少なくとも１つのその他の通信デバイスのうちの少なくとも１つに提供すること、とをさらに備える請求項２８に記載の方法。
【請求項３２】
前記少なくとも１つのコンテンツをフィルタリングすることは、
前記少なくとも１つのコンテンツレーティングが前記コンテンツレーティング優先度の値よりも高い値を有する場合に前記少なくとも１つのコンテンツをフィルタリングして排除すること、又は
前記少なくとも１つのコンテンツレーティングが前記コンテンツレーティング優先度の前記値と同じであるか又はより低い値を有する場合に前記少なくとも１つのコンテンツを前記少なくとも１つのモバイルデバイスに提示することのうちの少なくとも１つをさらに備える請求項２８に記載の方法。
【請求項３３】
前記少なくとも１つのメッセージを前記少なくとも１つのコンテンツプロバイダから受信することをさらに備え、前記少なくとも１つのメッセージは、追加のショートメッセージサービス（ＳＭＳ）レーティングパラメータ、追加の拡張メッセージングサービス（ＥＭＳ）レーティングヘッダ、又は前記少なくとも１つのメッセージの前記本体内のレーティングフィールドのうちの少なくとも１つに含められる前記少なくとも１つのコンテンツレーティングを備える修正されたショートメッセージサービス（ＳＭＳ）メッセージであり、前記レーティングフィールドは、１つ以上のキーワードによって特定される請求項２８に記載の方法。
【請求項３４】
前記制御レーティング優先度に関連する問い合わせとコマンドとを備えるメッセージを前記少なくとも１つのモバイルデバイスから受信することであって、前記メッセージは、修正されたショートメッセージサービス（ＳＭＳ）メッセージであり、前記問い合わせは、追加のショートメッセージサービス（ＳＭＳ）問い合わせパラメータ又は追加の拡張メッセージングサービス（ＥＭＳ）問い合わせヘッダのうちの少なくとも１つに含められることと、
前記問い合わせに少なくとも部分的に基づいて前記少なくとも１つのモバイルデバイスと関連づけられた前記制御レーティング優先度の現在値を取り出すことと、
前記問い合わせに応答して前記制御レーティング優先度の前記現在値を含む他のメッセージを前記少なくとも１つのモバイルデバイスに送信すること、とをさらに備える請求項２８に記載の方法。
【請求項３５】
少なくとも１つのレーティングされていないコンテンツを備える少なくとも１つのその他のメッセージを少なくとも１つのその他のコンテンツプロバイダから受信することと、
前記少なくとも１つのレーティングされていないコンテンツを評価することと、
予め定義されたコンテンツレーティング基準に少なくとも部分的に基づいて前記少なくとも１つのレーティングされていないコンテンツのコンテンツレーティングを決定することと、
前記決定されたコンテンツレーティングが前記コンテンツレーティング優先度の値よりも高い値を有する場合に前記少なくとも１つのレーティングされていないコンテンツをフィルタリングして排除すること、又は
前記決定されたコンテンツレーティングが前記コンテンツレーティング優先度の前記値と同じであるか又はより低い値を有する場合に前記少なくとも１つのレーティングされていないコンテンツを前記少なくとも１つのモバイルデバイスに提示することのうちの少なくとも１つと、をさらに備える請求項２８に記載の方法。
【請求項３６】
前記予め定義されたコンテンツレーティング基準は、コンテンツ内の言葉の性質、オーディオコンテンツの性質、又はビジュアルコンテンツの性質のうちの少なくとも１つに関連し、成人向け度がより高いコンテンツは、前記予め定義されたコンテンツレーティング基準に少なくとも部分的に基づいて成人向け度がより低いコンテンツよりも高いコンテンツレーティングが与えられる請求項３５に記載の方法。
【請求項３７】
少なくとも１つのレーティングされていないコンテンツを備える少なくとも１つのその他のメッセージを少なくとも１つのその他のコンテンツプロバイダから受信することと、
前記少なくとも１つのモバイルデバイスと関連づけられた少なくとも１つの連絡先リストを再検討することと、
前記少なくとも１つのその他のコンテンツプロバイダが前記少なくとも１つの連絡先リストに含まれていない場合に前記少なくとも１つのレーティングされていないコンテンツをフィルタリングして排除すること、又は
前記少なくとも１つのその他のコンテンツプロバイダが前記少なくとも１つの連絡先リストに含まれている場合に前記少なくとも１つのレーティングされていないコンテンツを前記少なくとも１つのモバイルデバイスに提示することのうちの少なくとも１つと、をさらに備える請求項２８に記載の方法。
【請求項３８】
無線通信装置であって、
少なくとも１つのコンテンツプロバイダから少なくとも１つのモバイルデバイスに送信されている少なくとも１つのメッセージにおいて受信された少なくとも１つのコンテンツの評価、及び
前記少なくとも１つのコンテンツと関連づけられた前記少なくとも１つのコンテンツレーティング及び前記少なくとも１つのモバイルデバイスと関連づけられた少なくとも１つのコンテンツレーティング優先度に少なくとも部分的に基づいた前記少なくとも１つのコンテンツのフィルタリングに関連する命令を保持するメモリと、
前記メモリ内に保持された前記命令を実行するように構成された、前記メモリに結合されたプロセッサと、を備え、前記少なくとも１つのメッセージは、前記少なくとも１つのコンテンツレーティングを備え、前記少なくとも１つのコンテンツレーティングは、前記予め定義されたコンテンツレーティング基準に少なくとも部分的に基づく、無線通信装置。
【請求項３９】
前記メモリは、
前記少なくとも１つのモバイルデバイスと関連づけられた前記少なくとも１つのコンテンツレーティング優先度に関連する少なくとも１つのセキュリティコードの受信、
前記少なくとも１つのセキュリティコードが有効であるかどうかを決定することを容易にするための前記少なくとも１つのセキュリティコードの評価、
前記少なくとも１つのモバイルデバイスからの前記少なくとも１つのコンテンツレーティング優先度の受信、
前記少なくとも１つのセキュリティコードが有効であると決定された場合における、前記少なくとも１つのモバイルデバイスと関連づけられた少なくとも１つのコンテンツレーティング優先度パラメータの前記少なくとも１つのコンテンツレーティング優先度への設定、及び
前記少なくとも１つのセキュリティコードが有効であると決定された場合における前記少なくとも１つのコンテンツレーティング優先度の格納に関連する命令をさらに保持する請求項３８に記載の無線通信装置。
【請求項４０】
モバイルデバイスと関連づけられた通信を容易にするにする無線通信装置であって、
少なくとも１つのコンテンツプロバイダから少なくとも１つのモバイルデバイスに送信されている少なくとも１つのメッセージにおいて受信された少なくとも１つのコンテンツを評価するための手段と、
前記少なくとも１つのコンテンツと関連づけられた前記少なくとも１つのコンテンツレーティング及び前記少なくとも１つのモバイルデバイスと関連づけられた少なくとも１つのコンテンツレーティング優先度に少なくとも部分的に基づいて前記少なくとも１つのコンテンツをフィルタリングするための手段と、を備え、前記少なくとも１つのメッセージは、前記少なくとも１つのコンテンツレーティングを備え、前記少なくとも１つのコンテンツレーティングは、予め定義されたコンテンツレーティング基準に少なくとも部分的に基づく、モバイルデバイスと関連づけられた通信を容易にする無線通信装置。
【請求項４１】
前記少なくとも１つのモバイルデバイスと関連づけられた前記少なくとも１つのコンテンツレーティング優先度に関連する少なくとも１つのセキュリティコードを受信するための手段と、
前記少なくとも１つのセキュリティコードが有効であるかどうかを決定することを容易にするために前記少なくとも１つのセキュリティコードを評価するための手段と、
前記少なくとも１つのコンテンツレーティング優先度を前記少なくとも１つのモバイルデバイスから受信するための手段と、
前記少なくとも１つのセキュリティコードが有効であると決定された場合に、前記少なくとも１つのモバイルデバイスと関連づけられた少なくとも１つのコンテンツレーティング優先度パラメータを前記少なくとも１つのコンテンツレーティング優先度に設定するための手段と、
前記少なくとも１つのセキュリティコードが有効であると決定された場合に前記少なくとも１つのコンテンツレーティング優先度を格納するための手段と、をさらに備える請求項４０に記載の無線通信装置。
【請求項４２】
コンピュータプログラム製品であって、
少なくとも１つのコンテンツプロバイダから少なくとも１つのモバイルデバイスに送信されている少なくとも１つのメッセージにおいて受信された少なくとも１つのコンテンツを評価することを少なくとも１つのコンピュータに行わせるための符号と、
前記少なくとも１つのコンテンツと関連づけられた前記少なくとも１つのコンテンツレーティング及び前記少なくとも１つのモバイルデバイスと関連づけられた少なくとも１つのコンテンツレーティング優先度に少なくとも部分的に基づいて前記少なくとも１つのコンテンツをフィルタリングすることを少なくとも１つのコンピュータに行わせるための符号と、を備えるコンピュータによって読み取り可能な媒体を備え、前記少なくとも１つのメッセージは、前記少なくとも１つのコンテンツレーティングを備え、前記少なくとも１つのコンテンツレーティングは、予め定義されたコンテンツレーティング基準に少なくとも部分的に基づく、コンピュータプログラム製品。
【請求項４３】
前記少なくとも１つのモバイルデバイスと関連づけられた前記少なくとも１つのコンテンツレーティング優先度に関連する少なくとも１つのセキュリティコードを受信することを少なくとも１つのコンピュータに行わせるための符号と、
前記少なくとも１つのセキュリティコードが有効であるかどうかを決定することを容易にするために前記少なくとも１つのセキュリティコードを評価することを少なくとも１つのコンピュータに行わせるための符号と、
前記少なくとも１つのモバイルデバイスから前記少なくとも１つのコンテンツレーティング優先度を受信することを少なくとも１つのコンピュータに行わせるための符号と、
前記少なくとも１つのセキュリティコードが有効であると決定された場合に、前記少なくとも１つのモバイルデバイスと関連づけられた少なくとも１つのコンテンツレーティング優先度パラメータを前記少なくとも１つのコンテンツレーティング優先度に設定することを少なくとも１つのコンピュータに行わせるための符号と、
前記少なくとも１つのセキュリティコードが有効であると決定された場合に前記少なくとも１つのコンテンツレーティング優先度を格納することを少なくとも１つのコンピュータに行わせるための符号と、備えるコンピュータによって読み取り可能な媒体、をさらに備える請求項４２に記載のコンピュータプログラム製品。
【請求項４４】
前記少なくとも１つのモバイルデバイスと関連づけられた前記少なくとも１つのセキュリティが確保されたコンテンツフォルダに関連する少なくとも１つのセキュリティコードを受信することを少なくとも１つのコンピュータに行わせるための符号と、
前記少なくとも１つのセキュリティコードが有効であるかどうかを決定することを容易にするために前記少なくとも１つのセキュリティコードを評価することを少なくとも１つのコンピュータに行わせるための符号と、
前記少なくとも１つのセキュリティコードが有効である場合に前記少なくとも１つのセキュリティが確保されたコンテンツフォルダにアクセスすることを少なくとも１つのコンピュータに行わせるための符号と、
少なくとも１つのフィルタリングされて排除されたコンテンツを取り出すことを少なくとも１つのコンピュータに行わせるための符号と、
前記少なくとも１つのフィルタリングされて排除されたコンテンツを前記少なくとも１つのモバイルデバイス又は前記少なくとも１つのモバイルデバイスと関連づけられた少なくとも１つのユーザと関連づけられた少なくとも１つのその他の通信デバイスのうちの少なくとも１つに提供することを少なくとも１つのコンピュータに行わせるための符号と、を備えるコンピュータによって読み取り可能な媒体、をさらに備える請求項４２に記載のコンピュータプログラム製品。
【請求項４５】
前記予め定義されたコンテンツレーティング基準は、コンテンツ内の言葉の性質、オーディオコンテンツの性質、又はビジュアルコンテンツの性質のうちの少なくとも１つに関連し、成人向け度がより高いコンテンツは、前記予め定義されたコンテンツレーティング基準に少なくとも部分的に基づいて成人向け度がより低いコンテンツよりも高いコンテンツレーティングが与えられる請求項４２に記載のコンピュータプログラム製品。
【請求項４６】
無線通信システムにおいて、
少なくとも１つのコンテンツプロバイダから少なくとも１つのモバイルデバイスに送信されている少なくとも１つのメッセージにおいて受信された少なくとも１つのコンテンツを評価し、及び
前記少なくとも１つのコンテンツと関連づけられた前記少なくとも１つのコンテンツレーティング及び前記少なくとも１つのモバイルデバイスと関連づけられた少なくとも１つのコンテンツレーティング優先度に少なくとも部分的に基づいて前記少なくとも１つのコンテンツをフィルタリングするように構成されたプロセッサ、を備え、前記少なくとも１つのメッセージは、前記少なくとも１つのコンテンツレーティングを備え、前記少なくとも１つのコンテンツレーティングは、予め定義されたコンテンツレーティング基準に少なくとも部分的に基づく、装置。
【請求項４７】
前記予め定義されたコンテンツレーティング基準は、コンテンツ内の言葉の性質、オーディオコンテンツの性質、又はビジュアルコンテンツの性質のうちの少なくとも１つに関連し、成人向け度がより高いコンテンツは、前記予め定義されたコンテンツレーティング基準に少なくとも部分的に基づいて成人向け度がより低いコンテンツよりも高いコンテンツレーティングが与えられる請求項４６に記載の装置。
【請求項４８】
モバイルデバイスと関連づけられた通信を容易にする方法であって、
予め定義されたコンテンツレーティング基準に少なくとも部分的に基づいてコンテンツのためのコンテンツレーティングを決定することと、
前記コンテンツを提供するコンテンツプロバイダによって少なくとも１つのモバイルデバイスに送信されたコンテンツをフィルタリングすることを容易にするために前記少なくとも１つのモバイルデバイスに送信されるメッセージ内に前記コンテンツ及び前記コンテンツレーティングを挿入すること、とを備える、モバイルデバイスと関連づけられた通信を容易にする方法。
【請求項４９】
前記メッセージは、追加のショートメッセージサービス（ＳＭＳ）レーティングパラメータ、追加の拡張メッセージングサービス（ＥＭＳ）レーティングヘッダ、又は前記少なくとも１つのメッセージの前記本体内のレーティングフィールドのうちの少なくとも１つに含められる前記コンテンツレーティングを備える修正されたショートメッセージサービス（ＳＭＳ）メッセージであり、前記レーティングフィールドは、１つ以上のキーワードによって特定される請求項４８に記載の方法。
【請求項５０】
前記予め定義されたコンテンツレーティング基準は、コンテンツ内の言葉の性質、オーディオコンテンツの性質、又はビジュアルコンテンツの性質のうちの少なくとも１つに関連し、成人向け度がより高いコンテンツは、前記予め定義されたコンテンツレーティング基準に少なくとも部分的に基づいて成人向け度がより低いコンテンツよりも高いコンテンツレーティングが与えられる請求項４８に記載の方法。
【請求項５１】
無線通信装置であって、
予め定義されたコンテンツレーティング基準に少なくとも部分的に基づいたコンテンツのためのコンテンツレーティングの生成、及び
前記コンテンツを提供するコンテンツプロバイダによって少なくとも１つのモバイルデバイスに送信されたコンテンツをフィルタリングすることを容易にするための前記少なくとも１つのモバイルデバイスに送信されるメッセージ内への前記コンテンツ及び前記コンテンツレーティングの挿入に関連する命令を保持するメモリと、
前記メモリ内に保持された前記命令を実行するように構成された、前記メモリに結合されたプロセッサと、を備える、無線通信装置。
【請求項５２】
モバイルデバイスと関連づけられた通信を容易にする無線通信装置であって、
予め定義されたコンテンツレーティング基準に少なくとも部分的に基づいてコンテンツのためのコンテンツレーティングを決定するための手段と、
前記コンテンツを提供するコンテンツプロバイダによって少なくとも１つのモバイルデバイスに送信されたコンテンツをフィルタリングすることを容易にするために前記少なくとも１つのモバイルデバイスに送信されるメッセージ内に前記コンテンツ及び前記コンテンツレーティングを挿入するための手段と、を備える、モバイルデバイスと関連づけられた通信を容易にする無線通信装置。
【請求項５３】
コンピュータプログラム製品であって、
予め定義されたコンテンツレーティング基準に少なくとも部分的に基づいてコンテンツのためのコンテンツレーティングを生成することを少なくとも１つのコンピュータに行わせるための符号と、    
前記コンテンツを提供するコンテンツプロバイダによって少なくとも１つのモバイルデバイスに送信されたコンテンツをフィルタリングすることを容易にするために前記少なくとも１つのモバイルデバイスに送信されるメッセージ内に前記コンテンツ及び前記コンテンツレーティングを挿入することを少なくとも１つのコンピュータに行わせるための符号と、を備えるコンピュータによって読み取り可能な媒体、を備える、コンピュータプログラム製品。
【請求項５４】
前記予め定義されたコンテンツレーティング基準は、コンテンツ内の言葉の性質、オーディオコンテンツの性質、又はビジュアルコンテンツの性質のうちの少なくとも１つに関連し、成人向け度がより高いコンテンツは、前記予め定義されたコンテンツレーティング基準に少なくとも部分的に基づいて成人向け度がより低いコンテンツよりも高いコンテンツレーティングが与えられる請求項５３に記載のコンピュータプログラム製品。
【請求項５５】
無線通信システムにおいて、
予め定義されたコンテンツレーティング基準に少なくとも部分的に基づいてコンテンツのためのコンテンツレーティングを決定し、及び
前記コンテンツを提供するコンテンツプロバイダによって少なくとも１つのモバイルデバイスに送信されたコンテンツをフィルタリングすることを容易にするために前記少なくとも１つのモバイルデバイスに送信されるメッセージ内に前記コンテンツ及び前記コンテンツレーティングを挿入するように構成されたプロセッサを備える、装置。
【発明の詳細な説明】
【技術分野】
【０００１】
次の説明は、概して、無線通信に関するものである。次の説明は、より具体的には、無線デバイスにおけるコンテンツ制御のためにメッセージコンテンツをレーティングすることに関するものである。
【背景技術】
【０００２】
様々なタイプの通信を提供するために無線通信システムが広範囲にわたって配備されており、例えば、該無線通信システムを介して音声及び／又はデータを提供することができる。典型的な無線通信システム、又はネットワークは、１つ以上の共有されたリソース（例えば、帯域幅、送信電力、等）へのアクセスを複数のユーザに提供することができる。例えば、システムは、様々な複数のアクセス技法、例えば、周波数分割多重（ＦＤＭ）、時分割多重（ＴＤＭ）、符号分割多重（ＣＤＭ）、第３世代パートナーシッププロジェクト（３ＧＰＰ）ロングタームエボリューション（ＬＴＥ）システム、直交周波数分割多重（ＯＦＤＭ）、及びその他、を用いることができる。
【０００３】
概して、無線多元接続通信システムは、複数のモバイルデバイスのために通信を同時にサポートすることができる。各モバイルデバイスは、順方向リンク及び逆方向リンクにおける送信を介して１つ以上の基地局と通信することができる。順方向リンク（又はダウンリンク）は、基地局からモバイルデバイスへの通信リンクを意味し、逆方向リンク（又はアップリンク）は、モバイルデバイスから基地局への通信リンクを意味する。この通信リンクは、単入力単出力、多入力信号出力、又は多入力多出力（ＭＩＭＯ）システムを介して確立することができる。
【０００４】
例えば、ＭＩＭＯシステムは、データ送信のために複数（ＮＴ）の送信アンテナ及び複数（ＮＲ）の受信アンテナを採用することができる。ＮＴの送信アンテナ及びＮＲの受信アンテナによって形成されるＭＩＭＯは、空間チャネルとも呼ばれるＮＳの独立したチャネルに分解することができ、ここで、ＮＳ≦ｍｉｎ｛ＮＴ、ＮＲ｝である。ＮＳの独立したチャネルの各々は、１つの次元に対応することができる。ＭＩＭＯシステムは、複数の送信アンテナ及び受信アンテナによって形成された追加の次元が利用される場合に向上された性能（例えば、より高いスループット及び／又はより高い信頼性）を提供することができる。
【０００５】
ＭＩＭＯシステムは、時分割複信（ＴＤＤ）及び周波数分割複信（ＦＤＤ）システムをサポートすることができる。ＴＤＤシステムにおいては、順方向リンク送信及び逆方向リンク送信は、同じ周波数領域であることができ、このため、相互性の原理（ｒｅｃｉｐｒｏｃｉｔｙ  ｐｒｉｎｃｉｐｌｅ）が、逆方向リンクチャネルからの順方向リンクチャネルの推定を可能にする。これは、アクセスポイントにおいて複数のアンテナを利用可能であるときにアクセスポイントが順方向リンクでの送信ビーム形成利得を抽出するのを可能にすることができる。
【０００６】
無線通信システムは、カバレッジエリアを提供する１つ以上の基地局を時々採用する。典型的な基地局は、ブロードキャスト、マルチキャスト及び／又はユニキャストサービスのための複数のデータストリームを送信することができ、データストリームは、各々のモバイルデバイスによる受信の対象となることができるデータの流れであることができる。該基地局のカバレッジエリア内のモバイルデバイスは、複合ストリームによって搬送される１つの、２つ以上の、又はすべてのデータストリームを受信するために採用することができる。同様に、モバイルデバイスは、基地局又は他のモバイルデバイスにデータを送信することができる。
【０００７】
モバイルデバイスは、音声及びデータ通信のために利用することができる。例えば、モバイルデバイスは、コンテンツ、例えば、テキストメッセージ、オーディオコンテンツ、ビジュアル画像、映像コンテンツ、マルチメディアコンテンツ、等、をその他のモバイルデバイス又は通信デバイスに送信することができる。メッセージングのタイプは、例えば、ショートメッセージサービス（ＳＭＳ）と、拡張メッセージングサービス（ＥＭＳ）と、マルチメディアメッセージングサービス（ＭＭＳ）と、を含むことができる。モバイルデバイスに送信されるコンテンツを提供するコンテンツプロバイダは、モバイルデバイスユーザ、商業エンティティ（ｅｎｔｉｔｙ）、等であることができる。
【０００８】
従来においては、コンテンツは、コンテンツの性質にかかわらずコンテンツプロバイダによってモバイルデバイスに送信することができる。従って、例えば、成人向けコンテンツが子供によって用いられているモバイルデバイスに送信される可能性がある。望ましくないコンテンツ（例えば、成人向けコンテンツ）が受信されないこと及び／又は認識されないことが望まれることの該当者である一定のユーザによって利用される通信デバイスによって望ましくないコンテンツが受信されないように通信デバイスに提供されているコンテンツを制御可能であることが望ましい。
【発明の概要】
【０００９】
以下は、１つ以上の実施形態についての基本的な理解を可能にするための該実施形態の単純化された概要を示す。この概要は、すべての企図される実施形態について広範囲にわたって概説したものではなく、さらにすべての実施形態の主要な又は極めて重要な要素を特定すること及びいずれかの又はすべての実施形態の適用範囲を詳細に説明することのいずれも意図されていない。それの唯一の目的は、後述される発明を実施するための形態の準備段階として１つ以上の実施形態の幾つかの概念を単純な形で提示することである。
【００１０】
１つ以上の実施形態及び対応するそれらの開示により、コアネットワークを介してコンテンツプロバイダによってモバイルデバイスに送信されたコンテンツをフィルタリングすることを容易にすることと関係させて様々な態様が説明される。コンテンツプロバイダは、コンテンツのためのコンテンツレーティング（ｃｏｎｔｅｎｔ  ｒａｔｉｎｇ）を決定することができ、及び／又はコアネットワーク及び／又はモバイルデバイスは、予め定義されたコンテンツレーティング基準に少なくとも部分的に基づいて、コンテンツプロバイダからのレーティングされていないコンテンツのためのコンテンツレーティングを決定又は推測する（ｉｎｆｅｒ）ことができる。予め定義されたレーティング基準は、コンテンツの成人向けの性質に関連することができる。例えば、成人向け度が高いコンテンツ（例えば、非常に性的又は暴力的なテキスト、オーディオコンテンツ、ビジュアル画像、及び／又はマルチメディアコンテンツ）は、性質の点で成人向け度がより低いとみなされるコンテンツよりも高いコンテンツレーティングを割り当てることができる。モバイルデバイスユーザ（例えば、モバイルデバイスへのアクセスが可能な子供の親）は、モバイルデバイスのための希望されるコンテンツレーティング優先度（ｐｒｅｆｅｒｅｎｃｅ）を指定することができる。コアネットワーク及び／又はモバイルデバイスと各々関連づけられたフィルタは、プロバイダからのコンテンツのコンテンツレーティング及び送信されているコンテンツの送信先であるモバイルデバイスのコンテンツレーティング優先度に少なくとも部分的に基づいてコンテンツをフィルタリングすることができる。コンテンツレーティングスレショルドを満たさないコンテンツ（例えば、モバイルデバイスと関連づけられたコンテンツレーティング優先度よりも高いコンテンツレーティングを有するコンテンツ）は、フィルタリングして排除することができ、フィルタリングされて排除されたコンテンツは、希望されるのに応じて、適用可能なセキュリティコードを用いてアクセスすることができるセキュリティが確保された（ｓｅｃｕｒｅな）コンテンツフォルダに格納するか又は廃棄することができる。
【００１１】
関連する態様により、モバイルデバイスと関連づけられた通信を容易にする方法がここにおいて説明される。方法は、モバイルデバイスと関連づけられた制御レーティング優先度（ｃｏｎｔｒｏｌ  ｒａｔｉｎｇ  ｐｒｅｆｅｒｅｎｃｅ）を設定することを含むことができる。さらに、方法は、少なくとも１つのコンテンツを備える少なくとも１つのメッセージを少なくとも１つのコンテンツプロバイダから受信することを備えることができ、少なくとも１つのメッセージは、少なくとも１つのコンテンツと関連づけられた少なくとも１つのコンテンツレーティングを備え、少なくとも１つのコンテンツは、制御レーティング優先度及び少なくとも１つのコンテンツレーティングに少なくとも部分的に基づいてフィルタリングされる。
【００１２】
他の態様は、無線通信装置に関連する。無線通信装置は、モバイルデバイスと関連づけられた制御レーティング優先度の確立、及び少なくとも１つのコンテンツプロバイダからの少なくとも１つのコンテンツを備える少なくとも１つのメッセージの受信に関連する命令を保持するメモリを含むことができ、少なくとも１つのメッセージは、少なくとも１つのコンテンツと関連づけられた少なくとも１つのコンテンツレーティングを備え、少なくとも１つのコンテンツは、制御レーティング優先度及び少なくとも１つのコンテンツレーティングに少なくとも部分的に基づいてフィルタリングされる。さらに、無線通信装置は、メモリに保持された命令を実行するように構成された、メモリに結合されたプロセッサを含むことができる。
【００１３】
さらに他の態様は、モバイルデバイスと関連づけられた通信を容易にする無線通信装置に関連する。無線通信装置は、モバイルデバイスと関連づけられた制御レーティング優先度を設定するための手段を含むことができる。さらに、無線通信装置は、少なくとも１つのコンテンツを備える少なくとも１つのメッセージを少なくとも１つのコンテンツプロバイダから受信するための手段を備えることができ、少なくとも１つのメッセージは、少なくとも１つのコンテンツと関連づけられた少なくとも１つのコンテンツレーティングを備え、少なくとも１つのコンテンツは、制御レーティング優先度及び少なくとも１つのコンテンツレーティングに少なくとも部分的に基づいてフィルタリングされる。
【００１４】
さらに他の態様は、モバイルデバイスと関連づけられた制御レーティング優先度を設定し、及び少なくとも１つのコンテンツを備える少なくとも１つのメッセージを少なくとも１つのコンテンツプロバイダから受信するための符号を備えるコンピュータによって読み取り可能な媒体を備え、少なくとも１つのメッセージは、少なくとも１つのコンテンツと関連づけられた少なくとも１つのコンテンツレーティングを備え、少なくとも１つのコンテンツは、制御レーティング優先度及び少なくとも１つのコンテンツレーティングに少なくとも部分的に基づいてフィルタリングされる、コンピュータプログラム製品に関連する。
【００１５】
他の態様により、無線通信システムにおける装置は、プロセッサを含むことができ、プロセッサは、モバイルデバイスと関連づけられた制御レーティング優先度を確立するように構成することができる。さらに、プロセッサは、少なくとも１つのコンテンツを備える少なくとも１つのメッセージを少なくとも１つのコンテンツプロバイダから受信するように構成することができ、少なくとも１つのメッセージは、少なくとも１つのコンテンツと関連づけられた少なくとも１つのコンテンツレーティングを備え、少なくとも１つのコンテンツは、制御レーティング優先度及び少なくとも１つのコンテンツレーティングに少なくとも部分的に基づいてフィルタリングされる。
【００１６】
その他の態様により、モバイルデバイスと関連づけられた通信を容易にする方法がここにおいて説明される。方法は、少なくとも１つのコンテンツプロバイダから少なくとも１つのモバイルデバイスに送信されている少なくとも１つのメッセージにおいて受信された少なくとも１つのコンテンツを評価することを含むことができ、少なくとも１つのメッセージは、少なくとも１つのコンテンツと関連づけられた少なくとも１つのコンテンツレーティングを備える。さらに、方法は、少なくとも１つのコンテンツレーティング及び少なくとも１つのモバイルデバイスと関連づけられた少なくとも１つのコンテンツレーティング優先度に少なくとも部分的に基づいて少なくとも１つのコンテンツをフィルタリングすることを備えることができる。
【００１７】
さらに他の態様は、少なくとも１つのコンテンツプロバイダから少なくとも１つのモバイルデバイスに送信されている少なくとも１つのメッセージにおいて受信された少なくとも１つのコンテンツの評価、及び少なくとも１つのコンテンツと関連づけられた少なくとも１つのコンテンツレーティング及び少なくとも１つのモバイルデバイスと関連づけられた少なくとも１つのコンテンツレーティング優先度に少なくとも部分的に基づく少なくとも１つのコンテンツのフィルタリングに関連する命令を保持するメモリを含むことができる無線通信装置に関連し、少なくとも１つのメッセージは、少なくとも１つのコンテンツレーティングを備え、少なくとも１つのコンテンツレーティングは、予め定義されたコンテンツレーティング基準に少なくとも部分的に基づく。さらに、無線通信装置は、メモリに保持された命令を実行するように構成された、メモリに結合されたプロセッサを備えることができる。
【００１８】
他の態様は、モバイルデバイスと関連づけられた通信を容易にする無線通信装置に関連する。無線通信装置は、少なくとも１つのコンテンツプロバイダから少なくとも１つのモバイルデバイスに送信されている少なくとも１つのメッセージにおいて受信された少なくとも１つのコンテンツを評価するための手段を含むことができ、少なくとも１つのメッセージは、少なくとも１つのコンテンツと関連づけられた少なくとも１つのコンテンツレーティングを備え、少なくとも１つのコンテンツレーティングは、予め定義されたコンテンツレーティング基準に少なくとも部分的に基づく。さらに、無線通信装置は、少なくとも１つのコンテンツレーティング及び少なくとも１つのモバイルデバイスと関連づけられた少なくとも１つのコンテンツレーティング優先度に少なくとも部分的に基づいて少なくとも１つのコンテンツをフィルタリングするための手段を含むことができる。
【００１９】
さらに他の態様は、少なくとも１つのコンテンツプロバイダから少なくとも１つのモバイルデバイスに送信されている少なくとも１つのメッセージにおいて受信された少なくとも１つのコンテンツを評価し、及び少なくとも１つのコンテンツと関連づけられた少なくとも１つのコンテンツレーティング及び少なくとも１つのモバイルデバイスと関連づけられた少なくとも１つのコンテンツレーティング優先度に少なくとも部分的に基づいて少なくとも１つのコンテンツをフィルタリングするための符号を備えるコンピュータによって読み取り可能な媒体を備え、少なくとも１つのメッセージは、少なくとも１つのコンテンツレーティングを備え、少なくとも１つのコンテンツレーティングは、予め定義されたコンテンツレーティング基準に少なくとも部分的に基づく、コンピュータプログラム製品に関連する。
【００２０】
他の態様により、無線通信システムにおける装置は、プロセッサを含むことができ、プロセッサは、少なくとも１つのコンテンツプロバイダから少なくとも１つのモバイルデバイスに送信されている少なくとも１つのメッセージにおいて受信された少なくとも１つのコンテンツを評価するように構成され、少なくとも１つのメッセージは、少なくとも１つのコンテンツと関連づけられた少なくとも１つのコンテンツレーティングを備え、少なくとも１つのコンテンツレーティングは、予め定義されたコンテンツレーティング基準に少なくとも部分的に基づく。さらに、プロセッサは、少なくとも１つのコンテンツレーティング及び少なくとも１つのモバイルデバイスと関連づけられた少なくとも１つのコンテンツレーティング優先度に少なくとも部分的に基づいて少なくとも１つのコンテンツをフィルタリングするように構成することができる。
【００２１】
その他の態様により、モバイルデバイスと関連づけられた通信を容易にする方法がここにおいて説明される。方法は、予め定義されたコンテンツレーティング基準に少なくとも部分的に基づいてコンテンツのためのコンテンツレーティングを決定することを含むことができる。さらに、方法は、コンテンツを提供するコンテンツプロバイダによって少なくとも１つのモバイルデバイスに送信されたコンテンツをフィルタリングすることを容易にするために少なくとも１つのモバイルデバイスに送信されるメッセージ内にコンテンツ及びコンテンツレーティングを挿入することを備えることができる。
【００２２】
さらに他の態様は、予め定義されたコンテンツレーティング基準に少なくとも部分的に基づくコンテンツのためのコンテンツレーティングの生成、及びコンテンツを提供するコンテンツプロバイダによって少なくとも１つのモバイルデバイスに送信されたコンテンツをフィルタリングすることを容易にするために少なくとも１つのモバイルデバイスに送信されるメッセージ内へのコンテンツ及びコンテンツレーティングの挿入に関連する命令を保持するメモリを含むことができる無線通信装置に関連する。さらに、無線通信装置は、メモリに保持された命令を実行するように構成された、メモリに結合されたプロセッサを備えることができる。
【００２３】
他の態様は、モバイルデバイスと関連づけられた通信を容易にする無線通信装置に関連する。無線通信装置は、予め定義されたコンテンツレーティング基準に少なくとも部分的に基づいてコンテンツのためのコンテンツレーティングを決定するための手段を含むことができる。さらに、無線通信装置は、コンテンツを提供するコンテンツプロバイダによって少なくとも１つのモバイルデバイスに送信されたコンテンツをフィルタリングすることを容易にするために少なくとも１つのモバイルデバイスに送信されるメッセージ内にコンテンツ及びコンテンツレーティングを挿入するための手段を含むことができる。
【００２４】
さらに他の態様は、予め定義されたコンテンツレーティング基準に少なくとも部分的に基づいてコンテンツのためのコンテンツレーティングを生成し、及びコンテンツを提供するコンテンツプロバイダによって少なくとも１つのモバイルデバイスに送信されたコンテンツをフィルタリングすることを容易にするために少なくとも１つのモバイルデバイスに送信されるメッセージ内にコンテンツ及びコンテンツレーティングを挿入するための符号を備えるコンピュータによって読み取り可能な媒体、を備えるコンピュータプログラム製品、に関連する。
【００２５】
他の態様により、無線通信システムにおける装置は、プロセッサを含むことができ、プロセッサは、予め定義されたコンテンツレーティング基準に少なくとも部分的に基づいてコンテンツのためのコンテンツレーティングを決定するように構成することができる。さらに、プロセッサは、コンテンツを提供するコンテンツプロバイダによって少なくとも１つのモバイルデバイスに送信されたコンテンツをフィルタリングすることを容易にするために少なくとも１つのモバイルデバイスに送信されるメッセージ内にコンテンツ及びコンテンツレーティングを挿入するように構成することができる。
【００２６】
上記の目的及び関連する目的の完遂のために、１つ以上の実施形態は、以下において十分に説明され及び請求項において特に強調される特徴を備える。次の説明及び添付図面は、１つ以上の実施形態の一定の例示的態様を詳述するものである。しかしながら、これらの態様は、様々な実施形態の原理を採用することができる様々な方法のうちのほんのわずかを示すにすぎず、説明される実施形態は、すべての該態様及びそれらの同等物を含むことが意図される。
【図面の簡単な説明】
【００２７】
【図１】ここにおいて説明される様々な態様による無線通信システムを示した図である。
【図２】ここにおいて提示される様々な実施形態によりモバイルデバイスに提供されたコンテンツを制御することを容易にすることができる無線通信システム例を示した図である。
【図３】開示される主題の一態様によりモバイルデバイスに送信された一定のコンテンツをフィルタリングすることを容易にするためにコンテンツレーティング優先度を採用することができるシステム例を示した図である。
【図４】開示される主題の一態様によりモバイルデバイスに提供されたコンテンツのフィルタリングを容易にするためにコンテンツレーティングを採用することができるシステム例を示した図である。
【図５】開示される主題の一態様によりモバイルデバイスに提供されたコンテンツのフィルタリングを容易にするためにコンテンツレーティングを採用することができるシステム例を示した図である。
【図６】開示される主題の一態様により無線通信環境においてモバイルデバイスと関連づけられた通信を容易にするためにモバイルデバイスに送信されているコンテンツをフィルタリングすることを容易にすることができる方法例を示した図である。
【図７】開示される主題の一態様により無線通信環境においてモバイルデバイスに送信されているコンテンツをフィルタリングすることを容易にするためにコンテンツのためのコンテンツレーティングを決定することができる方法例を示した図である。
【図８】開示される主題の一態様により無線通信環境においてモバイルデバイスに送信されているコンテンツをフィルタリングすることを容易にするためにモバイルデバイスのコンテンツレーティング優先度を確立することができる方法例を示した図である。
【図９】開示される主題の一態様により無線通信環境においてモバイルデバイスに送信されているコンテンツをフィルタリングすることができる方法例を示した図である。
【図１０】開示される主題の一態様により無線通信システムにおいてモバイルデバイスと関連づけられた通信を容易にすることができるモバイルデバイス例を示した図である。
【図１１】開示される主題の一態様により無線通信システムにおいてモバイルデバイスと関連づけられた通信を容易にすることができるシステム例を示した図である。
【図１２】ここにおいて説明される様々なシステム及び方法と関係させて採用することができる無線ネットワークシステム例を示した図である。
【図１３】無線通信環境においてモバイルデバイスと関連づけられた通信を容易にすることができるシステム例を示した図である。
【図１４】無線通信環境においてモバイルデバイスと関連づけられた通信を容易にすることができる他のシステム例を示した図である。
【図１５】無線通信環境においてモバイルデバイスと関連づけられた通信を容易にすることができるさらに他のシステム例を示した図である。
【発明を実施するための形態】
【００２８】
今度は図を参照して様々な実施形態が説明され、全体にわたって同様の要素に言及するために同様の参照数字が用いられる。以下の記述においては、説明の目的上、１つ以上の実施形態の徹底的な理解を可能にすることを目的として様々な具体的な詳細が示される。しかしながら、該実施形態は、これらの具体的な詳細なしに実践可能であることが明確であろう。その他の例においては、非常によく知られる構造及びデバイスは、１つ以上の実施形態について説明することを容易にするためにブロック図形で示される。
【００２９】
この出願で用いられる場合において、用語“コンポーネント”、“モジュール”、“システム”、“コミュニケータ（ｃｏｍｍｕｎｉｃａｔｏｒ）”、“コントローラ”、“アカウントメニュー”、“制御レーティング優先度メニュー”、“コマンド生成器”、“アクセスコントローラ”、“コンテンツフィルタ”、“レーティング生成器”、“アカウントコーディネータ”、“プロセッサ”、“コミュニケータ”、等は、ハードウェア、ファームウェア、ハードウェアとソフトウェアの組み合わせ、ソフトウェア、又は実行中のソフトウェアのいずれであるかにかかわらず、コンピュータに関連するエンティティを意味することができる。例えば、コンポーネントは、プロセッサ上で実行中のプロセス、プロセッサ、オブジェクト、エクセキュータブル（ｅｘｅｃｕｔａｂｌｅ）、実行スレッド、プログラム、及び／又はコンピュータであることができ、ただしこれらに限定されない。一例として、計算デバイスにおいて実行中のアプリケーション及びその計算デバイスの両方がコンポーネントであることができる。プロセス及び／又は実行スレッド内には１つ以上のコンポーネントが常駐することができ、コンポーネントは、１つのコンピュータ上に局在化する及び／又は２つ以上のコンピュータ間で分散させることができる。さらに、これらのコンポーネントは、様々なデータ構造が格納されている様々なコンピュータによって読み取り可能な媒体から実行可能である。コンポーネントは、ローカル及び／又は遠隔プロセスによって、例えば１つ以上のデータパケット（例えば、ローカルシステム又は分散型システム内の他のコンポーネントと対話中の、及び／又はインターネット等のネットワークを通じて信号を用いてその他のシステムと対話中の、１つのコンポーネントからのデータ）を有する信号に従って、通信することができる。
【００３０】
ここにおいて説明される技法は、様々な無線通信システム、例えば、ＣＤＭＡ、ＴＤＭＡ、ＦＤＭＡ、ＯＦＤＭＡ、ＳＣ−ＦＤＭＡ及びその他のシステム、に関して用いることができる。用語“システム”及び“ネットワーク”は、互換可能な形でしばしば用いられる。ＣＤＭＡシステムは、ユニバーサル地上無線アクセス（ＵＴＲＡ）、ＣＤＭＡ２０００、等の無線技術を実装することができる。ＵＴＲＡは、ワイドバンドＣＤＭＡ（Ｗ−ＣＤＭＡ）と、ＣＤＭＡのその他の変形と、を含む。ＣＤＭＡ２０００は、ＩＳ−２０００、ＩＳ−９５及びＩＳ−８５６規格を網羅する。ＴＤＭＡシステムは、グローバル移動体通信システム（ＧＳＭ（登録商標））等の無線技術を実装することができる。ＯＦＤＭＡシステムは、エボルブド（Ｅｖｏｌｖｅｄ）ＵＴＲＡ（Ｅ−ＵＴＲＡ）、ウルトラモバイルブロードバンド（ＵＭＢ）、ＩＥＥＥ８０２．１１（ＷｉＦｉ）、ＩＥＥＥ８０２．１６（ＷｉＭＡＸ）、ＩＥＥＥ８０２．２０、Ｆｌａｓｈ−ＯＦＤＭＯ、等の無線技術を実装することができる。ＵＴＲＡ及びＥ−ＵＴＲＡは、ユニバーサル移動体通信システム（ＵＭＴＳ）の一部である。３ＧＰＰロングタームエボリューション（Ｌｏｎｇ  Ｔｅｒｍ  Ｅｖｏｌｕｔｉｏｎ）（ＬＴＥ）は、Ｅ−ＵＴＲＡを用いるＵＭＴＳの近い将来のリリース版であり、ダウンリンクにおいてＯＦＤＭＡ及びアップリンクにおいてＳＣ−ＦＤＭＡを採用する。ＵＴＲＡ、Ｅ−ＵＴＲＡ、ＵＭＴＳ、ＬＴＥ及びＧＳＭは、“第３世代パートナーシッププロジェクト”（３ＧＰＰ）と呼ばれる組織からの文書において説明されている。さらに、ＣＤＭＡ２０００及びＵＭＢは、“第３世代パートナーシッププロジェクト２”（３ＧＰＰ２）と呼ばれる組織からの文書において説明されている。これらの様々な無線技術及び規格は、当業において知られている。
【００３１】
さらに、様々な実施形態がモバイルデバイスと関係させてここにおいて説明される。モバイルデバイスは、システム、加入者ユニット、加入者局、移動局、モバイル、遠隔局、遠隔端末、アクセス端末、ユーザ端末、端末、無線通信デバイス、ユーザエージェント、ユーザデバイス、又はユーザ装置（ＵＥ）と呼ぶことも可能である。モバイルデバイスは、携帯電話、コードレスフォン、セッション開始プロトコル（ＳＩＰ）フォン、ワイヤレスローカルループ（ＷＬＬ）局、パーソナルデジタルアシスタント（ＰＤＡ）、無線接続能力を有するハンドヘルドデバイス、計算デバイス、又は無線モデムに接続されたその他の処理デバイスであることができる。さらに、様々な実施形態が基地局と関係させてここにおいて説明される。基地局は、モバイルデバイスと通信するために利用することができ、及びアクセスポイント、ノードＢ（エボルブドＮｏｄｅＢ、ｅＮｏｄｅＢ、ｅＮＢ）又はその他の用語で呼ぶことも可能である。
【００３２】
さらに、ここにおいて説明される様々な態様又は特徴は、標準的なプログラミング及び／又はエンジニアリング技法を用いて方法、装置、又は製造品として実装することができる。ここにおいて用いられる用語“製造品”は、コンピュータによって読み取り可能なデバイス、キャリヤ、又は媒体からアクセス可能なコンピュータプログラムを包含することが意図される。例えば、コンピュータによって読み取り可能な媒体は、限定されることなしに、磁気記憶装置（例えば、ハードディスク、フロッピー（登録商標）ディスク、磁気ストリップ、等）と、光学ディスク（例えば、コンパクトディスク（ＣＤ）、デジタルバーサタイルディスク（ＤＶＤ）、等）と、スマートカードと、フラッシュメモリデバイス（例えば、ＥＰＲＯＭ、カード、スティック、キードライブ、等）と、を含むことができる。さらに、ここにおいて説明される様々な記憶媒体は、情報を格納するための１つ以上のデバイス及び／又はその他の機械によって読み取り可能な媒体を表すことができる。用語“機械によって読み取り可能な媒体”は、限定されることなしに、無線チャネルと、命令及び／又はデータを格納、内蔵、及び／又は搬送することが可能なその他の様々な媒体と、を含むことができる。
【００３３】
図１は、ここにおいて提示される様々な実施形態による無線通信システム１００を示す。システム１００は、複数のアンテナグループを含むことができる基地局１０２を備える。例えば、１つのアンテナグループは、アンテナ１０４と１０６とを含むことができ、他のグループは、アンテナ１０８と１１０とを備えることができ、及び、追加のグループは、アンテナ１１２と１１４とを含むことができる。各アンテナグループに関して２つのアンテナが示される。しかしながら、これよりも多い又は少ない数のアンテナを各グループのために利用することができる。当業者によって評価されるであろうように、基地局１０２は、送信機チェーンと受信機チェーンとをさらに含むことができ、それらの各々は、信号の送信及び受信と関連づけられた複数のコンポーネント（例えば、プロセッサ、変調器、マルチプレクサ、復調器、デマルチプレクサ、アンテナ、等）を備えることができる。図１では１つの基地局１０２が描かれている一方で、開示される主題は、ネットワーク内の２つ以上の基地局、例えば、サービスを提供する基地局１０２及び１つ以上の近隣基地局１０２、を備えることができる。
【００３４】
基地局１０２は、１つ以上のモバイルデバイス、例えば、モバイルデバイス１１６及びモバイルデバイス１２２、と通信することができる。しかしながら、基地局１０２は、モバイルデバイス１１６及び１２２に類似する実質的にあらゆる数のモバイルデバイスと通信することができる。モバイルデバイス１１６及び１２２は、例えば、無線通信システム１００を通じて通信するための携帯電話、スマートフォン、ラップトップ、ハンドヘルド通信デバイス、ハンドヘルド計算デバイス、衛星無線、全地球測位システム、ＰＤＡ、及び／又はその他の適切なデバイスであることができる。描かれるように、モバイルデバイス１１６は、アンテナ１１２及び１１４と通信し、アンテナ１１２及び１１４は、順方向リンク１１８（例えば、ダウンリンク（ＤＬ））を通じてモバイルデバイス１１６に情報を送信し、逆方向リンク１２０（例えば、アップリンク（ＵＬ））を通じてモバイルデバイス１１６から情報を受信する。さらに、モバイルデバイス１２２は、アンテナ１０４及び１０６と通信し、アンテナ１０４及び１０６は、順方向リンク１２４を通じてモバイルデバイス１２２に情報を送信し、逆方向リンク１２６を通じてモバイルデバイス１２２から情報を受信する。周波数分割複信（ＦＤＤ）システムにおいては、順方向リンク１１８は、逆方向リンク１２０によって用いられる周波数帯域と異なるそれを利用することができ、及び、順方向リンク１２４は、例えば逆方向リンク１２６によって採用された周波数帯域と異なるそれを採用することができる。さらに、時分割複信（ＴＤＤ）システムにおいては、順方向リンク１１８及び逆方向リンク１２０は、共通の周波数帯域を利用することができ、順方向リンク１２４及び逆方向リンク１２６は、共通の周波数帯域を利用することができる。
【００３５】
各アンテナグループ及び／又はそれらが通信するように指定されているエリアは、基地局１０２のセクターと呼ぶことができる。例えば、アンテナグループは、基地局１０２によって網羅されるエリアのセクター内のモバイルデバイス（例えば、１１６）に対して通信するように設計することができる。順方向リンク１１８及び１２４を通じての通信において、基地局１０２の送信アンテナは、モバイルデバイス１１６及び１２２のための順方向リンク１１８及び１２４の信号対雑音比を向上させるためにビーム形成を利用することができる。さらに、基地局１０２は、関連づけられたカバレッジ全体に無作為に散在するモバイルデバイス１１６及び１２２に送信するためにビーム形成を利用する一方で、近隣セル内のモバイルデバイスは、すべての自体のモバイルデバイスに対して単一のアンテナを通じて送信する基地局と比較してより低い干渉を受けることが可能である。
【００３６】
典型的には、モバイルデバイスは、音声及びデータ通信のために利用することができる。例えば、モバイルデバイスは、コンテンツ、例えば、テキストメッセージ、オーディオコンテンツ（例えば、歌、着信音、オーディオジョーク、等）、アニメーション、ビジュアル画像、映像コンテンツ、マルチメディアコンテンツ、等を含むメッセージを、コアネットワークを介してその他のモバイルデバイス又は通信デバイスに送信することができる。メッセージングのタイプは、例えば、ショートメッセージサービス（ＳＭＳ）と、拡張メッセージングサービス（ＥＭＳ）と、マルチメディアメッセージングサービス（ＭＭＳ）と、を含むことができる。コンテンツは、コアネットワークを介して希望されるモバイルデバイスにコンテンツを送信することができるコンテンツプロバイダ（例えば、付加価値サービスのプロバイダ）によって提供することができ、コンテンツプロバイダは、コンテンツを含むメッセージを送信するモバイルデバイスユーザ、商業エンティティ、等を含むことができる。
【００３７】
従来においては、コンテンツは、コンテンツの性質にかかわらずコンテンツプロバイダによってモバイルデバイスに送信することができる。従って、例えば、成人向けコンテンツ（例えば、成人向けのジョーク、成人向けのピクチャ、成人向けのビデオ、暴力を含む画像及び／又は言葉）が子供又はその他の影響を受けやすい人によって用いられているモバイルデバイスに送信される可能性がある。望ましくないコンテンツ（例えば、成人向けコンテンツ）が受信されない及び／又は認識されないことが望まれることの該当者である一定のユーザの通信デバイス（例えば、モバイルデバイス）によってそれらの望ましくないコンテンツが受信されないように通信デバイスに提供されているコンテンツを制御可能であることが望ましい。例えば、モバイルデバイス（例えば、１１６）を有する親は、一定のコンテンツ（例えば、成人向けコンテンツ）がモバイルデバイスによって受信されてその親の子供によって閲覧されることがないようにモバイルデバイスによって受信されるコンテンツを制御するのを希望することができる（例えば、親は、子供自身のモバイルデバイスを子供に提供するか、又は子供が親から離れた場所にいるときに親のモバイルデバイスを用いることを許容する）。
【００３８】
様々な態様により、主題の革新は、モバイルデバイスユーザ（例えば、加入者）がユーザのモバイルデバイス（例えば、１１６）によってどのコンテンツを受信することができるかを指定するためにレーティングシステムを用いるのを可能にすることができる。ユーザは、モバイルデバイス１１６、コアネットワークの担当者（ｒｅｐｒｅｓｅｎｔａｔｉｖｅ）への音声呼、及び／又はコアネットワークと関連づけられたウェブサイトを介してモバイルデバイス１１６のためのコンテンツレーティング優先度を希望されるコンテンツレーティングにセキュリティが確保された形で設定することができる。主題の革新は、コンテンツプロバイダによって決定及び提供することができるコンテンツレーティングに少なくとも部分的に基づいてコンテンツをレーティングすることができ又はコンテンツを分析することに少なくとも部分的に基づいて（例えば、コアネットワーク、モバイルデバイス１１６によって）自動的に決定する（推測する）ことができ、コンテンツのレーティングは、予め定義されたコンテンツレーティング基準に少なくとも部分的に基づいて決定することができる。主題の革新は、モバイルデバイス１１６のためのコンテンツレーティング優先度を満たしていないコンテンツ（例えば、成人向けコンテンツ）がモバイルデバイス１１６によって受信されないようにする及び／又はモバイルデバイス１１６を用いて認識されないようにするために、モバイルデバイス１１６のユーザ（例えば、加入者）によって指定することができる予め定義されたコンテンツレーティング優先度に少なくとも部分的に基づいてコンテンツをフィルタリングすることを容易にすることができる（例えば、フィルタリングされたコンテンツは、セキュリティが確保されたコンテンツフォルダ内に格納することができるが、セキュリティコードが提供されまで認識することができない）。
【００３９】
図２を参照し、ここにおいて提示される様々な実施形態によりモバイルデバイスに提供されたコンテンツを制御することを容易にすることができる無線通信システム２００を示す。システム２００は、無線ネットワーク環境において（例えば、音声、データ）を通信することができるモバイルデバイス１１６を備えることができる。システム２００は、無線通信環境においてモバイルデバイス１１６にサービスを提供し及びモバイルデバイス１１６と接続（例えば、無線接続）状態にある基地局であることができる基地局１０２を含むことができる。モバイルデバイス１１６及び基地局１０２は、各々、例えばシステム１００に関して、例えばここにおいてさらに詳細に説明されるような、各々のコンポーネントと同じであるか又は類似であることができ、及び／又は同じ又は類似の機能を備えることができることが評価及び理解されるべきである。システム２００では１つのモバイルデバイス１１６及び１つの基地局１０２のみが示される一方で、システム２００は実質的にあらゆる希望される数のモバイルデバイス及び基地局を含むことができるため、主題の革新はそのように限定されないことがさらに評価及び理解されるべきである。
【００４０】
一実施形態により、モバイルデバイス（例えば、１１６）は、モバイルデバイス１１６をコアネットワーク２０２及びコアネットワーク２０２と関連づけられたその他のモバイルデバイス（例えば、１２２）及び／又は通信デバイスに通信可能な形で接続することができるようにするために、コアネットワーク２０２内の基地局１０２に通信可能な形で接続する（例えば、無線接続する）ことができる。コアネットワーク２０２は、コアネットワーク２０２と関連づけられたモバイルデバイス（例えば、１１６）にコンテンツを提供することができる１つ以上のコンテンツプロバイダ２０４と関連づけることができる。コンテンツプロバイダ２０４は、コンテンツプロバイダ２０４と関連づけられたコンテンツを提供することを容易にするためにモバイルデバイス（例えば、１２２）、コンピュータ、及び／又はその他の通信デバイスを利用することができる。システム２００では３つのコンテンツプロバイダが示される一方で、システム２００は実質的にあらゆる希望される数のモバイルプロバイダを含むことができ、３つよりも少ないコンテンツプロバイダ、３つのコンテンツプロバイダ、又は３つよりも多いコンテンツプロバイダであることができるため、主題の革新はそのように限定されないことがさらに評価及び理解されるべきである。
【００４１】
コンテンツプロバイダ２０４は、モバイルデバイス１１６にコンテンツを送信することを希望することができる。一態様により、モバイルデバイス１１６は、予め定義されたコンテンツレーティング基準に少なくとも部分的に基づいてモバイルデバイス１１６のユーザ（例えば、加入者）によって希望されるのに従って一定のコンテンツ（例えば、成人向けコンテンツ）をフィルタリングするために利用することができるコンテンツレーティング優先度と関連づけることができる。一態様において、希望されないコンテンツがモバイルデバイス１１６によって受信されないようにするための希望されないコンテンツのフィルタリングに関連する、希望されるコンテンツレーティング優先度は、モバイルデバイス１１６によってコアネットワーク２０２に送信することができる。希望されるコンテンツレーティング優先度は、モバイルデバイス１１６のユーザによって指定することができる。
【００４２】
一実施形態により、システム２００は、コンテンツプロバイダがコアネットワーク２０２を介してユーザ（例えば、加入者）のモバイルデバイス１１６に提供することを試みる一定のコンテンツ（例えば、成人向けコンテンツ）をフィルタリングして排除することを容易にするためにモバイルデバイス１１６及びユーザのアカウントと関連づけられたコンテンツレーティング優先度を動的に設定するためにコアネットワーク２０２にメッセージ（例えば、ＳＭＳメッセージ）を送信するためにユーザがモバイルデバイス１１６を使用するのを可能にするためにメッセージングプロトコル（例えば、ＳＭＳプロトコル）に追加することができる１つ以上の追加のコマンド（例えば、ＳＭＳコマンド）を採用することができる。一態様において、ユーザは、コアネットワーク２０２と関連づけられた担当者（例えば、オペレータ）への音声呼、コアネットワーク２０２と関連づけられたウェブサイト（例えば、加入者は、コアネットワーク２０２と関連づけられたウェブサイトにアクセスするために無線通信デバイス又はコンピュータ型デバイスを用いることができる）、及び／又はコアネットワーク２０２と関連づけられた及び／又は通信することができる他のタイプの通信を用いた他の通信形態を介して希望されるコンテンツレーティング優先度をコアネットワーク２０２に提供することができる。
【００４３】
様々な態様により、コンテンツプロバイダによって送信されるメッセージ（例えば、ＳＭＳメッセージ、ＥＭＳメッセージ、ＭＭＳメッセージ）に関して、コンテンツレーティングシステムを採用することを容易にするために、コンテンツプロバイダ２０４がモバイルデバイス１１６に送信することを試みているコンテンツと関連づけられたコンテンツレーティングを示すためのコンテンツレーティングを含むことができるメッセージにプロトコルフィールドを追加することができる。追加のプロトコルフィールドは、ＥＭＳコンテンツの有無にかかわらず、モバイル着信（ｍｏｂｉｌｅ  ｔｅｒｍｉｎａｔｅｄ）（ＭＴ）メッセージ、モバイル発信（ｍｏｂｉｌｅ  ｏｒｉｇｉｎａｔｅｄ）（ＭＯ）メッセージ、及び／又はブロードキャストＳＭＳメッセージ内に存在することができる。例えば、ＣＤＭＡ、ＳＭＳに関して、コンテンツレーティング優先度のためのサブパラメータ（例えば、テレサービスレイヤサブパラメータ）を、（１）サブパラメータ：レーティング、（２）ＩＤ：次の使用可能なサブパラメータＩＤ番号、（３）長さ：１、及び（４）値：０乃至２５５として追加することができ、ここで、希望されるコンテンツレーティングシステムは、値を用いて実装又はマッピングすることができる。他の例として、ＣＤＭＡ及びＧＳＭ／ＵＭＴＳ  ＳＭＳに関して、ＥＭＳヘッダを、（１）ヘッダ：レーティング、（２）ＩＤ：次の使用可能なＥＭＳヘッダＩＤ番号、（３）長さ：１、及び（４）値：０乃至２５５として追加することができ、ここで、希望されるコンテンツレーティングシステムは、値を用いて実装又はマッピングすることができる。例えば、開示される主題の一態様により、モバイルデバイス１１６が希望されるコンテンツレーティング基準値を含むＳＭＳメッセージをコアネットワーク２０２に送信するのを可能にするために新しいＳＭＳメッセージタイプを追加することができ、ここで、コンテンツレーティングサブパラメータ（例えば、テレサービスレイヤサブパラメータ、ＥＭＳヘッダ）は、ＳＭＳメッセージにおいて指定されたコンテンツレーティング優先度値によりモバイルデバイス１１６に送信されているコンテンツをフィルタリングすることをコアネットワーク２０２に命令するのを容易にするために新しいＳＭＳメッセージタイプに含めることができる。代替として、コンテンツのためのコンテンツレーティングは、メッセージの本体に含めることができる。例えば、メッセージの本体内のキーワードは、コンテンツレーティングがメッセージに含まれることを示すことができる（例えば、コンテンツレーティングは、メッセージ内のキーワードに引き続く値であることができる）。
【００４４】
さらに他の態様により、コンテンツのためのコンテンツレーティングは、数字、単語、アイコン、等に少なくとも部分的に基づいて設定することができる。例えば、コンテンツレーティングは、０乃至Ｎの範囲の数字であることができ、ここで、Ｎは、実質上あらゆる希望される整数（例えば、２５５）であることができる。コンテンツレーティング値を上回るコンテンツレーティングを有するコンテンツは、フィルタリングして排除することができ、コンテンツレーティング値を下回るコンテンツは、モバイルデバイス１１６によって受信すること及びモバイルデバイス１１６のユーザによって閲覧することができる。
【００４５】
一実施形態により、コアネットワーク２０２は、ユーザによって指定されたコンテンツレーティング優先度に少なくとも部分的に基づいてコンテンツを自動的にフィルタリングすることができる。コアネットワーク２０２は、（例えば、モバイルデバイス１１６と関連づけられた）ユーザのアカウントのためのコンテンツレーティング優先度メニュー内のコンテンツレーティング優先度パラメータをユーザによって指定されたコンテンツレーティング優先度値に設定することができる。一態様においては、モバイルデバイス１１６と関連づけられたコンテンツレーティング優先度は、数字、単語、アイコン、等に少なくとも部分的に基づいて設定することができる。例えば、コンテンツレーティング優先度は、０乃至Ｎの範囲の数字であることができ、ここで、Ｎは、実質上あらゆる希望される整数（例えば、２５５）であることができ、及び、コンテンツレーティング優先度値の範囲（例えば、０乃至Ｎ）は、コンテンツレーティングの範囲（例えば、０乃至Ｎ）と同じであることができる。コンテンツレーティング値を上回るコンテンツレーティングを有するコンテンツは、フィルタリングして排除することができ、コンテンツレーティング値を下回るコンテンツは、モバイルデバイス１１６によって受信すること及びモバイルデバイス１１６のユーザによって閲覧することができる。従って、例えば、２５５に設定されたコンテンツレーティング優先度が与えられた場合は、２５５の最高のコンテンツレーティングはコンテンツレーティング優先度よりも大きくならないため、いずれのコンテンツもフィルタリングされて排除されない。他の例として、モバイルデバイス１１６に関して２００のコンテンツレーティング優先度、及びコンテンツプロバイダ２０４からのコンテンツに関して２３０のコンテンツレーティングが与えられた場合は、そのコンテンツレーティングはコンテンツレーティング優先度よりも高いため、コンテンツはフィルタリングして排除することができる。
【００４６】
一態様において、コンテンツプロバイダ２０４がユーザのモバイルデバイス１１６にコンテンツを送信することを試みるときには、コアネットワーク２０２は、コンテンツを分析することができ及びコンテンツと関連づけられたコンテンツレーティングを取り出す及び／又は決定することができる。コアネットワーク２０２は、指定されたコンテンツレーティング優先度に少なくとも部分的に基づいてコンテンツと関連づけられたコンテンツレーティングを評価することができ（例えば、コンテンツのコンテンツレーティング値は、ユーザによって設定されたコンテンツレーティング優先度値と比較することができ）、コンテンツのコンテンツレーティングが予め定義されたコンテンツレーティングスレショルドを満たしていない（例えば、コンテンツが指定されたコンテンツレーティング優先度値よりも高いコンテンツレーティング値を有する）場合は、コアネットワーク２０２は、コンテンツを自動的にフィルタリングして排除することができる。
【００４７】
一態様において、希望されるのに応じて、フィルタリングされて排除されたコンテンツは、廃棄（例えば、削除）されてモバイルデバイス１１６に提供されないようにすることができ、又はセキュリティが確保されたコンテンツフォルダにアクセスする権限を付与された特定のエンティティ（例えば、加入者、例えば、親）によってしかアクセスすることができないコアネットワーク２０２に格納することができるセキュリティが確保されたコンテンツフォルダ内に入れてモバイルデバイス１１６に提供されないようにすることができる。コンテンツがコンテンツレーティングを満たしている（例えば、コンテンツのコンテンツレーティング値が指定されたコンテンツレーティング優先度値と同じか又は下回る）とコアネットワーク２０２が決定した（例えば、自動的に決定した）場合は、コアネットワーク２０２は、モバイルデバイス１１６にコンテンツを送信することができる。セキュリティが確保されたコンテンツフォルダへのアクセスは、例えば、セキュリティが確保されたコンテンツフォルダと関連づけることができるセキュリティコード（例えば、個人識別番号）（ＰＩＮ）、パスワード、パスフレーズ、生体認証識別、等）を用いることによって制御することができる。セキュリティが確保されたコンテンツフォルダにアクセスするためには、セキュリティが確保されたコンテンツフォルダのための適切なセキュリティコードをコアネットワーク２０２に提示しなければならない。他の態様においては、希望されるのに応じて、ユーザのモバイルデバイス１１６又は通信デバイス（例えば、コンピュータ）に通知（例えば、テキストメッセージ、音声メール、電子メール、等）を送信することができ、通知は、コンテンツがフィルタリングされて排除されていることをユーザに知らせることを容易にするためにコンテンツがフィルタリングされて排除されていることを示すことができる。
【００４８】
他の実施形態により、モバイルデバイス１１６自体が、モバイルデバイス１１６のユーザによって指定されたコンテンツレーティング優先度に少なくとも部分的に基づいてコンテンツプロバイダによってモバイルデバイス１１６に送信されるコンテンツを自動的にフィルタリングすることができ、コンテンツレーティング優先度は、モバイルデバイス１１６のレーティング優先度に入力及び格納することができる。一態様において、モバイルデバイス１１６は、コンテンツを分析することができ及びコンテンツと関連づけられたコンテンツレーティングを取り出す及び／又は決定することができる。モバイルデバイス１１６は、モバイルデバイス１１６に送信されたコンテンツのコンテンツレーティングを評価することができ及びモバイルデバイス１１６のためのレーティング優先度において設定されている指定されたコンテンツレーティング優先度とそのコンテンツレーティングを比較することができる。コンテンツのコンテンツレーティングが予め定義されたコンテンツレーティングスレショルドを満たしていない（例えば、コンテンツが、指定されたコンテンツレーティング優先度値よりも高いコンテンツレーティング値を有する）とモバイルデバイス１１６が決定した（例えば、自動的に決定した）場合は、モバイルデバイス１１６は、コンテンツをフィルタリングして排除することができる。一態様において、フィルタリングされて排除されたコンテンツは、廃棄することができ、又は任意選択で、モバイルデバイス１１６によって受信してモバイルデバイス１１６内に存在することができるセキュリティが確保されたコンテンツフォルダ内に入れることができ、セキュリティが確保されたコンテンツフォルダは、セキュリティが確保されたコンテンツフォルダにアクセスする権限を付与されたエンティティ（例えば、加入者、例えば、親）によってアクセスすることができる。従って、例えば、モバイルデバイスユーザの子供がモバイルデバイス１１６を所有中又は使用中である場合は、その子供は、（その子供がセキュリティが確保されたコンテンツフォルダにアクセスするためのセキュリティコードを有さないかぎり）セキュリティが確保されたコンテンツフォルダ内のフィルタリングされて排除されたコンテンツにアクセスすることはできない）。コンテンツがコンテンツレーティングを満たしている（例えば、コンテンツのコンテンツレーティング値が指定されたコンテンツレーティング優先度値と同じか又は下回る）とモバイルデバイス１１６が決定した場合は、モバイルデバイス１１６は、コンテンツを受信することができ及びコンテンツは現在のユーザ（例えば、ユーザ、ユーザの子供、等）によってアクセスすることができる。セキュリティが確保されたコンテンツフォルダへのアクセスは、例えば、セキュリティが確保されたコンテンツフォルダと関連づけることができるセキュリティコード（例えば、個人識別番号）（ＰＩＮ）、パスワード、パスフレーズ、生体認証識別、等）を用いることによって制御することができる。セキュリティが確保されたコンテンツフォルダにアクセスするためには、セキュリティが確保されたコンテンツフォルダのための適切なセキュリティコードをモバイルデバイス１１６に提示しなければならない。
【００４９】
さらに他の実施形態により、コアネットワーク２０２及び／又はモバイルデバイス１１６は、コンテンツプロバイダ２０４がモバイルデバイス１１６に送信することを試みているコンテンツ（例えば、コンテンツレーティングを含まないコンテンツ）のためのコンテンツレーティングを決定又は推測することができる。一態様において、コアネットワーク２０２及び／又はモバイルデバイス１１６は、コンテンツを分析及び分類することによってコンテンツのためのコンテンツレーティングを推測することができる。推測は、確率、すなわち、データ及びイベントの検討に基づいた対象状態にわたる確率分布であることができる。推測は、一組のイベント及び／又はデータからより高いレベルのイベントを組み立てるために採用される技法を意味することもできる。該推測の結果、一組の観察されたイベント及び／又は格納されたイベントデータ（来歴的データ）が時間的に近接した状態で相互に関連しているかどうかにかかわらず、及びこれらのイベント及びデータが１つの又は幾つかのイベント及びデータソースからのものであるかどうかにかかわらず、これらのイベント及び／又はデータから新しいイベント又は動作が構築される。様々な分類（明示で及び／又は暗黙に訓練された）方式及び／又はシステム（例えば、サポートベクトルマシン、ニューラルネットワーク、エキスパートシステム、ベイジアン確信ネットワーク、ファジーロジック、データ融合エンジン、等）を、開示された主題と関係させて自動的な及び／又は推測された動作を行う（例えば、コンテンツレーティングを生成する、コンテンツをフィルタリングして排除する、等）と関係させて採用することができる。
【００５０】
さらに他の実施形態により、コアネットワーク２０２及び／又はモバイルデバイス１１６は、モバイルデバイス１１６がモバイルデバイス１１６と関連づけられた１つ以上の連絡先リストに少なくとも部分的に基づいてレーティングされていないコンテンツを備えるメッセージを受信すべきかどうかを決定することができる。一態様において、コアネットワーク２０２は、レーティングされていないコンテンツを備えるメッセージをコンテンツプロバイダ２０４から受信することができる。コアネットワーク２０２は、レーティングされていないコンテンツの現在の通信よりも以前の予め決められた期間中における連絡先を含む１つ以上の連絡先リスト、例えば、モバイルデバイス１１６が連絡したことがある連絡先（例えば、コンテンツプロバイダ２０４）のリスト及び／又はモバイルデバイス１１６に連絡したことがある連絡先のリスト、を取り出して再検討（例えば、分析）することができる。コアネットワーク２０２は、レーティングされていないコンテンツを提供するコンテンツプロバイダ２０４がモバイルデバイス１１６と関連づけられた指定された連絡先リスト（例えば、モバイルデバイス１１６のユーザ及び／又はコアネットワーク２０２によって選択された連絡先リスト）上に存在する場合は現在のメッセージ及びレーティングされていないコンテンツをモバイルデバイス１１６に送信することができると決定することができ、コンテンツプロバイダ２０４が指定された連絡先リスト上に存在しない場合は、コアネットワーク２０２は、希望されるのに応じて、レーティングされていないコンテンツをフィルタリングして排除すること及びモバイルデバイス１１６と関連づけられたセキュリティが確保されたコンテンツフォルダ内に格納すること又はフィルタリングされて排除されたコンテンツを廃棄することができる。レーティングされてないコンテンツをコアネットワーク２０２によってフィルタリングする方針は、希望されるのに応じて、コアネットワーク２０２又はモバイルデバイス１１６のユーザによって指定することができる。
【００５１】
他の態様においては、モバイルデバイス１１６は、コアネットワーク２０２を介してコンテンツプロバイダ２０４からレーティングされていないコンテンツを備えるメッセージを受信することができる。モバイルデバイス１１６は、レーティングされていないコンテンツの現在の通信よりも以前の予め決められた期間中における連絡先を含む１つ以上の連絡先リスト、例えば、モバイルデバイス１１６が連絡したことがある連絡先（例えば、コンテンツプロバイダ２０４）のリスト(例えば、ローカルな格納された発信メッセージ又はコールリスト)、モバイルデバイス１１６に連絡したことがある連絡先のリスト（例えば、ローカルな格納された着信メッセージ又はコールリスト）、モバイルデバイス１１６に連絡したことがある連絡先のリスト（例えば、ローカルな格納された着信メッセージ又はコールリスト）、モバイルデバイス１１６と関連づけられた格納された連絡先のリスト（例えば、ローカルな格納された連絡先リスト）、を取り出す及び再検討（例えば、分析）することができる。モバイルデバイス１１６は、レーティングされていないコンテンツを提供しているコンテンツプロバイダ２０４がモバイルデバイス１１６と関連づけられた指定された連絡先リスト（例えば、モバイルデバイス１１６のユーザによって選択された連絡先リスト）上に存在する場合は、現在のメッセージ及びレーティングされていないコンテンツをモバイルデバイス１１６によって認識する（例えば、表示する）ことができると決定することができ、コンテンツプロバイダ２０４が指定された連絡先リスト上に存在しない場合は、モバイルデバイス１１６は、希望されるのに応じて、レーティングされていないコンテンツをフィルタリングして排除すること及びモバイルデバイス１１６と関連づけられたセキュリティが確保されたコンテンツフォルダ内に格納すること又はフィルタリングされた排除されたコンテンツを廃棄することができる。希望されるのに応じて、レーティングされていないコンテンツをモバイルデバイス１１６のユーザによってフィルタリングする方針。
【００５２】
開示される主題の一態様により、モバイルデバイス１１６のユーザは、ユーザによって希望されるのに応じて、個々のコンテンツプロバイダ２０４をブロックすることができる。モバイルデバイスユーザは、コンテンツレーティングを含むコンテンツを送信するコンテンツプロバイダ２０４及び／又はレーティングされていないコンテンツを送信するコンテンツプロバイダ２０４をブロックすることができる。
【００５３】
さらに他の態様においては、メッセージは、２つ以上のコンテンツを備えることができる。一態様において、メッセージに含められた各々のコンテンツは、各々のコンテンツレーティングを含むことができ、それは、メッセージ内に含めることもできる。コアネットワーク２０２及び／又はモバイルデバイス１１６は、コンテンツレーティングスレショルドを満たしていないメッセージ内のどのようなコンテンツも（例えば、送信されているメッセージの送信先であるモバイルデバイス１１６と関連づけられたコンテンツレーティング優先度よりも高いコンテンツレーティングを有するどのようなコンテンツも）フィルタリングして排除することができ、及び、コンテンツレーティングスレショルドを満たしているあらゆるコンテンツ（例えば、送信されているメッセージの送信先であるモバイルデバイス１１６と関連づけられたコンテンツレーティング優先度と同じか又はそれよりも低いコンテンツレーティングを有するあらゆるコンテンツ）を備える編集されたメッセージをモバイルデバイス１１６によって受信することができ及びモバイルデバイス１１６のユーザによって認識することができる。さらに他の態様においては、メッセージが２つ以上のコンテンツを含むときには、コンテンツレーティングは、メッセージ内のコンテンツのための全コンテンツレーティングと比較して最高のコンテンツレーティングを有するコンテンツのためのコンテンツレーティングに少なくとも部分的に基づいて割り当てることができ、コンテンツは、最高のコンテンツレーティングに少なくとも部分的に基づいてフィルタリングすることができる。
【００５４】
他の態様においては、モバイルデバイス１１６と関連づけられたコンテンツレーティング優先度を制御する（例えば、設定、確立、修正する）ためのコンテンツレーティング優先度メニューへのアクセスは、モバイルデバイス１１６、モバイルデバイス１１６と通信するコアネットワーク２０２、コアネットワーク２０２と関連づけられた担当者（例えば、音声呼を介してユーザと話すコアネットワーク２０２の担当者、又は電話呼を介してユーザと対話するコアネットワークと関連づけられた自動化された担当者）、及び／又はコアネットワークと関連づけられたウェブサイトを介してセキュリティを確保する（例えば、制御する）ことができ、コンテンツレーティング優先度は、コンテンツレーティング優先度パラメータと関連づけられたセキュリティコード（例えば、個人識別番号（ＰＩＮ）、パスワード、パスフレーズ、等）を用いてセキュリティを確保することができる。コンテンツレーティング優先度の設定は、（モバイルデバイス１１６と関連づけられたコンテンツレーティング優先度メニューと関連づけられた）適切なセキュリティコード（例えば、モバイルデバイス１１６を用いてコアネットワークに送信されるＳＭＳコマンド等のコマンドを用いて提供されるセキュリティコード、コアネットワーク２０２のウェブサイトを介して提供されるセキュリティコード、コアネットワーク２０２の担当者に提供されるセキュリティコード、等）をコアネットワーク２０２に提供することによって、又は、モバイルデバイス１１６がコンテンツフィルタリングを行っている場合は、適切なセキュリティコードをモバイルデバイス１１６内に入力することによって（例えば、コンテンツレーティング優先度メニューにおいてセキュリティコードを入力することによって）設定又は修正することができる。希望されるのに応じて、コンテンツレーティング優先度のためのセキュリティコードは、セキュリティが確保されたコンテンツフォルダと関連づけられたセキュリティコードと同じ又は異なることができる。
【００５５】
さらに他の態様においては、コンテンツをレーティングするための予め定義されたコンテンツレーティング基準は、言葉（例えば、ユーザが、文言の性的又は暴力的性質に起因して、そのユーザ又はその他、例えば、子供、にとって不快であるとみなすその文言）の使用、オーディオコンテンツの性質（例えば、ユーザが、口頭での言葉の性的又は暴力的性質に起因して、そのユーザ又はその他、例えば、子供、にとって不快であるとみなすそれらの言葉）、ビジュアルなコンテンツの性質（例えば、ビジュアルな描写の性的な性質、例えば、ヌード又は剥き出しの衣服、又はビジュアルな描写の暴力的な性質に起因して、ユーザ又はその他、例えば、子供、を不快にさせることがあるビジュアルな描写）、コンテンツのタイプ（例えば、テキスト、オーディオ、ビデオ、等）、成人向けコンテンツと成人向けでないコンテンツを区別することに関連するその他の基準、等、に少なくとも部分的に基づくことができる。例えば、予め定義されたコンテンツレーティング基準を採用することで、野卑な言葉を含むコンテンツ（例えば、テキスト、オーディオ、マルチメディア）は、穏当な言葉を含むコンテンツよりも高いコンテンツレーティングを有することができ、卑猥な言葉を含むコンテンツは、野卑な言葉を含むコンテンツよりも高いコンテンツレーティングを有することができる。他の例として、予め定義されたコンテンツレーティング基準を採用することで、ほとんど服を着ていない状態の人を描いたビジュアル画像（例えば、ピクチャ、ビデオ、マルチメディア）は、穏当であるとみなされる物のビジュアル画像よりも高いコンテンツレーティングを与えることができ、ヌード又は一部がヌード（例えば、性器を露出している）の人を描いたビジュアル画像は、ほとんど服を着ていない状態の人を描いたコンテンツよりも高いコンテンツレーティングを与えることができる。
【００５６】
他の態様においては、モバイルデバイス１１６は、現在のコンテンツレーティング優先度設定が何かを問い合わせるためにコアネットワーク２０２に問い合わせを送信することができる。コアネットワーク２０２は、現在のコンテンツレーティング優先度設定をモバイルデバイス１１６に送信することができる。例えば、モバイルデバイス１１６が現在のコンテンツレーティング優先度設定をコアネットワーク２０２に問い合わせるのを可能にすることを容易にするために新しいＳＭＳメッセージタイプを加えることができる。
【００５７】
希望されるのに応じて、モバイルデバイス１１６に関して２つ以上のコンテンツレーティング優先度が存在できることが評価及び理解されるべきである。例えば、第１の値を有することができ及びテキストコンテンツに適用することができる第１のコンテンツレーティング優先度が存在することができ、及び、異なる値を有することができ及びビデオコンテンツに適用することができる第２のコンテンツレーティング優先度が存在することができる。希望されるのに応じて、追加のコンテンツレーティング優先度が存在することができる。さらに、希望されるのに応じて、設定されてコアネットワーク２０２に格納された、モバイルデバイス１１６と関連づけられた第１のコンテンツレーティング優先度、及びモバイルデバイス１１６においてローカルで設定して格納することができる他のコンテンツレーティング優先度が存在することができる。例えば、モバイルデバイスユーザ（例えば、親）は、その携帯電話ユーザがモバイルデバイス１１６を他のユーザ（例えば、モバイルデバイスユーザの子供）に一時的に与えており、他のユーザがモバイルデバイス１１６を所有及び／又は使用している間はコンテンツプロバイダ２０４によってモバイルデバイス１１６に送信することが可能である一定のコンテンツ（例えば、成人向けコンテンツ）を他のユーザが認識できないようにするためにその一定のコンテンツがフィルタリングされて排除されるのを希望するときにコアネットワーク２０２において設定されて格納されるモバイルデバイス１１６のためのリモートコンテンツレーティング優先度よりも低い値であるローカルコンテンツレーティング優先度をモバイルデバイス１１６において設定して格納することを希望することができる。
【００５８】
主題の革新は、希望されないコンテンツ（例えば、成人向けコンテンツ）が各々のモバイルデバイス（例えば、１１６）によって受信されないようにモバイルデバイス１１６のユーザが希望されないコンテンツを効率的にフィルタリングするのを可能にすることを容易にすることができる。その結果、主題の革新は、希望されないコンテンツがモバイルデバイス１１６の一定のユーザ（例えば、モバイルデバイス１１６と関連づけられた加入者の子供）によって受信及び／又は認識されないようにすることを容易にすることができる。様々な実施形態により、希望されないコンテンツは特定のモバイルデバイスに送信される前に廃棄すること又はネットワーク内において再ルーティングすることができるため、ユーザの各々のコンテンツレーティング優先度に少なくとも部分的に基づいたコアネットワーク２０２による希望されないコンテンツのフィルタリングは、ネットワークにおけるトラフィックを低減させることを容易にすることができる。その他の実施形態により、モバイルデバイスのためのローカルコンテンツレーティング優先度を設定することは、例えば、モバイルデバイス（例えば、１１６）のユーザ（例えば、親）が、モバイルデバイスを他のユーザ（例えば、モバイルデバイスユーザの子供）に一時的に与えており、他のユーザがモバイルデバイスを所有及び／又は使用している間はコンテンツプロバイダによってモバイルデバイスに送信することが可能である一定のコンテンツ（例えば、成人向けコンテンツ）を他のユーザが認識しないようにすることを希望する場合に、モバイルデバイスのためのコンテンツレーティング優先度に少なくとも部分的に基づいてモバイルデバイスによって希望されないコンテンツを効率的にフィルタリングすることを容易にすることができる。さらに、主題の革新は、ユーザによって希望されるのに応じてコンテンツをユーザに提供することができるため、コンテンツプロバイダ２０４がより効率的にそれらの事業を運営すること及びコンテンツをユーザに提供することを可能にするのを容易にすることができる（例えば、ユーザの各々の年齢に少なくとも部分的に基づいて異なるユーザに対して異なるコンテンツを提供することができる）。このように、主題の革新は、従来のシステム又は技法と比較して、コンテンツプロバイダ２０４によってモバイルデバイス１１６（例えば、無線通信デバイス）に送信されているコンテンツのより効率的な及び望ましいコンテンツフィルタリングを採用することができる。
【００５９】
図３を参照し、開示される主題の一態様によりモバイルデバイスに送信された一定のコンテンツをフィルタリングすることを容易にするためにコンテンツレーティング優先度を採用することができるシステム例３００が示される。システム３００は、無線ネットワーク環境において（例えば、音声、データを）通信することができるモバイルデバイス１１６を備えることができる。システム３００は、無線通信環境においてモバイルデバイス１１６にサービスを提供し及びモバイルデバイス１１６と接続状態にある基地局であることができる基地局１０２を含むこともできる。モバイルデバイス１１６は、基地局１０２を介してコアネットワーク２０２に接続することができる。１つ以上のコンテンツプロバイダ２０４は、コアネットワーク２０２と関連づけられたモバイルデバイス（例えば、１１６）にコンテンツを送信することを容易にするためにコアネットワーク２０２と関連づけることができる。モバイルデバイス１１６、基地局１０２、コアネットワーク２０２、及びコンテンツプロバイダ２０４は、各々が、例えばシステム１００及び／又はシステム２００に関して、例えばここにおいてより完全に説明されているような、各々のコンポーネントと同じであるか又は類似であることができ、及び／又は同じ又は類似する機能を備えることができることが評価及び理解されるべきである。システム３００では１つのモバイルデバイス１１６、１つの基地局１０２、及び１つのコンテンツプロバイダ２０４のみが描かれている一方で、システム３００は、実質上あらゆる希望される数のモバイルデバイス１１６、基地局１０２、及びコンテンツプロバイダ２０４を含むことができるため、主題の革新はそのように限定されない。
【００６０】
一態様により、モバイルデバイス１１６は、モバイルデバイス１１６のためのコンテンツレーティング優先度を設定及び／又は修正することを容易にするためにコアネットワーク２０２に提供することができるコマンド、例えば、コンテンツレーティング優先度を含むことができるコマンド、を生成することを容易にすることができるコマンド生成器３０２を備えることができる。コマンド生成器３０２は、モバイルデバイス１１６と関連づけられた現在のコンテンツレーティング優先度設定をコアネットワーク２０２に要求するためにコアネットワークに問い合わせるためのコマンドを生成することもできる。コマンド生成器３０２によって生成されたコマンドは、指定されたプロトコル（例えば、ＳＭＳプロトコル、ＥＭＳプロトコル、ＭＭＳプロトコル、等）に従って構築化することができる。
【００６１】
他の態様により、モバイルデバイス１１６は、モバイルデバイス１１６のための希望されるコンテンツレーティング優先度を設定することを容易にするためにアクセスすることができるアカウントメニュー３０４を含むこともできる。例えば、アカウントメニュー３０４は、コンテンツレーティング優先度を設定することを容易にするための情報を入力するためにアクセスすることができるコンテンツレーティング優先度メニューを含むことができる。コンテンツレーティング優先度は、コンテンツレーティング優先度に従ったコンテンツフィルタリングを容易にするためにコアネットワーク２０２によってコンテンツレーティング優先度を設定することを容易にするために（例えば、モバイルデバイス１１６がコンテンツのフィルタリングを行うときにモバイルデバイス１１６によって利用するために）モバイルデバイス１１６内に格納することができ及び／又は（例えば、コアネットワーク２０２がコンテンツのフィルタリングを行うときにコアネットワーク２０２によって利用するために）コアネットワーク２０２に送信することができる。
【００６２】
さらに他の態様においては、モバイルデバイス１１６は、モバイルデバイス１１６と関連づけられたコンテンツレーティング優先度設定及び／又はセキュリティが確保されたコンテンツフォルダへのアクセスを制御することを容易にすることができるアクセスコントローラ３０６を含むことができる。アクセスコントローラ３０６は、各々のセキュリティコードに少なくとも部分的に基づいてコンテンツレーティング優先度設定及び／又はセキュリティが確保されたコンテンツフォルダへのアクセスを制御することができる。コンテンツレーティング優先度設定へのアクセスを得るためには、コンテンツレーティング優先度設定に関連する適切なセキュリティコードを提供しなければならない（例えば、モバイルデバイス１１６がコンテンツフィルタリングを行うときにはモバイルデバイス１１６に提供し、コアネットワーク２０２がコンテンツフィルタリングを行うときにはコアネットワークに提供しなければならない）。セキュリティが確保されたコンテンツフォルダへのアクセスを得るためには、セキュリティが確保されたコンテンツフォルダに関連する適切なセキュリティコードを提供しなければならない（例えば、モバイルデバイス１１６がコンテンツフィルタリングを行うときにはモバイルデバイス１１６に提供し、コアネットワーク２０２がコンテンツフィルタリングを行うときにはコアネットワークに提供しなければならない）。各々のセキュリティコードは、希望されるのに応じて、同じであることができ又は異なることができる。
【００６３】
さらに他の態様においては、モバイルデバイス１１６は、モバイルデバイス１１６と関連づけられた情報の制御（例えば、フロー）に関連する決定を行うことを容易にするためにモバイルデバイス１１６において受信又は格納された情報（例えば、コンテンツ）を評価することができる評価器３０８を備えることができる。一実施形態により、モバイルデバイス１１６は、モバイルデバイス１１６のユーザによって指定されたコンテンツレーティング優先度に少なくとも部分的に基づいてコンテンツプロバイダ２０４から受信されたメッセージ（例えば、ＳＭＳメッセージ、ＥＭＳメッセージ、ＭＭＳメッセージ、等）に含まれるコンテンツをフィルタリングすることを容易にすることができるコンテンツフィルタ３１０を任意選択で採用することができる。コンテンツフィルタ３１０は、コンテンツをフィルタリングするために評価器３０８と連係して動作することができる。例えば、評価器３０８は、指定されたコンテンツレーティング優先度とともにコンテンツプロバイダ２０４によって提供されたコンテンツがフィルタリングされて排除されるべきかどうかを決定するために提供されたコンテンツを評価することができる。コンテンツがフィルタリングされて排除されるべきであることを評価器３０８が決定した場合は、コンテンツフィルタ３１０は、提供されたコンテンツをフィルタリングして排除し、希望されるのに応じて、コンテンツ廃棄するか又はフィルタリングされたコンテンツをセキュリティが確保されたコンテンツフォルダに格納することができる。
【００６４】
他の態様においては、モバイルデバイス１１６は、モバイルデバイス１１６が他のデバイス（例えば、モバイルデバイス１２２）に送信中であるコンテンツのためのコンテンツレーティングを生成することを容易にすることができるレーティング生成器３１２を任意選択で含むことができる。レーティング生成器３１２は、送信されるべきコンテンツを分析することに少なくとも部分的に基づいてコンテンツレーティングを自動的に生成することができ、又はレーティング生成器３１２は、ユーザからの入力に少なくとも部分的に基づいてレーティングを生成することができる。コンテンツレーティングは、コンテンツを備えるメッセージがモバイルデバイス１１６から他のモバイルデバイス（例えば、１２２）に送信されるときにコンテンツとともに提供することができる。さらに他の態様においては、レーティング生成器３１２は、予め定義されたコンテンツレーティング基準に少なくとも部分的に基づいてコンテンツプロバイダ２０４によってモバイルデバイス１１６に提供されたコンテンツ（例えば、コンテンツレーティングを含まないコンテンツ）のためのレーティングを決定又は推測することができる。決定された又は推測されたコンテンツレーティングは、コンテンツと関連づけることができ、及び、コンテンツフィルタ３１０と連係する評価器３０８は、決定された又は推測されたコンテンツレーティングに少なくとも部分的に基づいて提供されたコンテンツがフィルタリングされて排除されるべきか又はモバイルデバイス１１６によって受信されるべきかを決定することができる。評価器３０８は、コンテンツのためのコンテンツレーティングを決定することを容易にするためにレーティング生成器３１２と連係して動作することができる。
【００６５】
他の態様においては、モバイルデバイス１１６は、情報、例えば、データ、コンテンツレーティング優先度情報、コンテンツレーティング情報、予め定義されたコンテンツレーティング基準、コマンド情報、プロトコル情報、セキュリティコード情報、アクセス制御情報、コンテンツフィルタリング情報、及び／又はモバイルデバイス１１６及び無線通信環境における通信に関連する情報、を格納することができるデータストア（ｄａｔａ  ｓｔｏｒｅ）３１４を備えることができる。例えば、コンテンツプロバイダ２０４がモバイルデバイス１１６に送信することを試みるコンテンツをフィルタリングすることを容易にするために希望されるコンテンツレーティング優先度をコアネットワーク２０２に通信するためのコマンドを生成することを容易にするためにデータストア３１４からコマンド情報を取り出すことができる。
【００６６】
一態様により、ここにおいて説明されるデータストア３１４は、揮発性メモリ及び／又は非揮発性メモリを備えることができる。一例として及び限定することなしに、非揮発性メモリは、読み取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、フラッシュメモリ、及び／又は非揮発性ランダムアクセスメモリ（ＮＶＲＡＭ）を含むことができる。揮発性メモリは、外部のキャッシュメモリとして動作することができるランダムアクセスメモリ（ＲＡＭ）を含むことができる。一例として及び限定することなしに、ＲＡＭは、数多くの形態、例えば、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、及びダイレクトランバス（Ｒａｍｂｕｓ）ＲＡＭ（ＤＲＲＡＭ）、で入手可能である。データストア３１４は、限定されることなしに、これらの及びその他の適切なタイプのメモリを備えることが意図される。
【００６７】
図４を参照し、開示される主題の一態様によりモバイルデバイスに提供されたコンテンツのフィルタリングを容易にするためにコンテンツレーティングを採用することができるシステム例４００が示される。システム４００は、無線ネットワーク環境において（例えば、音声、データを）通信することができるモバイルデバイス１１６を備えることができる。システム４００は、無線通信環境においてモバイルデバイス１１６にサービスを提供し及びモバイルデバイス１１６と接続状態にある基地局であることができる基地局１０２を含むこともできる。モバイルデバイス１１６は、基地局１０２を介してコアネットワーク２０２に接続することができる。１つ以上のコンテンツプロバイダ２０４は、コアネットワーク２０２と関連づけられたモバイルデバイス（例えば、１１６）にコンテンツを送信することを容易にするためにコアネットワーク２０２と関連づけることができる。モバイルデバイス１１６、基地局１０２、コアネットワーク２０２、及びコンテンツプロバイダ２０４は、各々が、例えばシステム１００、システム２００、及び／又はシステム３００に関して、例えばここにおいてより完全に説明されているような各々のコンポーネントと同じであるか又は類似することができ、及び／又は同じ又は類似する機能を備えることができることが評価及び理解されるべきである。システム４００では１つのモバイルデバイス１１６、１つの基地局１０２、及び１つのコンテンツプロバイダ２０４のみが示される一方で、システム４００は、実質上あらゆる希望される数のモバイルデバイス１１６、基地局１０２、及びコンテンツプロバイダ２０４を含むことができるため、主題の革新はそのように限定されないことがさらに評価及び理解されるべきである。
【００６８】
一態様により、コアネットワーク２０２は、モバイルデバイス１１６と関連づけられた１つ以上のユーザとそれぞれ関連づけられた１つ以上のユーザアカウントを管理及び維持することができるアカウントコーディネータ４０２を含むことができる。ユーザアカウントは、情報、例えば、ユーザ及び／又はモバイルデバイス１１６に関連する識別情報、コンテンツレーティング優先度情報、セキュリティ情報（例えば、セキュリティコード情報）、及び／又は関連づけられたユーザ又はモバイルデバイス１１６と関連づけられたその他の情報、を含むことができる。ユーザのモバイルデバイス１１６に向けられたコンテンツがコアネットワーク２０２によって受信されたときに、アカウントコーディネータ４０２は、コンテンツプロバイダ２０４がユーザのモバイルデバイス１１６に送信することを試みているコンテンツをフィルタリングすることを容易にするためのユーザのコンテンツレーティング優先度を取り出すためにユーザのユーアカウントにアクセスすることを容易にすることができる。
【００６９】
さらに他の態様においては、コアネットワーク２０２は、モバイルデバイス１１６と関連づけられたコンテンツレーティング優先度設定及び／又はセキュリティが確保されたコンテンツフォルダへのアクセスを制御することを容易にすることができるアクセスコントローラ４０４を含むことができる。アクセスコントローラ４０４は、各々のセキュリティコードに少なくとも部分的に基づいてコンテンツレーティング優先度設定及び／又はセキュリティが確保されたコンテンツフォルダへのアクセスを制御することができる。コンテンツレーティング優先度設定へのアクセスを得るためには、コンテンツレーティング優先度設定に関連する適切なセキュリティコードをアクセスコントローラ４０４に提供しなければならない。セキュリティが確保されたコンテンツフォルダへのアクセスを得るためには、セキュリティが確保されたコンテンツフォルダに関連する適切なセキュリティコードをアクセスコントローラ４０４に提供しなければならない。セキュリティコードは、モバイルデバイス１１６（例えば、モバイルデバイス１１６にセキュリティコードを入力してコアネットワーク２０２、コアネットワーク２０２の呼担当者、等に送信する）、コアネットワーク２０２と関連づけられたウェブサイト、及び／又はコアネットワーク２０２にセキュリティコードを提供することができる他の通信デバイスを用いることを介して提供することができる。各々のセキュリティコードは、希望されるのに応じて、同じであることができ又は異なることができる。
【００７０】
さらに他の態様においては、コアネットワーク２０２は、コアネットワーク２０２によって受信された又はコアネットワーク２０２に格納された情報を分析すること、コアネットワーク２０２による送信のための情報を生成すること、及び／又はコアネットワーク２０２の１つ以上のコンポーネントを制御することを専用とするプロセッサ、マイクロプロセッサ、及び／又はコントローラを備えることができるプロセッサ４０６を備えることができる。他の態様においては、コアネットワーク２０２は、コアネットワーク２０２及びコアネットワーク２０２と関連づけられたモバイルデバイス（例えば、１１６、１２２）と関連づけられた情報の制御（例えば、フロー）に関連する決定を行うことを容易にするためにコアネットワーク２０２において受信又は格納された情報（例えば、コンテンツ）を評価することができる評価器４０８を備えることができる。
【００７１】
一実施形態により、コアネットワーク２０２は、モバイルデバイス１１６のユーザによって指定されたコンテンツレーティング優先度に少なくとも部分的に基づいてコンテンツプロバイダ２０４からモバイルデバイス１１６へのメッセージ（例えば、ＳＭＳメッセージ、ＥＭＳメッセージ、ＭＭＳメッセージ、等）に含めることができるコンテンツをフィルタリングすることを容易にすることができるコンテンツフィルタ４１０を任意選択で採用することができる。コンテンツフィルタ４１０は、コンテンツをフィルタリングするために評価器４０８と連係して動作することができる。例えば、評価器４０８は、モバイルデバイス１１６と関連づけられた指定されたコンテンツレーティング優先度とともにコンテンツプロバイダ２０４によって提供されたコンテンツがフィルタリングされて排除されるべきか又はモバイルデバイス１１６に配送されるべきかを決定するためにその提供されたコンテンツを評価することができる。コンテンツがフィルタリングされて排除されるべきであることを評価器４０８が決定した場合は、コンテンツフィルタ４１０は、提供されたコンテンツをフィルタリングして排除し、希望されるのに応じて、コンテンツを廃棄するか又はフィルタリングされたコンテンツをセキュリティが確保されたコンテンツフォルダに格納することができる。
【００７２】
他の態様においては、コアネットワーク２０２は、コンテンツプロバイダ２０４がモバイルデバイス１１６に送信することを試みているコンテンツ（例えば、レーティングされていないコンテンツ）のためのコンテンツレーティングを生成することを容易にすることができるレーティング生成器４１２を任意選択で含むことができる。レーティング生成器４１２は、コンテンツプロバイダ２０４によって提供されたコンテンツのためのレーティングを自動的に決定するか又は推測することができ及び提供されたコンテンツを分析すること及び予め定義されたコンテンツレーティング基準に少なくとも部分的に基づいてコンテンツプロバイダがモバイルデバイス１１６に送信することを試みているコンテンツのためのコンテンツレーティングを自動的に生成することができる。コンテンツレーティングは、コンテンツと関連づけることができ及び生成されたコンテンツレーティングは、コンテンツがフィルタリングされて排除されるべきか又はモバイルデバイス１１６に送信されるべきかを決定するためにコンテンツフィルタ４１０と連係して評価器４０８によって評価することができる。評価器４０８は、コンテンツのためのコンテンツレーティングを分析及び決定することを容易にするためにレーティング生成器４１２と連係して動作することができる。
【００７３】
さらに他の態様においては、コアネットワーク２０２は、情報、例えば、データ、コンテンツレーティング優先度情報、コンテンツレーティング情報、予め定義されたコンテンツレーティング基準、コマンド情報、プロトコル情報、セキュリティコード情報、アクセス制御情報、コンテンツフィルタリング情報、ユーザアカウント情報、及び／又はコアネットワーク２０２、基地局１０２、又はモバイルデバイス（例えば、１１６）に関連するその他の情報、及び／又は無線通信環境における通信にその他の形で関連する情報、を格納することができるデータストア４１４を含むことができる。例えば、コンテンツがコンテンツプロバイダ２０４によってモバイルデバイス１１６に送信されているときには、コアネットワーク２０２は、希望されないコンテンツの効率的なフィルタリングを容易にするために提供されたコンテンツがフィルタリングされて排除されるべきかどうかを決定することを容易にするためにモバイルデバイス１１６と関連づけられたコンテンツレーティング優先度に少なくとも部分的に基づいて提供されたコンテンツのコンテンツレーティングを評価することを容易にするためにモバイルデバイス１１６と関連づけられたユーザのユーザアカウントからコンテンツレーティング優先度を取り出すことができる。
【００７４】
一態様により、ここにおいて説明されるデータストア４１４は、揮発性メモリ及び／又は非揮発性メモリを備えることができる。一例として及び限定することなしに、非揮発性メモリは、読み取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、フラッシュメモリ、及び／又は非揮発性ランダムアクセスメモリ（ＮＶＲＡＭ）を含むことができる。揮発性メモリは、外部のキャッシュメモリとして動作することができるランダムアクセスメモリ（ＲＡＭ）を含むことができる。一例として及び限定することなしに、ＲＡＭは、数多くの形態、例えば、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、及びダイレクトランバスＲＡＭ（ＤＲＲＡＭ）、で入手可能である。データストア４１４は、限定されることなしに、これらの及びその他の適切なタイプのメモリを備えることが意図される。
【００７５】
図５は、開示される主題の一態様によりモバイルデバイスに提供されたコンテンツのフィルタリングを容易にするためにコンテンツレーティングを採用することができるシステム例５００を示す。システム５００は、無線ネットワーク環境において（例えば、音声、データを）通信することができるモバイルデバイス１１６を備えることができる。システム５００は、無線通信環境においてモバイルデバイス１１６にサービスを提供し及びモバイルデバイス１１６と接続状態にある基地局であることができる基地局１０２を含むこともできる。モバイルデバイス１１６は、基地局１０２を介してコアネットワーク２０２に接続することができる。１つ以上のコンテンツプロバイダ２０４は、コアネットワーク２０２と関連づけられたモバイルデバイス（例えば、１１６）にコンテンツ（及び／又は関連づけられたコンテンツレーティング）を備えるメッセージ（例えば、ＳＭＳメッセージ、ＥＭＳメッセージ、ＭＭＳメッセージ、等）を送信することを容易にするためにコアネットワーク２０２と関連づけることができる。モバイルデバイス１１６、基地局１０２、コアネットワーク２０２、及びコンテンツプロバイダ２０４は、各々が、例えばシステム１００、システム２００、システム３００、及び／又はシステム４００に関して、例えばここにおいてより完全に説明されているような、各々のコンポーネントと同じであるか又は類似であることができ、及び／又は同じ又は類似する機能を備えることができることが評価及び理解されるべきである。システム５００では１つのモバイルデバイス１１６、１つの基地局１０２、及び１つのコンテンツプロバイダ２０４のみが示されている一方で、システム５００は、実質上あらゆる希望される数のモバイルデバイス１１６、基地局１０２、及びコンテンツプロバイダ２０４を含むことができるため、主題の革新はそのように限定されないことがさらに評価及び理解されるべきである。
【００７６】
一態様により、コンテンツプロバイダ２０４は、コンテンツプロバイダ２０４によって受信又は格納された情報を分析すること、コンテンツプロバイダ２０４による送信のための情報を生成すること、及び／又はコンテンツプロバイダ２０４の１つ以上のコンポーネントを制御することを専用とするプロセッサ、マイクロプロセッサ、及び／又はコントローラを備えることができるプロセッサ５０２を含むことができる。他の態様においては、コンテンツプロバイダ２０４は、予め定義されたコンテンツレーティング基準に少なくとも部分的に基づいて各々のコンテンツのための各々のコンテンツレーティングを決定することを容易にするためにコンテンツプロバイダ２０４がモバイルデバイス（例えば、１１６、１２２）に提供することを希望する情報（例えば、コンテンツ）を評価することができる評価器５０４を備えることができる。
【００７７】
他の態様においては、コンテンツプロバイダ２０４は、コンテンツプロバイダ２０４がモバイルデバイス１１６に送信することを希望するコンテンツのためのコンテンツレーティングを生成することを容易にすることができるレーティング生成器５０６を備えることができる。レーティング生成器５０６は、コンテンツプロバイダ２０４によって提供されたコンテンツのためのレーティングを自動的に決定又は推測することができ及び提供されたコンテンツ及び予め定義されたコンテンツレーティング基準を分析することに少なくとも部分的に基づいてコンテンツプロバイダがモバイルデバイス１１６に送信することを希望するコンテンツのためのコンテンツレーティングを自動的に生成することができる。コンテンツレーティングは、コンテンツと関連づけることができ、コンテンツレーティングは、コンテンツを備えるメッセージ内のレーティングサブパラメータ又はヘッダ（例えば、ＳＭＳサブパラメータ：レーティング、ＥＭＳヘッダ：レーティング）に含めることができ及び／又はコンテンツレーティングは、メッセージの本体内に含めることができ、ここで、コンテンツレーティングがメッセージの本体内のどの場所に存在するかを示すためにキーワードを採用することができる。評価器５０４は、コンテンツのためのコンテンツレーティングを分析及び決定することを容易にするためにレーティング生成器５０６と連係して動作することができる。
【００７８】
さらに他の態様においては、コンテンツプロバイダ２０４は、コンテンツプロバイダ２０４と関連づけられた情報を受信すること（例えば、コアネットワーク２０２から情報を受信すること、モバイルデバイス１１６から情報を受信すること、等）及び／又は情報を送信すること（例えば、コアネットワーク２０２を介してコンテンツレーティングを有するコンテンツをモバイルデバイス１１６に送信すること）を容易にすることができるコミュニケータ５０８を含むことができる。さらに他の態様においては、コンテンツプロバイダ２０４は、情報、例えば、データ（例えば、コンテンツ）、コンテンツのためのコンテンツレーティングを決定及び生成することに関連する情報、プロトコル情報、予め定義されたコンテンツレーティング基準、及び／又はコンテンツプロバイダ２０４、コアネットワーク２０２、基地局１０２、又はモバイルデバイス（例えば、１１６）に関連するその他の情報、及び／又は無線通信環境における通信にその他の形で関連する情報、を格納することができるデータストア５１０を含むことができる。例えば、コンテンツプロバイダ２０４は、希望されないコンテンツの効率的なフィルタリングを容易にするためにモバイルデバイス１１６にコンテンツを送信する前にコンテンツのためのコンテンツレーティングを決定することを容易にするためにデータストア５１０からコンテンツ及び予め定義されたコンテンツレーティング基準を取り出すことができる。
【００７９】
一態様により、ここにおいて説明されるデータストア５１０は、揮発性メモリ及び／又は非揮発性メモリを備えることができる。一例として及び限定することなしに、非揮発性メモリは、読み取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、フラッシュメモリ、及び／又は非揮発性ランダムアクセスメモリ（ＮＶＲＡＭ）を含むことができる。揮発性メモリは、外部のキャッシュメモリとして動作することができるランダムアクセスメモリ（ＲＡＭ）を含むことができる。一例として及び限定することなしに、ＲＡＭは、数多くの形態、例えば、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、及びダイレクトランバスＲＡＭ（ＤＲＲＡＭ）、で入手可能である。データストア５１０は、限定されることなしに、これらの及びその他の適切なタイプのメモリを備えることが意図される。
【００８０】
図６乃至９を参照し、無線通信環境においてコンテンツプロバイダのコンテンツを効率的にレーティングすること及びコンテンツプロバイダによってモバイルデバイス（例えば、１１６）に送信されたコンテンツ（例えば、希望されないコンテンツ）をフィルタリングすることに関連する方法が説明される。説明を単純化することを目的として、これらの方法は一連の行為として示されて説明される一方で、幾つかの行為は、１つ以上の実施形態により、ここにおいて示されて説明される順序と異なる順序で及びその他の行為と同時並行して生じることができるため、これらの方法は行為の順序によって限定されないことが理解及び評価されるべきである。例えば、方法は例えば状態図内におけるように一連の相互に関連する状態又はイベントとして代替で表すことが可能であることを当業者は理解及び評価するであろう。さらに、１つ以上の実施形態に従って方法を実装するためにすべての例示される行為が要求されるわけではない。
【００８１】
図６を参照し、開示される主題の一態様により無線通信環境においてモバイルデバイスと関連づけられた通信を容易にするためにモバイルデバイスに送信されているコンテンツをフィルタリングすることを容易にすることができる方法例６００が示される。６０２において、コンテンツは、予め定義されたコンテンツレーティング基準に少なくとも部分的に基づいてレーティングすることができる。一態様において、コンテンツプロバイダ２０４は、予め定義されたコンテンツレーティング基準に少なくとも部分的に基づいて、コンテンツ、例えば、コンテンツプロバイダ２０４がモバイルデバイス１１６に送信することを希望するコンテンツ、をレーティングすることができる。例えば、コンテンツは、希望されないコンテンツ（例えば、成人向けコンテンツ）のフィルタリングを容易にするために成人向け度がより高いコンテンツであるコンテンツはより穏当なコンテンツよりも高いコンテンツレーティングが与えられるようにレーティングすることができる。コンテンツプロバイダ２０４は、コアネットワーク２０２を介してコンテンツ及び／又は関連づけられたコンテンツレーティングを備えるメッセージ（例えば、ＳＭＳメッセージ、ＥＭＳメッセージ、ＭＭＳメッセージ）をモバイルデバイス１１６に送信することができる。様々な実施形態により、コアネットワーク２０２及び／又はコアネットワーク２０２内のモバイルデバイス（例えば、１１６）は、モバイルデバイス１１６に提供されたコンテンツをフィルタリングすることを容易にするために、コンテンツ、例えば、コンテンツプロバイダ２０４によって提供されたレーティングされてないコンテンツ、をレーティングすることができる。
【００８２】
他の態様においては、サブパラメータ又はヘッダ（例えば、ＳＭＳサブパラメータ：レーティング、ＥＭＳヘッダ：レーティング）をメッセージプロトコルに加えることができ及びコンテンツレーティングはメッセージのサブパラメータ又はヘッダ内に含めることができる。代替として、コンテンツレーティングは、メッセージの本体に含めることができ、ここで、コンテンツレーティングがメッセージ内のどの場所に含められているかを示すことを容易にするためにキーワードを含めることができる。
【００８３】
６０４において、コンテンツは、モバイルデバイス１１６と関連づけられたコンテンツレーティング優先度及びコンテンツと関連づけられたコンテンツレーティングに少なくとも部分的に基づいてフィルタリングすることができる。一実施形態においては、コンテンツプロバイダ２０４がモバイルデバイス１１６にコンテンツを送信するのを試みるときには、コアネットワーク２０２は、コンテンツを最初に受信することができ及びメッセージからコンテンツレーティングを取り出すことができ、又はコンテンツ（例えば、レーティングされていないコンテンツ）のためのコンテンツレーティングを決定及び推測することができる。コアネットワーク２０２は、モバイルデバイス１１６と関連づけられたコンテンツレーティング優先度をモバイルデバイス１１６と関連づけられたユーザのユーザアカウントから取り出すことができる。コアネットワーク２０２は、モバイルデバイス１１６のコンテンツレーティング優先度に少なくとも部分的に基づいてコンテンツのコンテンツレーティングを分析することができる（例えば、コアネットワーク２０２は、コンテンツレーティング値をコンテンツレーティング優先度値と比較することができる）。コンテンツレーティングがコンテンツレーティング優先度よりも高いことをコアネットワーク２０２が決定した場合は、コアネットワーク２０２は、コンテンツをフィルタリングして排除することができ、及び、コンテンツレーティングがコンテンツレーティング優先度と同じか又はそれよりも低いことをコアネットワーク２０２が決定した場合は、コアネットワーク２０２は、コンテンツをモバイルデバイス１１６に提供することができることを決定することができ、及びコンテンツをモバイルデバイス１１６に送信することができる。
【００８４】
他の実施形態により、モバイルデバイス１１６は、コンテンツフィルタリングを行うことができる。コンテンツプロバイダ２０４がモバイルデバイス１１６にコンテンツを送信するのを試みるときに、コンテンツは、コアネットワーク２０２を介してモバイルデバイス１１６にルーティングすることができる。
【００８５】
（例えば、コンテンツを表示する前に）ユーザがコンテンツを認識するのを可能にする前に、モバイルデバイス１１６は、コンテンツレーティングをメッセージから取り出すことができ、又はコンテンツ（例えば、レーティングされていないコンテンツ）のためのコンテンツレーティングを決定及び推測することができる。モバイルデバイス１１６は、モバイルデバイス１１６と関連づけられたコンテンツレーティング優先度をモバイルデバイス１１６内のデータストア３１４から取り出すことができる。モバイルデバイス１１６は、モバイルデバイス１１６のコンテンツレーティング優先度に少なくとも部分的に基づいてコンテンツのコンテンツレーティングを分析することができる（例えば、モバイルデバイス１１６は、コンテンツレーティング値をコンテンツレーティング優先度値と比較することができる）。コンテンツレーティングがコンテンツレーティング優先度よりも高いことをモバイルデバイス１１６が決定した場合は、モバイルデバイス１１６は、コンテンツをフィルタリングして排除することができ、及び、コンテンツレーティングがコンテンツレーティング優先度と同じか又はそれよりも低いことをモバイルデバイス１１６が決定した場合は、モバイルデバイス１１６は、コンテンツをモバイルデバイス１１６によって受信することができ及びモバイルデバイス１１６のユーザによって認識することができることを決定することができる。
【００８６】
他の態様においては、フィルタリングされて排除されているコンテンツは、希望されるのに応じて、セキュリティが確保されたコンテンツフォルダに入れることができ、セキュリティが確保されたコンテンツフォルダは、（例えば、コアネットワーク２０２がコンテンツフィルタリングを行うときには）コアネットワーク２０２内に及び（例えば、モバイルデバイス１１６がコンテンツフィルタリングを行うときには）モバイルデバイス１１６内に格納することができる。セキュリティが確保されたコンテンツフォルダは、セキュリティが確保されたコンテンツフォルダと関連づけられた適切なセキュリティコードが提出されないかぎりアクセスすることができない。エンティティ（例えば、モバイルデバイス１１６を使用中の子供の親）は、（例えば、コアネットワーク２０２がセキュリティが確保されたコンテンツフォルダを含むときには）コアネットワーク２０２に又は（例えば、モバイルデバイス１１６がセキュリティが確保されたコンテンツフォルダを含むときには）モバイルデバイス１１６にセキュリティが確保されたコンテンツフォルダと関連づけられた適切なセキュリティコードを提出することができる。
【００８７】
図７を参照し、開示される主題の一態様により無線通信環境においてモバイルデバイスに送信されているコンテンツをフィルタリングすることを容易にするためにコンテンツのためのコンテンツレーティングを決定することができる方法例７００が示される。７０２において、コンテンツを評価することができる。一実施形態においては、コンテンツプロバイダ２０４は、コンテンツ、例えば、コンテンツプロバイダ２０４がモバイルデバイス１１６に送信するのを希望するコンテンツ、を評価することができる。様々なその他の実施形態により、コアネットワーク２０２及び／又はコアネットワーク２０２に接続されたモバイルデバイス１１６は、コンテンツプロバイダ２０４から受信されたコンテンツ、例えば、レーティングされてないコンテンツ、を評価することができる。コンテンツは、モバイルデバイス１１６に送信されているコンテンツをフィルタリングすること（例えば、希望されないコンテンツ、例えば、成人向けコンテンツ、をフィルタリングして排除すること）を容易にするためにコンテンツのためのコンテンツレーティングを生成することを容易にするために予め定義されたコンテンツレーティング基準を用いて評価することができる。
【００８８】
７０４において、コンテンツのためのコンテンツレーティングは、予め定義されたコンテンツレーティング基準に少なくとも部分的に基づいて決定することができる。一実施形態においては、コンテンツプロバイダ２０４は、予め定義されたコンテンツレーティング基準に少なくとも部分的に基づいてコンテンツのためのコンテンツレーティングを決定及び生成することができる。様々なその他の実施形態により、コアネットワーク２０２及び／又はコアネットワーク２０２に接続されたモバイルデバイス１１６は、コンテンツプロバイダ２０４から受信されたコンテンツ（例えば、以前にレーティングされていないコンテンツ）のためのコンテンツレーティングを生成することを容易にするために予め定義されたコンテンツレーティング基準に少なくとも部分的に基づいてコンテンツのためのコンテンツレーティングを決定することができる。
【００８９】
７０６において、コンテンツレーティングは、コンテンツを備えるメッセージ内に挿入することができる。一態様において、コンテンツプロバイダ２０４は、コンテンツを含むメッセージ内にコンテンツに適用可能なコンテンツレーティングを挿入することができる。他の態様においては、サブパラメータ又はヘッダ（例えば、ＳＭＳサブパラメータ：レーティング、ＥＭＳヘッダ：レーティン）をメッセージプロトコルに加えることができ及びコンテンツレーティングをメッセージのサブパラメータ又はヘッダ内に含めることができる。代替として、コンテンツレーティングは、メッセージの本体に含めることができ、ここで、コンテンツレーティングがメッセージ内のどの場所に含められているかを示すことを容易にするためにキーワードをメッセージ内に含めることができる。
【００９０】
一実施形態により、コアネットワーク２０２は、コアネットワーク２０２がコンテンツのためのコンテンツレーティングを評価及び決定してそのコンテンツをモバイルデバイス１１６に提供するときにコンテンツを含むメッセージ内にコンテンツレーティングを挿入することができ、モバイルデバイス１１６は、コンテンツフィルタリングプロセスを実行する。典型的には、コンテンツプロバイダがコンテンツとともにコンテンツレーティングを提供しているときにモバイルデバイス１１６又はコアネットワーク２０２がコンテンツレーティングを決定及び生成する必要がないことが評価及び理解されるべきである。希望されるのに応じて、コンテンツプロバイダ２０４からのレーティングされていないコンテンツはレーティングされていないままであることができ（例えば、コアネットワーク２０２及びモバイルデバイス１１６は、レーティングされていないコンテンツのためのコンテンツレーティングを評価及び決定しない）、及び、モバイルデバイス１１６と関連づけられたコンテンツフィルタリングプロトコル又はコンテンツレーティング優先度によって指定されるのに応じて、レーティングされてないコンテンツは、モバイルデバイス１１６に配送することができ、適切なセキュリティコードを用いてアクセスすることが可能なセキュリティが確保されたコンテンツフォルダに格納することができ、又は廃棄することができる。
【００９１】
図８は、開示される主題の一態様により無線通信環境においてモバイルデバイスに送信されているコンテンツをフィルタリングすることを容易にするためにモバイルデバイスのコンテンツレーティング優先度を確立することができる方法例８００を示す。８０２において、コンテンツレーティング優先度メニューを選択することができる。一態様において、ユーザは、モバイルデバイス１１６のメニュー全体をナビゲート（ｎａｖｉｇａｔｅ）することができ及びコンテンツレーティング優先度メニューを選択することができる。８０４において、コンテンツレーティング優先度と関連づけられたセキュリティコードを受信することができる。一態様において、ユーザは、コンテンツレーティング優先度に関連するセキュリティコードを入力することができ、及びモバイルデバイス１１６は、入力されたセキュリティコードを受信することができる。
【００９２】
８０６において、コンテンツレーティング優先度メニューにアクセスすることができる。一態様において、モバイルデバイス１１６は、受信されたセキュリティコードが有効であるかどうかを決定するために受信されたセキュリティコードを分析することができる。セキュリティコードが有効であることをモバイルデバイス１１６が決定した場合は、モバイルデバイス１１６は、コンテンツレーティング優先度メニューへのアクセスを許可することができ及びこのメニューにアクセスすることができる。セキュリティコードが有効でないことをモバイルデバイス１１６が決定した場合は、モバイルデバイス１１６は、コンテンツレーティング優先度メニューへのアクセスを拒否することができる。様々なその他の態様により、コアネットワーク２０２がコンテンツプロバイダ２０４からのコンテンツのコンテンツフィルタリングを行っているときに、セキュリティコードは、モバイルデバイス１１６と関連づけられたコンテンツレーティング優先度メニューにアクセスすることを容易にするために音声呼を介して、又は通信デバイスを用いる他の通信形態によって、コアネットワーク２０２と関連づけられたウェブサイト、又は担当者（例えば、人、自動化された担当者）に提供することもできる。
【００９３】
８０８において、コンテンツレーティング優先度を受信することができる。一態様において、希望されるコンテンツレーティング優先度は、モバイルデバイス１１６内に入力すること及びコンテンツレーティング優先度設定内に入れることができる。様々なその他の態様により、コアネットワーク２０２がコンテンツプロバイダ２０４からのコンテンツのコンテンツフィルタリングを行っているときに、コンテンツレーティング優先度は、モバイルデバイス１１６と関連づけられたコンテンツレーティング優先度メニューにアクセスすることを容易にするために音声呼を介して、又は通信デバイスを用いる他の通信形態によって、コアネットワーク２０２と関連づけられたウェブサイト、又は担当者（例えば、人、自動化された担当者）に提供することもできる。
【００９４】
８１０において、コンテンツレーティング優先度を格納することができる。一態様において、モバイルデバイス１１６及び／又はコアネットワーク２０２は、ユーザによる指定に従い、モバイルデバイス１１６のためのコンテンツレーティング優先度をコンテンツレーティング優先度設定内に格納することができる。コアネットワーク１１６は、モバイルデバイス１１６と関連づけられたコンテンツレーティング優先度をモバイルデバイスユーザと関連づけられたユーザアカウント内に格納することができ、ユーザアカウントは、コアネットワーク２０２内のデータストア４１４に格納することができる。モバイルデバイス１１６は、希望されるのに応じて、指定されたコンテンツレーティング優先度をモバイルデバイス１１６内のデータストア３１４に格納することができる。モバイルデバイス１１６と関連づけられた希望されるコンテンツレーティング優先度は、コアネットワーク２０２がコンテンツプロバイダ２０４からモバイルデバイス１１６に送信されているコンテンツ（及び／又は関連づけられたコンテンツレーティング）を備えるメッセージ（例えば、ＳＭＳメッセージ、ＥＭＳメッセージ、ＭＭＳメッセージ、等）を受信するときにコンテンツフィルタリングを容易にするために取り出すこと及び利用することができる。コンテンツは、モバイルデバイス１１６のためのコンテンツレーティング優先度及びコンテンツと関連づけられたコンテンツレーティングに少なくとも部分的に基づいてフィルタリングすることができる。
【００９５】
図９は、開示される主題の一態様により無線通信環境においてモバイルデバイスに送信されているコンテンツをフィルタリングすることができる方法例９００を示す。９０２において、コンテンツを受信することができる。一実施形態により、コアネットワーク２０２がコンテンツフィルタリングを行っている場合は、コアネットワーク２０２は、コンテンツプロバイダ２０４からコンテンツを備えるメッセージ（例えば、ＳＭＳメッセージ、ＥＭＳメッセージ、ＭＭＳメッセージ、等）を受信することができる。他の実施形態により、モバイルデバイス１１６がコンテンツフィルタリングを行っている場合は、モバイルデバイス１１６は、コアネットワーク２０２及び基地局１０２を介してコンテンツプロバイダ２０４からコンテンツを備えるメッセージを受信することができる。
【００９６】
９０４において、コンテンツがコンテンツレーティングを含むかどうかに関して決定を行うことができる。一態様において、コアネットワーク２０２及び／又はモバイルデバイス１１６（例えば、いずれかコンテンツフィルタリングを行っている方）は、コンテンツと関連づけられたコンテンツレーティングがメッセージに含められているかどうかを決定するためにメッセージを分析することができる。一態様において、コンテンツレーティングは、メッセージのレーティングサブパラメータ又はレーティングヘッダに含めることができ、又はメッセージの本体に含めることができ、ここで、メッセージ内のキーワードは、コンテンツレーティングを特定するのを容易にすることができる。コンテンツが関連づけられたコンテンツレーティングを有することが決定された場合は、９０６において、コンテンツレーティングを取り出すことができる。一態様において、コアネットワーク２０２及び／又はモバイルデバイス１１６は、コンテンツのための特定されたコンテンツレーティングをメッセージから取り出すことができる。方法９００は、この時点で参照数字９１２に進むことができる。
【００９７】
９０４において、コンテンツがそれに関連づけられたコンテンツレーティングを有さないことが決定された場合は、９０８において、コンテンツを評価することができる。一態様において、コアネットワーク２０２及び／又はモバイルデバイス１１６は、メッセージにおいて提供されたコンテンツのためのコンテンツレーティングが存在しないことを決定することができる。コアネットワーク２０２及び／又はモバイルデバイス１１６は、予め定義されたコンテンツレーティング基準に少なくとも部分的に基づいてコンテンツのためのコンテンツレーティングを決定することを容易にするためにコンテンツを評価（例えば、コンテンツ内のテキスト及び／又は画像を構文解析）することができる。９１０において、コンテンツのためのコンテンツレーティングは、予め定義されたコンテンツレーティング基準に少なくとも部分的に基づいて決定することができる。一態様において、コアネットワーク２０２及び／又はモバイルデバイス１１６は、予め定義されたコンテンツレーティング基準に少なくとも部分的に基づいてコンテンツのためのコンテンツレーティングを決定することができる。例えば、成人向け度がより高いコンテンツ（例えば、コンテンツが性的に露骨なテキスト又は画像を含む、コンテンツが非常に暴力的なテキスト又は画像を含む、コンテンツが非常に猥褻なテキスト又は画像を含む、等）は、より穏当であるコンテンツよりも高いコンテンツレーティング値を割り当てることができる。方法９００は、参照数字９１２に進むことができる。
【００９８】
９１２において、モバイルデバイス１１６と関連づけられたコンテンツレーティング優先度を取り出すことができる。一態様により、コアネットワーク２０２及び／又はモバイルデバイス１１６は、モバイルデバイス１１６と関連づけられたコンテンツレーティング優先度を取り出すことができる。コアネットワーク２０２は、コアネットワーク２０２内のデータストア４１４内のモバイルデバイス１１６と関連づけられたユーザアカウントからコンテンツレーティング優先度を取り出すことができる。モバイルデバイス１１６は、そのデータストア３１４からコンテンツレーティング優先度を取り出すことができる。
【００９９】
９１４において、コンテンツのコンテンツレーティングは、モバイルデバイス１１６と関連づけられたコンテンツレーティング優先度に少なくとも部分的に基づいて評価することができる。一態様において、コアネットワーク２０２及び／又はモバイルデバイス１１６は、コンテンツをモバイルデバイス１１６によって受信する（例えば、受信及び認識する）ことができるか又はフィルタリングされて排除されるべきかどうかを決定することを容易にするために例えばコンテンツのコンテンツレーティングをモバイルデバイス１１６と関連づけられたコンテンツレーティング優先度と比較することによってコンテンツを評価することができる。
【０１００】
９１６において、コンテンツのコンテンツレーティングがモバイルデバイス１１６と関連づけられたコンテンツレーティング優先度よりも高い値を有するかどうかに関して決定を行うことができる。一態様において、コンテンツのコンテンツレーティングの評価の結果に少なくとも部分的に基づいて、コアネットワーク２０２及び／又はモバイルデバイス１６は、コンテンツをモバイルデバイス１１６によって受信（例えば、受信及び認識）することができるかどうか又はフィルタリングされて排除されるべきかどうかを決定することができる。９１６において、コンテンツレーティングがコンテンツレーティング優先度と同じであるか又はそれよりも低いことが決定された場合は、コンテンツのコンテンツレーティングはコンテンツがモバイルデバイス１１６によって受信されるのを可能にするためのコンテンツレーティングスレショルドを満たすと決定することができ、９１８において、コンテンツをモバイルデバイス１１６に提供することができる。例えば、コアネットワーク２０２は、コンテンツのコンテンツレーティングがコンテンツレーティング優先度よりも低く、コンテンツレーティングスレショルドを下回るとみなすことができると決定することができ、コアネットワーク２０２は、コンテンツをモバイルデバイス１１６に送信することができる。モバイルデバイス１１６がコンテンツフィルタリングを実行中である場合で、コンテンツのコンテンツレーティングがモバイルデバイス１１６のコンテンツレーティング優先度と同じであるか又はそれよりも低いことをモバイルデバイス１１６が決定した場合は、モバイルデバイス１１６は、希望されるのに応じて、コンテンツを受信することができ、及び、モバイルデバイス１１６のユーザは、コンテンツを認識することができる。
【０１０１】
再度参照数字９１６を参照し、９１６において、コンテンツのコンテンツレーティングがモバイルデバイス１１６と関連づけられたコンテンツレーティング優先度よりも高いことが決定された場合は、９２０において、コンテンツをフィルタリングして排除することができる。一態様において、コアネットワーク２０２及び／又はモバイルデバイス１１６（いずれかフィルタリングを行っている方）は、コンテンツがモバイルデバイス１１６に送信されない及び／又はモバイルデバイス１１６によって受信されない（例えば、閲覧又はその他の認識のためにモバイルデバイス１１６によって受信されることがない）ようにコンテンツをフィルタリングして排除することができる。
【０１０２】
９２２において、希望されるのに応じて、フィルタリングされて排除されたコンテンツは、廃棄（例えば、削除）すること又はセキュリティが確保されたコンテンツフォルダ内に格納することができる。一態様において、コアネットワーク２０２及び／又はモバイルデバイス１１６は、コンテンツを廃棄するか又はセキュリティが確保されたコンテンツフォルダ（例えば、コアネットワーク２０２内のセキュリティが確保されたコンテンツフォルダ、又はモバイルデバイス１１６内のセキュリティが確保されたコンテンツフォルダ）にコンテンツを格納することができる。モバイルデバイス１１６のユーザ（例えば、親）は、（例えば、セキュリティが確保されたコンテンツフォルダがコアネットワーク２０２に格納されているときには）セキュリティが確保されたコンテンツフォルダのための有効なセキュリティコードをコアネットワーク２０２に提供することによって又は（例えば、セキュリティが確保されたコンテンツフォルダがモバイルデバイス１１６に格納されているときには）有効なセキュリティコードをモバイルデバイス１１６に入力することによってセキュリティが確保されたコンテンツフォルダにアクセスすることができる。他の態様においては、ユーザは、コアネットワーク２０２と関連づけられたウェブサイトを介して有効なセキュリティコードを提供することによってコアネットワーク２０２に格納されたセキュリティが確保されたコンテンツフォルダにアクセスすることができる。
【０１０３】
ここにおいて説明される１つ以上の態様により、ネットワーク内のモバイルデバイス１１６と関連づけられた効率的なコンテンツフィルタリング及び通信を容易にするために、コンテンツと関連づけられたコンテンツレーティングを決定すること、コンテンツがそれと関連づけられたコンテンツレーティングを有するかどうかを決定すること、コンテンツがフィルタリングされて排除されるか又はモバイルデバイス１１６に提供されるべきかを決定すること、コンテンツレーティングを決定及び生成することに関連して推測を行うことができる。ここにおいて用いられる場合において、用語“推測する”又は“推測”は、概して、システム、環境、及び／又はユーザの状態をイベント及び／又はデータを介して取得された一組の観察事項から推量するか又は推測するプロセスを指す。推測は、特定の状況又は行動を識別するために採用することができるか、又は例えば状態に関する確率分布を生成することができる。推測は、確率論的、すなわち、データ及びイベントの考慮に基づいた対象状態に関する確率分布の計算であることができる。推測は、より高いレベルのイベントを一組のイベント及び／又はデータから組み立てるために採用される技法を指すこともできる。該推測の結果として、新しいイベント又は行動が一組の観察されたイベント及び／又は格納されたイベントデータから構築されることになり、これらのイベントが時間的に接近した形で相互に関連しているかどうか、及びこれらのイベント及びデータが１つ又は幾つかのイベント及びデータ源からのものであるかどうかを問わない。
【０１０４】
例えば、上において提示される１つ以上の方法は、コンテンツがそれと関連づけられたコンテンツレーティングを有するかどうかに関する推測を行うことと、コンテンツのためのコンテンツレーティング値を決定することと、コンテンツがフィルタリングされて排除されるか又はモバイルデバイス１１６に提供されるべきかどうかを決定することと、及び／又はコンテンツレーティングを決定及び生成すること、とを含むことができる。上例は例示的な性質を有すること、及び、行うことができる推測の数又は該推測がここにおいて説明される様々な実施形態及び／又は方法と関係させて行われる方法を限定することは意図されないことが評価されるであろう。
【０１０５】
図１０は、開示される主題の一態様により無線通信環境においてモバイルデバイスと関連づけられた通信を容易にすることができるモバイルデバイス１０００を示す。モバイルデバイス１０００は、例えばシステム１００、システム２００、システム３００、システム４００、システム５００、方法６００、方法７００、方法８００、及び方法９００に関して、例えばここにおいてさらに詳細に説明されるような、モバイルデバイス１１６と同じであるか又は類似であることができ、及び／又は同じ又は類似の機能を備えることができることが評価されるべきである。
【０１０６】
モバイルデバイス１０００は、例えば受信アンテナ（示されていない）から信号を受信し、受信された信号に対して典型的な動作を行い（例えば、フィルタリング、増幅、ダウンコンバージョン、等）、コンディショニングされた信号をデジタル化してサンプルを得る受信機１００２を備えることができる。受信機１００２は、例えば、ＭＭＳＥ受信機であることができ、及び受信されたシンボルを復調してそれらをチャネル推定のためにプロセッサ１００６に提供することができる復調器１００４を備えることができる。プロセッサ１００６は、受信機１００２によって受信された情報を分析すること及び／又は送信機１００８による送信のための情報を生成することを専用とするプロセッサ、モバイルデバイス１０００の１つ以上のコンポーネントを制御するプロセッサ、及び／又は受信機１００２によって受信された情報を分析し、送信機１００８による送信のための情報を生成し、及びモバイルデバイス１０００の１つ以上のコンポーネントを制御するプロセッサであることができる。モバイルデバイス１０００は、例えば、基地局（例えば、１０２）、他のモバイルデバイス（例えば、１２２）、等に信号（例えば、データ）を送信することを容易にするために送信機１００８と連係して動作することができる変調器１０１０を備えることも可能である。
【０１０７】
一態様において、プロセッサ１００６は、コマンド、例えば、モバイルデバイス１１６のためのコンテンツレーティング優先度を設定及び／又は修正することを容易にするためにコアネットワーク２０２に提供することができる、コンテンツレーティング優先度に関連するコマンド、を生成することを容易にすることができるコマンド生成器３０２に接続することができる。コマンド生成器３０２は、モバイルデバイス１０００と関連づけられた現在のコンテンツレーティング優先度設定を要求するためにコアネットワーク２０２に問い合わせるためのコマンドを生成することもできる。コマンド生成器３０２によって生成されたコマンドは、指定されたプロトコル（例えば、ＳＭＳプロトコル、ＥＭＳプロトコル、ＭＭＳプロトコル、等）により構造化することができる。他の態様においては、プロセッサ１００６は、モバイルデバイス１０００のために希望されるコンテンツレーティング優先度を設定することを容易にするためにアクセスすることができるアカウントメニュー３０４と接続することができる。例えば、アカウントメニュー３０４は、モバイルデバイス１０００のためのコンテンツレーティング優先度を設定することを容易にするための情報を入力するためにアクセスすることができるコンテンツレーティング優先度メニューを含むことができる。
【０１０８】
プロセッサ１００６は、モバイルデバイス１０００と関連づけられたコンテンツレーティング優先度設定及び／又はセキュリティが確保されたコンテンツフォルダへのアクセスを制御することを容易にすることができるアクセスコントローラ３０６に接続することができる。アクセスコントローラ３０６は、各々のセキュリティコードに少なくとも部分的に基づいてコンテンツレーティング優先度設定及び／又はセキュリティが確保されたコンテンツフォルダへのアクセスを制御することができる。プロセッサ１００６は、モバイルデバイス１０００と関連づけられた情報の制御（例えば、フロー）に関連する決定を行うことを容易にするためにモバイルデバイス１１６において受信又は格納された情報（例えば、コンテンツ）を評価することができる評価器３０８に接続することができ、及び／又はモバイルデバイス１０００に提供されたコンテンツのコンテンツフィルタリングに関連する決定を行うように任意選択で構成することができる。
【０１０９】
一態様により、モバイルデバイス１０００は、任意選択で、プロセッサ１００６と接続することができるコンテンツフィルタ３１０を採用することができ、コンテンツフィルタは、モバイルデバイス１０００のユーザによって指定されたコンテンツレーティング優先度及びコンテンツプロバイダ２０４によってモバイルデバイス１０００に提供されたコンテンツのコンテンツレーティングに少なくとも部分的に基づいてコンテンツをフィルタリングすることを容易にすることができる。コンテンツフィルタ３１０は、コンテンツをフィルタリングするために評価器３０８と連係して動作することができる。他の態様においては、モバイルデバイス１０００は、任意選択で、モバイルデバイス１０００が他のデバイス（例えば、モバイルデバイス１２２）に送信しているコンテンツのためのコンテンツレーティングを生成することを容易にすることができ及び／又はモバイルデバイス１０００に提供されたコンテンツ（例えば、以前にレーティングされていないコンテンツ）のためのコンテンツレーティングを生成することを容易にすることができる。
【０１１０】
モバイルデバイス１０００は、プロセッサ１００６に動作可能な形で結合することができ及び送信されるべきデータ、受信されたデータ、基地局及び／又はセルに関連する情報、モバイルデバイス１０００に関連する情報、及び／又はモバイルデバイス１０００と関連づけられたコンテンツフィルタリング及びデータの通信を容易にすることができるその他の適切な情報を格納することができるデータストア３１４をさらに備えることができる。データストア３１４は、モバイルデバイス１０００のためのコンテンツレーティング優先度を設定すること、コンテンツレーティング優先度メニューへのアクセスを制御すること、セキュリティが確保されたコンテンツフォルダへのアクセスを制御すること、コンテンツ及び／又はコンテンツレーティングを評価すること、コンテンツをフィルタリングすること、コンテンツレーティングを生成すること、コマンドを生成すること、データを格納すること、及び／又はモバイルデバイス１０００に関連するその他の機能と関連づけられたプロトコル及び／又はアルゴリズムをさらに格納することができる。
【０１１１】
コマンド生成器３０２、アカウントメニュー３０４、アクセスコントローラ３０６、評価器３０８、コンテンツフィルタ３１０、レーティング生成器３１２、及びデータストア３１４は、各々が、例えばシステム３００に関して、例えばここにおいてより完全に説明されているような、各々のコンポーネントと同じであるか又は類似であることができ、又は同じ又は類似する機能を備えることができることが評価及び理解されるべきである。コマンド生成器３０２、アカウントメニュー３０４、アクセスコントローラ３０６、評価器３０８、コンテンツフィルタ３１０、レーティング生成器３１２、及びデータストア３１４は、希望されるのに応じて、（示されるように）独立型のユニットであることができ、プロセッサ１００６内に含めることができ、他のコンポーネント内に組み入れることができ、及び／又はそれらの実質上あらゆる適切な組み合わせであることができることがさらに評価及び理解されるべきである。
【０１１２】
図１１は、開示される主題の一態様により無線通信システムにおいてモバイルデバイスと関連づけられた通信を容易にすることができるシステム１１００を示す。システム１１００は、基地局１０２（例えば、アクセスポイント）を備えることができる。基地局１０２は、複数の受信アンテナ１１０４を通じて１つ以上のモバイルデバイス１１６から信号を受信することができる受信機１１０２と、送信アンテナ１１０８を通じて１つ以上のモバイルデバイス１１６に信号（例えば、データ）を送信することができる送信機１１０６と、を含むことができる。受信機１１０２は、受信アンテナ１１０４から情報を受信することができ及び受信された情報を復調することができる復調器１１１０と動作可能な形で関連づけることができる。復調されたシンボルは、受信機１１０２によって受信された情報を分析すること及び／又は送信機１１０６による送信のための情報を生成することを専用とするプロセッサ、基地局１０２の１つ以上のコンポーネントを制御するプロセッサ、及び／又は受信機１１０２によって受信された情報を分析し、送信機１１０６による送信のための情報を生成し、及び基地局１０２の１つ以上のコンポーネントを制御するプロセッサであることができるプロセッサ１１１２によって分析することができる。基地局１０２は、例えば、モバイルデバイス１１６、他のデバイス、等に信号（例えば、データ）を送信することを容易にするために送信機１１０６と連係して動作することができる変調器１１１４を備えることもできる。
【０１１３】
プロセッサ１１１２は、送信されるべきデータ、受信されたデータ、基地局（例えば、基地局１０２）に関連する情報、モバイルデバイス（例えば、１１６）に関連する情報、セルに関連する情報、及び、モバイルデバイス（例えば、１１６）と関連づけられた情報（例えば、音声、データ）の通信を容易にすることができるその他のあらゆる適切な情報を格納することができるデータストア１１１６に結合することができる。データストア１１１６は、モバイルデバイス（例えば、１１６）、他の基地局、セル、又は他のデバイスと関連づけられており及びモバイルデバイス（例えば、１１６）、他の基地局、セル、又は他のデバイスと通信することを容易にするプロトコル及び／又はアルゴリズムをさらに格納することができる。データストア１１１６は、希望されるのに応じて、（示されるように）独立型ユニットであることができ、プロセッサ１１１２内に含めることができ、他のコンポーネント内に組み入れることができ、及び／又はそれらの実質上あらゆる適切な組み合わせであることができることが評価及び理解されるべきである。
【０１１４】
一態様により、データストア１１１６は、揮発性メモリ及び／又は非揮発性メモリを備えることができる。一例により、及び限定することなしに、非揮発性メモリは、読み取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、フラッシュメモリ、及び／又は非揮発性ランダムアクセスメモリ（ＮＶＲＡＭ）を含むことができる。揮発性メモリは、外部のキャッシュメモリとして動作することができるランダムアクセスメモリ（ＲＡＭ）を含むことができる。一例として及び限定することなしに、ＲＡＭは、数多くの形態、例えば、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、及びダイレクトランバスＲＡＭ（ＤＲＲＡＭ）、で入手可能である。データストア１１１６は、限定されることなしに、これらの及びその他の適切なタイプのメモリを備えることが意図される。
【０１１５】
図１２は、開示される主題の一態様による無線通信システム例１２００を示す。無線通信システム１２００は、簡潔にすることを目的として１つの基地局１２１０及び１つのモバイルデバイス１２５０を示す。しかしながら、システム１２００は、２つ以上の基地局及び／又は２つ以上のモバイルデバイスを含むことができ、追加の基地局及び／又はモバイルデバイスは、以下において説明される基地局例１２１０及びモバイルデバイス１２５０と実質的に同様であるか又は異なることができることが評価されるべきである。さらに、基地局１２１０及び／又はモバイルデバイス１２５０は、それぞれの間での無線通信を容易にするためにここにおいて説明されるシステム（図１乃至５、１０及び１１）及び／又は方法（図６乃至９）を採用することができることが評価されるべきである。基地局１２１０及びモバイルデバイス１２５０は、各々が、例えばシステム１００、システム２００、システム３００、システム４００、システム５００、方法６００、方法７００、方法８００、方法９００、システム１０００、及び／又はシステム１１００に関して、例えばここにおいてさらに詳細に説明されるような各々のコンポーネントと各々が同じであるか又は類似であることができ、及び／又は同じ又は類似の機能を各々が備えることができることが評価されるべきである。
【０１１６】
基地局１２１０において、幾つかのデータストリームのためのトラフィックデータがデータソース１２１２から送信（ＴＸ）データプロセッサ１２１４に提供される。一例により、各データストリームは、各々のアンテナを通じて送信することができる。ＴＸデータプロセッサ１２１４は、トラフィックデータストリームのために選択された特定の符号化方式に基づいてそのデータストリームをフォーマット化、符号化、及びインターリービングして符号化されたデータを提供する。
【０１１７】
各データストリームのための符号化されたデータは、直交周波数分割多重（ＯＦＤＭ）技法を用いてパイロットデータと多重化することができる。さらに加えて又は代替で、パイロットシンボルは、周波数分割多重化（ＦＤＭ）、時分割多重化（ＴＤＭ）、又は符号分割多重化（ＣＤＭ）することができる。パイロットデータは、典型的に、既知の方法で処理される既知のデータパターンであり、チャネル応答を推定するためにモバイルデバイス１２５０で用いることができる。各データストリームのための多重化されたパイロット及び符号化されたデータは、変調シンボルを提供するためにそのデータストリームのために選択された特定の変調方式（例えば、バイナリ位相偏移変調（ＢＰＳＫ）、直交位相偏移変調（ＱＰＳＫ）、Ｍ−位相偏移変調（Ｍ−ＰＳＫ）、Ｍ−直交振幅変調（Ｍ−ＱＡＭ、等）に基づいて変調（例えば、シンボルマッピング）することができる。各々のデータストリームのためのデータレート、符号化、及び変調は、プロセッサ１２３０によって実行又は提供される命令によって決定することができる。
【０１１８】
データストリームのための変調シンボルは、ＴＸ  ＭＩＭＯプロセッサ１２２０に提供することができ、それは、（例えば、ＯＦＤＭに関する）変調シンボルをさらに処理することができる。ＴＸ  ＭＩＭＯプロセッサ１２２０は、ＮＴの変調シンボルストリームをＮＴの送信機（ＴＭＴＲ）１２２２ａ乃至１２２２ｔに提供する。様々な実施形態においては、ＴＸ  ＭＩＭＯプロセッサ１２２０は、データストリームのシンボルに対して及びシンボルが送信されている送信元であるアンテナに対してビーム形成重みを加える。
【０１１９】
各送信機１２２２は、各々のシンボルストリームを受信及び処理して１つ以上のアナログ信号を提供し、アナログ信号をさらにコンディショニング（例えば、増幅、フィルタリング、及びアップコンバージョン）してＭＩＭＯチャネルでの送信に適する変調された信号を提供する。さらに、送信機１２２２ａ乃至１２２２ｔからのＮＴの変調された信号は、ＮＴのアンテナ１２２４ａ乃至１２２４ｔからそれぞれ送信される。
【０１２０】
モバイルデバイス１２５０において、送信された変調された信号は、ＮＲのアンテナ１２５２ａ乃至１２５２ｒによって受信され、各アンテナ１２５２からの受信された信号は、各々の受信機（ＲＣＶＲ）１２５４ａ乃至１２５４ｒに提供される。各受信機１２５４は、各々の信号をコンディショニング（例えば、フィルタリング、増幅、及びダウンコンバージョン）し、コンディショニングされた信号をデジタル化してサンプルを提供し、それらのサンプルをさらに処理して対応する“受信された”シンボルストリームを提供する。
【０１２１】
ＲＸデータプロセッサ１２６０は、ＮＲの受信機１２５４からＮＲの受信されたシンボルストリームを受信して特定の受信機処理技法に基づいて処理してＮＴの“検出された”シンボルストリームを提供する。ＲＸデータプロセッサ１２６０は、データストリームのためのトラフィックデータを復元するために各々の検出されたシンボルストリームを復調、デインターリービング、及び復号することができる。ＲＸデータプロセッサ１２６０による処理は、基地局１２１０におけるＴＸ ＭＩＭＯプロセッサ１２２０及びＴＸデータプロセッサ１２１４によって行われるそれを補完するものである。
【０１２２】
プロセッサ１２７０は、いずれのプリコーディング行列を用いるかを定期的に決定することができる（以下において説明）。さらに、プロセッサ１２７０は、行列指数部とランク値部とを備える逆方向リンクメッセージを生成することができる。
【０１２３】
逆方向リンクメッセージは、通信リンク及び／又は受信されたデータストリームに関する様々なタイプの情報を備えることができる。逆方向リンクメッセージは、幾つかのデータストリームのためのトラフィックデータをデータソース１２３６から同じく受信するＴＸデータプロセッサ１２３８によって処理し、変調器１２８０によって変調し、送信機１２５４ａ乃至１２５４ｒによってコンディショニングし、基地局１２１０に送信して戻すことができる。
【０１２４】
基地局１２１０において、モバイルデバイス１２５０からの変調された信号は、アンテナ１２２４によって受信され、受信機１２２２によってコンディショニングされ、復調器１２４０によって復調され、ＲＸデータプロセッサ１２４２によって処理されてモバイルデバイス１２５０によって送信された逆方向リンクメッセージが抽出される。さらに、プロセッサ１２３０は、抽出されたメッセージを処理することができ及びビーム形成重みを決定するためにいずれのプリコーディング行列を用いるかを決定することができる。
【０１２５】
プロセッサ１２３０及び１２７０は、基地局１２１０及びモバイルデバイス１２５０における動作をそれぞれ指示（例えば、制御、調整、管理、等）することができる。各々のプロセッサ１２３０及び１２７０は、プログラムコード及びデータを格納するメモリ１２３２及び１２７２と関連づけることができる。プロセッサ１２３０及び１２７０は、アップリンク及びダウンリンクのための周波数及びインパルス応答推定値をそれぞれ導き出すための計算を行うこともできる。
【０１２６】
一態様において、論理チャネルは、制御チャネル及びトラフィックチャネルに分類される。論理制御チャネルは、システム制御情報をブロードキャストするためのＤＬチャネルであるブロードキャスト制御チャネル（ＢＣＣＨ）を備える。ページング情報を転送するＤＬチャネルであるページング制御チャネル（ＰＣＣＨ）。１つ又は複数のＭＴＣＨのためのマルチメディアブロードキャスト及びマルチキャストサービス（ＭＢＭＳ）スケジューリング及び制御情報を送信するために用いられるポイントツーマルチポイントＤＬチャネルであるマルチキャスト制御チャネル（ＭＣＣＨ）。概して、ＲＲＣ接続を確立後は、このチャネルは、ＭＢＭＳ（注：旧ＭＣＣＨ＋ＭＳＣＨ）を受信するＵＥのみによって用いられる。専用制御チャネル（ＤＣＣＨ）は、専用制御情報を送信し及びＲＲＣ接続を有するＵＥによって用いられるポイントツーポイント双方向チャネルである。一態様において、論理トラフィックチャネルは、ユーザ情報の転送のための、１つのＵＥ専用の、ポイントツーポイント双方向チャネルである専用トラフィックチャネル（ＤＴＣＨ）を備える。さらに、トラフィックデータを送信するためのポイントツーマルチポイントＤＬチャネルのためのマルチキャストトラフィックチャネル（ＭＴＣＨ）。
【０１２７】
一態様において、転送チャネルは、ＤＬ及びＵＬに分類される。ＤＬ転送チャネルは、ブロードキャストチャネル（ＢＣＨ）と、ダウンリンク共有データチャネル（ＤＬ−ＳＤＣＨ）と、ページングチャネル（ＰＣＨ）とを備え、ＵＥ節電のサポートのためのＰＣＨは（ＤＲＸサイクルがネットワークによってＵＥに示される）、セル全体にわたってブロードキャストされ、その他の制御／トラフィックチャネルのために用いることができるＰＨＹリソースにマッピングされる。ＵＬ転送チャネルは、ランダムアクセスチャネル（ＲＡＣＨ）と、要求チャネル（ＲＥＱＣＨ）と、アップリンク共有データチャネル（ＵＬ−ＳＤＣＨ）と、複数のＰＨＹチャネルとを備える。ＰＨＹチャネルは、一組のＤＬチャネルと、ＵＬチャネルと、を備える。
【０１２８】
ＤＬ  ＰＨＹチャネルは、共通パイロットチャネル（ＣＰＩＣＨ）と、同期化チャネル（ＳＣＨ）と、共通制御チャネル（ＣＣＣＨ）と、共有ＤＬ制御チャネル（ＳＤＣＣＨ）と、マルチキャスト制御チャネル（ＭＣＣＨ）と、共有ＵＬ割り当てチャネル（ＳＵＡＣＨ）と、確認応答チャネル（ＡＣＫＣＨ）と、ＤＬ物理共有データチャネル（ＤＬ−ＰＳＤＣＨ）と、ＵＬ電力制御チャネル（ＵＰＣＣＨ）と、ページングインジケータチャネル（ＰＩＣＨ）と、負荷インジケータチャネル（ＬＩＣＨ）と、を備えることができる。
【０１２９】
ＵＬ  ＰＨＹチャネルは、物理ランダムアクセスチャネル（ＰＲＡＣＨ）と、チャネル品質インジケータチャネル（ＣＱＩＣＨ）と、確認応答チャネル（ＡＣＫＣＨ）と、アンテナ部分組インジケータチャネル（ＡＳＩＣＨ）と、共有要求チャネル（ＳＲＥＱＣＨ）と、ＵＬ物理共有データチャネル（ＵＬ−ＰＳＤＣＨ）と、ブロードバンドパイロットチャネル（ＢＰＩＣＨ）と、を備えることができる。
【０１３０】
一態様において、単一搬送波波形の低ＰＡＲのプロパティを保存するチャネル構造が提供される（いずれかの所定の時点において、チャネルは、周波数の点で隣接するか又は均一に配置される）。
【０１３１】
ここにおいて説明される実施形態は、ハードウェア、ソフトウェア、ファームウェア、ミドルウェア、マイクロコード、又はそれらのいずれかの組み合わせにおいて実装することができることが理解されるべきである。ハードウェア実装の場合は、処理ユニットは、ここにおいて説明される機能を果たすように設計された１つ以上の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、その他の電子ユニット、又はそれらの組み合わせ内に実装することができる。
【０１３２】
実施形態がソフトウェア、ファームウェア、ミドルウェア又はマイクロコード、プログラムコード又はコードセグメント内に実装されるときには、それらは、機械によって読み取り可能な媒体、例えば、記憶コンポーネント、内に格納することができる。コードセグメントは、手順、関数、サブプログラム、プログラム、ルーチン、サブルーチン、モジュール、ソフトウェアパッケージ、クラス、又は、命令、データ構造、又はプログラムステートメントの組合せ、を表すことができる。コードセグメントは、情報、データ、引数、パラメータ、又はメモリ内容を渡す及び／又は受け取ることによって他のコードセグメント又はハードウェア回路と結合させることができる。情報、引数、パラメータ、データ、等は、メモリを共有する、メッセージを渡す、トークンを渡す、ネットワーク送信、等を含むあらゆる適切な手段を用いて渡す、転送する、又は送信することができる。
【０１３３】
ソフトウェア実装の場合は、ここにおいて説明される技法は、ここにおいて説明される機能を果たすモジュール（例えば、手順、関数、等）ともに実装することができる。ソフトウェアコードは、メモリユニットに格納すること及びプロセッサによって実行することができる。メモリユニットは、プロセッサ内に又はプロセッサの外部において実装することができ、その場合は、当業において知られる様々な手段を介して通信可能な形でプロセッサに結合させることができる。
【０１３４】
図１３を参照し、無線通信環境においてモバイルデバイスと関連づけられた通信を容易にすることができるシステム１３００が示される。例えば、システム１３００は、モバイルデバイス（例えば、１１６）内に少なくとも部分的に常駐することができる。システム１３００は、プロセッサ、ソフトウェア、又はそれらの組合せ（例えばファームウェア）によって実装される機能を表す機能ブロックであることができる機能ブロックを含むものとして表されることが評価されるべきである。システム１３００は、連係して動作することができる電気的コンポーネントから成る論理グループ１３０２を含む。
【０１３５】
例えば、論理グループ１３０２は、コンテンツレーティング優先度を設定するための電気的コンポーネント１３０４を含むことができる。一態様において、コンテンツレーティング優先度を設定するための電気的コンポーネント１３０４は、コンテンツレーティング優先度メニューへのアクセスを容易にすることができ、希望されるコンテンツレーティング優先度をモバイルデバイス１１６のユーザによって指定すること及びモバイルデバイス１１６と関連づけることができる。コンテンツレーティング優先度は、モバイルデバイス１１６及び／又はコアネットワーク２０２に格納することができる。
【０１３６】
さらに、論理グループ１３０２は、予め定義されたコンテンツレーティング基準に少なくとも部分的に基づいてコンテンツ（例えば、コンテンツプロバイダ２０４によって提供されるコンテンツであって、モバイルデバイス１１６から他のモバイルデバイスに提供されるコンテンツ）のためのコンテンツレーティングを決定するための電気的コンポーネント１３０６を備えることができる。一態様において、コンテンツのためのコンテンツレーティングを決定するための電気的コンポーネント１３０６は、予め定義されたコンテンツレーティング基準に少なくとも部分的に基づいてコンテンツのためのコンテンツレーティングを決定及び生成することができ、コンテンツは、コンテンツのためのコンテンツレーティングを決定することを容易にするために予め定義されたコンテンツレーティング基準を用いて評価することができる。
【０１３７】
論理グループ１３０２は、モバイルデバイス１１６のためのコンテンツレーティング優先度及びコンテンツプロバイダ（例えば、２０４）からのコンテンツのためのコンテンツレーティングに少なくとも部分的に基づいてコンテンツをフィルタリングするための電気的コンポーネント１３０８を含むこともできる。一態様において、コンテンツをフィルタリングするための電気的コンポーネント１３０８は、コンテンツプロバイダ２０４によってモバイルデバイス１１６に提供されたコンテンツと関連づけられたコンテンツレーティング及びモバイルデバイス１１６と関連づけられたコンテンツレーティング優先度に少なくとも部分的に基づいて提供されたコンテンツをフィルタリングすることができる。さらに、システム１３００は、電気的コンポーネント１３０４、１３０６、及び１３０８と関連づけられた機能を実行するための命令を保持することができるメモリ１３１０を含むことができる。電気的コンポーネント１３０４、１３０６、及び１３０８はメモリ１３１０の外部に存在するものとして示されている一方で、これらの電気的コンポーネントのうちの１つ以上は、メモリ１３１０内に存在することができることが理解されるべきである。
【０１３８】
図１４を参照し、無線通信環境においてモバイルデバイスと関連づけられた通信を容易にすることができるシステム１４００が示される。例えば、システム１４００は、基地局１０２を介してモバイルデバイス（例えば、１１６）と関連づける（例えば、無線で接続する）ことができるコアネットワーク２０２内に少なくとも部分的に常駐することができる。システム１４００は、プロセッサ、ソフトウェア、又はそれらの組合せ（例えばファームウェア）によって実装される機能を表す機能ブロックであることができる機能ブロックを含むものとして表されることが評価されるべきである。システム１４００は、連係して動作することができる電気的コンポーネントから成る論理グループ１４０２を含む。
【０１３９】
一態様において、論理グループ１４０２は、モバイルデバイス（例えば、１１６）と関連づけられたコンテンツレーティング優先度を受信するための電気的コンポーネント１４０４を含むことができる。一態様において、モバイルデバイスと関連づけられたコンテンツレーティング優先度を受信するための電気的コンポーネント１４０４は、モバイルデバイス１１６、コアネットワーク２０２と関連づけられたウェブサイト、コアネットワーク２０２と関連づけられた担当者（例えば、生の担当者、自動化された担当者）への電話、又はコアネットワーク２０２との他の通信形態を介してモバイルデバイス１１６と関連づけられたコンテンツレーティング優先度を受信することができる。
【０１４０】
さらに、論理グループ１４０２は、コンテンツを評価するための電気的コンポーネント１４０６を備えることができる。コンテンツを評価するための電気的コンポーネント１４０６は、コンテンツプロバイダ２０４からモバイルデバイス１１６へのメッセージにおいて受信されたコンテンツがモバイルデバイス１１６に送信されるべきか又はフィルタリングされて排除されるべきかを決定することを容易にするためにそのコンテンツを評価することができる。コンテンツを評価するための電気的コンポーネント１４０６は、コンテンツと関連づけられたコンテンツレーティングを評価することができ、コンテンツレーティングは、コンテンツを評価することを容易にするするために予め定義されたコンテンツレーティング基準、及びモバイルデバイス１１６と関連づけられたコンテンツレーティング優先度に少なくとも部分的に基づくことができる。
【０１４１】
さらに、論理グループ１４０２は、モバイルデバイス１１６のコンテンツレーティング優先度及びコンテンツプロバイダ（例えば、２０４）からのコンテンツと関連づけられたコンテンツレーティングに少なくとも部分的に基づいてコンテンツをフィルタリングするための電気的コンポーネント１４０８を備えることができる。一態様において、電気的コンポーネント１４０８は、コンテンツプロバイダ２０４によってモバイルデバイス１１６に提供されたコンテンツと関連づけられたコンテンツレーティング及びモバイルデバイス１１６と関連づけられたコンテンツレーティング優先度に少なくとも部分的に基づいて提供されたコンテンツをフィルタリングすることができる。コンテンツレーティング優先度によって指定されたコンテンツレーティングスレショルドを満たさないコンテンツレーティングを有するコンテンツは、フィルタリングして排除することができ、及び、希望されるのに応じて、廃棄すること又はセキュリティが確保されたコンテンツフォルダに格納することができる。セキュリティが確保されたコンテンツフォルダは、セキュリティが確保されたコンテンツフォルダのための有効なセキュリティコードを提供することによって一定のユーザ（例えば、親）によってアクセスことができる。コンテンツレーティング優先度によって指定されるコンテンツレーティングスレショルドを満たしているコンテンツは、モバイルデバイス１１６に送信することができる。
【０１４２】
論理グループ１４０２は、予め定義されたコンテンツレーティング基準に少なくとも部分的に基づいてコンテンツのためのコンテンツレーティングを決定するための電気的コンポーネント１４１０を含むこともできる。一態様おいて、電気的コンポーネント１４１０は、コンテンツを構文解析する（例えば、コンテンツ内のテキスト及び／又は画像を構文解析）することができ、及び、予め定義されたコンテンツレーティング基準に少なくとも部分的に基づいてコンテンツと関連づけることができるコンテンツレーティングを決定するためにモバイルデバイス１１６に提供されている受信されたコンテンツを分析及び評価することができる。決定されたコンテンツレーティングは、モバイルデバイス１１６に送信されているコンテンツをフィルタリングすることを容易にするために利用することができる。さらに、システム１４００は、電気的コンポーネント１４０４、１４０６、１４０８、及び１４１０と関連づけられた機能を実行するための命令を保持するメモリ１４１２を含むことができる。電気的コンポーネント１４０４、１４０６、１４０８、及び１４１０はメモリ１４１２の外部に存在するものとして示されている一方で、これらの電気的コンポーネントのうちの１つ以上は、メモリ１４１２内に存在することができることが理解されるべきである。
【０１４３】
図１５を参照し、無線通信環境においてモバイルデバイスと関連づけられた通信を容易にすることができるシステム１５００が示される。例えば、システム１５００は、基地局１０２を介してモバイルデバイス（例えば、１１６）と接続されたコアネットワーク２０４と（例えば、有線接続を介して、無線接続を介して）関連づけることができるコンテンツプロバイダ２０４内に少なくとも部分的に常駐することができる。システム１５００は、プロセッサ、ソフトウェア、又はそれらの組合せ（例えばファームウェア）によって実装される機能を表す機能ブロックであることができる機能ブロックを含むものとして表されることが評価されるべきである。システム１５００は、連係して動作することができる電気的コンポーネントから成る論理グループ１５０２を含む。
【０１４４】
一態様において、論理グループ１５０２は、コンテンツのためのコンテンツレーティングを決定するための電気的コンポーネント１５０４を含むことができる。一態様において、コンテンツのためのコンテンツレーティングを決定するための電気的コンポーネント１５０４は、予め定義されたコンテンツレーティング基準に少なくとも部分的に基づいてコンテンツのコンテンツレーティングを決定することができる。
【０１４５】
さらに、論理グループ１５０２は、コンテンツ及びコンテンツと関連づけられたコンテンツレーティングをメッセージ内に挿入するための電気的コンポーネント１５０６を備えることができる。一態様において、コンテンツ及びコンテンツと関連づけられたコンテンツレーティングをメッセージ内に挿入するための電気的コンポーネント１５０６は、メッセージの本体にコンテンツを挿入することができ及びメッセージのサブパラメータ又はヘッダ内にコンテンツレーティングを挿入することができ又はメッセージの本体内にコンテンツレーティングを挿入することができ、メッセージの本体内のキーワードは、コンテンツレーティングがメッセージの本体内のどの場所に所在するかを示すことを容易にすることができる。
【０１４６】
論理グループ１５０２は、コンテンツ及び関連づけられたコンテンツレーティングを備えるメッセージを送信するための電気的コンポーネント１５０８を含むこともできる。一態様において、コンテンツ及び関連づけられたコンテンツレーティングを備えるメッセージを送信するための電気的コンポーネント１５０８は、コアネットワーク２０２に接続された希望されるモバイルデバイス１１６にコンテンツを送信することを容易にし、その一方でコンテンツのコンテンツレーティング及びモバイルデバイス１１６と関連づけられたコンテンツレーティング優先度に少なくとも部分的に基づいた希望されないコンテンツのフィルタリングも容易にするためにコンテンツ及び関連づけられたコンテンツレーティングを備えるメッセージをコアネットワーク２０２に送信することができる。さらに、システム１５００は、電気的コンポーネント１５０４、１５０６、及び１５０８と関連づけられた機能を実行するための命令を保持するメモリ１５１０を含むことができる。電気的コンポーネント１５０４、１５０６、及び１５０８はメモリ１５１０の外部に存在するものとして示されている一方で、これらの電気的コンポーネントのうちの１つ以上は、メモリ１５１０内に存在することができることが理解されるべきである。
【０１４７】
上述されていることは、１つ以上の実施形態の例を含む。当然のことであるが、上記の実施形態を説明することを目的としてコンポーネント又は方法の考えられるあらゆる組み合わせを説明することは可能ではないが、様々な実施形態の数多くのさらなる組み合わせ及び置換が可能であることを当業者は認識することができる。従って、説明される実施形態は、添付された請求項の精神及び適用範囲内にあるあらゆる該変更、修正及び変形を包含することが意図される。さらに、発明を実施するための形態又は請求項の範囲において表現“含む”が用いられている限りにおいて、該表現は、“備える”という表現が請求項において移行語として採用されたときの解釈と同様の包含性を有することが意図される。
【図１】
2014112363.tif 000003
【図２】
2014112363.tif 000004
【図３】
2014112363.tif 000005
【図４】
2014112363.tif 000006
【図５】
2014112363.tif 000007
【図６】
2014112363.tif 000008
【図７】
2014112363.tif 000009
【図８】
2014112363.tif 000010
【図９】
2014112363.tif 000011
【図１０】
2014112363.tif 000012
【図１１】
2014112363.tif 000013
【図１２】
2014112363.tif 000014
【図１３】
2014112363.tif 000015
【図１４】
2014112363.tif 000016
【図１５】
2014112363.tif 000017
【手続補正書】
【提出日】平成25年12月11日(2013.12.11)
【手続補正１】
【補正対象書類名】特許請求の範囲
【補正対象項目名】全文
【補正方法】変更
【補正の内容】
【特許請求の範囲】
【請求項１】
モバイルデバイスと関連づけられた通信を容易にする方法であって、
前記モバイルデバイスと関連づけられた制御レーティング優先度を設定することと、
少なくとも１つのコンテンツを備える少なくとも１つのメッセージを少なくとも１つのコンテンツプロバイダから受信すること、とを備え、前記少なくとも1つのメッセージは、前記少なくとも1つのコンテンツと関連づけられた少なくとも１つのコンテンツレーティングを備え、前記少なくとも1つのコンテンツは、前記制御レーティング優先度及び前記少なくとも1つのコンテンツレーティングに少なくとも部分的に基づいてフィルタリングされる、モバイルデバイスと関連づけられた通信を容易にする方法。
【手続補正書】
【提出日】平成26年3月27日(2014.3.27)
【手続補正１】
【補正対象書類名】特許請求の範囲
【補正対象項目名】全文
【補正方法】変更
【補正の内容】
【特許請求の範囲】
【請求項１】
モバイルデバイスと関連づけられた通信を容易にする方法であって、
前記モバイルデバイスと関連づけられたコンテンツレーティング優先度を設定することと、
少なくとも１つのコンテンツを備える少なくとも１つのメッセージを少なくとも１つのコンテンツプロバイダから受信することと
前記コンテンツレーティング優先度および前記少なくとも１つのコンテンツレーティングに少なくとも部分的に基づいて前記少なくとも１つのコンテンツへのアクセスを制限することと、
前記制限された少なくとも１つのコンテンツを前記モバイルデバイス上のセキュリティが確保されたコンテンツフォルダに格納することと、
前記モバイルデバイスのユーザに、前記コンテンツレーティング優先度を無効にする前記ユーザからのセキュリティコードに応答して前記セキュリティが確保されたコンテンツフォルダ内の前記制限された少なくとも１つのコンテンツにアクセスすることを許可することと、を備え、
前記少なくとも1つのメッセージは、前記少なくとも1つのコンテンツと関連づけられた少なくとも１つのコンテンツレーティングを備える、モバイルデバイスと関連づけられた通信を容易にする方法。
【請求項２】
前記少なくとも1つのコンテンツレーティングは、予め定義されたコンテンツレーティング基準に少なくとも部分的に基づいて決定される請求項１に記載の方法。
【請求項３】
前記予め定義されたコンテンツレーティング基準は、コンテンツ内の言葉の性質、オーディオコンテンツの性質、又はビジュアルコンテンツの性質のうちの少なくとも１つに関連し、成人向け度がより高いコンテンツは、前記予め定義されたコンテンツレーティング基準に少なくとも部分的に基づいて成人向け度がより低いコンテンツよりも高いコンテンツレーティングが与えられる請求項２に記載の方法。
【請求項４】
コンテンツレーティング優先度パラメータにアクセスすることと、をさらに備え、
前記設定することは、予め定義されたコンテンツレーティング基準に少なくとも部分的に基づいて前記コンテンツレーティング優先度を設定する請求項１に記載の方法。
【請求項５】
前記セキュリティが確保されたコンテンツフォルダから少なくとも１つのその他のコンテンツを受信することと、をさらに備え、前記少なくとも１つのその他のコンテンツは、前記コンテンツレーティング優先度及び前記少なくとも１つのその他のコンテンツと関連づけられた少なくとも1つのその他のコンテンツレーティングに少なくとも部分的に基づいてフィルタリングされて排除され、前記セキュリティが確保されたコンテンツフォルダに格納され、前記少なくとも1つのその他のコンテンツ及び前記少なくとも1つのその他のコンテンツレーティングは、少なくとも１つのその他のメッセージ内に含められ、
前記許可することは、前記受信されたセキュリティコードが有効である場合に前記セキュリティが確保されたフォルダへの前記アクセスを許可する、請求項１に記載の方法。
【請求項６】
前記少なくとも1つのコンテンツと前記少なくとも1つのコンテンツレーティングとを備える前記少なくとも1つのメッセージをコアネットワークを介して前記少なくとも1つのコンテンツプロバイダから受信することとをさらに備える請求項１に記載の方法。
【請求項７】
前記少なくとも1つのコンテンツを制限することは、
前記少なくとも1つのコンテンツを評価することと、
前記少なくとも1つのコンテンツレーティングが前記コンテンツレーティング優先度の値よりも高い値を有する場合に前記少なくとも1つのコンテンツをフィルタリングして排除することと、をさらに備える請求項６に記載の方法。
【請求項８】
前記コンテンツレーティング優先度と前記モバイルデバイスと関連づけられた前記コンテンツレーティング優先度を設定することに関連するコマンドとを備えるメッセージをコアネットワークに送信することをさらに備え、前記メッセージは、修正されたショートメッセージサービス（ＳＭＳ）メッセージであり、前記コンテンツレーティング優先度は、追加のショートメッセージサービス（ＳＭＳ）レーティング優先度パラメータ又は追加の拡張メッセージングサービス（ＥＭＳ）レーティング優先度ヘッダのうちの少なくとも１つに含められ、前記コンテンツレーティング優先度は、最高レベルのコンテンツフィルタリングからコンテンツのフィルタリングなしまでの範囲内の値である請求項１に記載の方法。
【請求項９】
前記コンテンツレーティング優先度に関連する問い合わせとコマンドとを備えるメッセージをコアネットワークに送信することであって、前記メッセージは、修正されたショートメッセージサービス（ＳＭＳ）メッセージであり、前記問い合わせは、追加のショートメッセージサービス（ＳＭＳ）問い合わせパラメータ又は追加の拡張メッセージングサービス（ＥＭＳ）問い合わせヘッダのうちの少なくとも１つに含められることと、
前記問い合わせに少なくとも部分的に基づいて前記コンテンツレーティング優先度の現在値に関して前記コアネットワークに問い合わせることと、
前記問い合わせに応答して前記コンテンツレーティング優先度の前記現在値を受信することと、をさらに備える請求項１に記載の方法。
【請求項１０】
前記少なくとも１つのメッセージは、コアネットワークを介して前記少なくとも１つのコンテンツプロバイダから受信され、前記少なくとも１つのメッセージは、追加のショートメッセージサービス（ＳＭＳ）レーティングパラメータ、追加の拡張メッセージングサービス（ＥＭＳ）レーティングヘッダ、又は前記少なくとも１つのメッセージの本体内のレーティングフィールドのうちの少なくとも１つに含められる前記少なくとも１つのコンテンツレーティングを備える修正されたショートメッセージサービス（ＳＭＳ）メッセージであり、前記レーティングフィールドは、１つ以上のキーワードによって特定される請求項１に記載の方法。
【請求項１１】
少なくとも１つのレーティングされていないコンテンツを備える少なくとも１つのその他のメッセージを少なくとも１つのその他のコンテンツプロバイダから受信することと、
前記少なくとも１つのレーティングされていないコンテンツを評価することと、
前記少なくとも１つのレーティングされていないコンテンツのコンテンツレーティングを決定することと、
前記決定されたコンテンツレーティングが前記コンテンツレーティング優先度の値よりも高い値を有する場合に前記少なくとも１つのレーティングされていないコンテンツをフィルタリングして排除すること、又は
前記決定されたコンテンツレーティングが前記コンテンツレーティング優先度の前記値と同じであるか又はより低い値を有する場合に前記少なくとも１つのレーティングされていないコンテンツを提示することのうちの少なくとも１つと、をさらに備える請求項１に記載の方法。
【請求項１２】
少なくとも１つのレーティングされていないコンテンツを備える少なくとも１つのその他のメッセージを少なくとも１つのその他のコンテンツプロバイダから受信することと、
前記モバイルデバイスと関連づけられた少なくとも１つの連絡先リストを再検討することと、
前記少なくともその他のコンテンツプロバイダが前記少なくとも１つの連絡先リストに含まれていない場合に前記少なくとも１つのレーティングされていないコンテンツをフィルタリングして排除すること、又は
前記少なくとも１つのその他のコンテンツプロバイダが前記少なくとも１つの連絡先リストに含まれている場合に前記少なくとも１つのレーティングされていないコンテンツを提示することのうちの少なくとも１つと、をさらに備える請求項１に記載の方法。
【請求項１３】
無線通信装置であって、
モバイルデバイスと関連づけられたコンテンツレーティング優先度を設定し、及び少なくとも１つのコンテンツプロバイダからの少なくとも１つのコンテンツを備える少なくとも１つのメッセージを受信し、前記コンテンツレーティング優先度および前記少なくとも１つのコンテンツレーティングに少なくとも部分的に基づいて前記少なくとも１つのコンテンツへのアクセスを制限し、前記制限された少なくとも１つのコンテンツを前記モバイルデバイス上のセキュリティが確保されたコンテンツフォルダに格納し、前記モバイルデバイスのユーザに、前記コンテンツレーティング優先度を無効にする前記ユーザからのセキュリティコードに応答して前記セキュリティが確保されたコンテンツフォルダ内の前記制限された少なくとも１つのコンテンツにアクセスすることを許可するための命令を保持するメモリと、
前記メモリ内に保持される前記命令を実行するように構成された、前記メモリに結合されたプロセッサと、を備え、前記少なくとも１つのメッセージは、前記少なくとも１つのコンテンツと関連づけられた少なくとも１つのコンテンツレーティングを備える、無線通信装置。
【請求項１４】
前記少なくとも１つのコンテンツレーティングは、予め定義されたコンテンツレーティング基準に少なくとも部分的に基づいて決定され、前記予め定義されたコンテンツレーティング基準は、コンテンツ内の言葉の性質、オーディオコンテンツの性質、又はビジュアルコンテンツの性質のうちの少なくとも１つに関連し、成人向け度がより高いコンテンツは、前記予め定義されたコンテンツレーティング基準に少なくとも部分的に基づいて成人向け度がより低いコンテンツよりも高いコンテンツレーティングが与えられる請求項１３に記載の無線通信装置。
【請求項１５】
前記メモリは、
コンテンツレーティング優先度パラメータにアクセスするための命令を保持し、
前記設定することは、予め定義されたコンテンツレーティング基準に少なくとも部分的に基づいて前記コンテンツレーティング優先度を設定する請求項１３に記載の無線通信装置。
【請求項１６】
前記メモリは、
前記セキュリティが確保されたコンテンツフォルダからの少なくとも１つのその他のコンテンツを受信するための命令をさらに保持し、前記少なくとも１つのその他のコンテンツは、前記コンテンツレーティング優先度及び前記少なくとも１つのその他のコンテンツと関連づけられた少なくとも1つのその他のコンテンツレーティングに少なくとも部分的に基づいてフィルタリングされて排除され、前記セキュリティが確保されたコンテンツフォルダに格納され、前記少なくとも1つのその他のコンテンツ及び前記少なくとも1つのその他のコンテンツレーティングは、少なくとも１つのその他のメッセージ内に含められ、
前記許可することは、前記受信されたセキュリティコードが有効である場合に前記セキュリティが確保されたフォルダへの前記アクセスを許可する請求項１３に記載の無線通信装置。
【請求項１７】
前記メモリは、
前記少なくとも1つのコンテンツと前記少なくとも1つのコンテンツレーティングとを備える前記少なくとも1つのメッセージをコアネットワークを介して前記少なくとも1つのコンテンツプロバイダから受信するための命令をさらに保持する請求項１３に記載の無線通信装置。
【請求項１８】
モバイルデバイスと関連づけられた通信を容易にする無線通信装置であって、
前記モバイルデバイスと関連づけられたコンテンツレーティング優先度を設定するための手段と、
少なくとも１つのコンテンツを備える少なくとも１つのメッセージを少なくとも１つのコンテンツプロバイダから受信するための手段と、
前記コンテンツレーティング優先度および前記少なくとも１つのコンテンツレーティングに少なくとも部分的に基づいて前記少なくとも１つのコンテンツへのアクセスを制限するための手段と、
前記制限された少なくとも１つのコンテンツを前記モバイルデバイス上のセキュリティが確保されたコンテンツフォルダに格納するための手段と、
前記モバイルデバイスのユーザに、前記コンテンツレーティング優先度を無効にする前記ユーザからのセキュリティコードに応答して前記セキュリティが確保されたコンテンツフォルダ内の前記制限された少なくとも１つのコンテンツにアクセスすることを許可するための手段と、を備え、
前記少なくとも１つのメッセージは、前記少なくとも１つのコンテンツと関連づけられた少なくとも１つのコンテンツレーティングを備える、モバイルデバイスと関連づけられた通信を容易にする無線通信装置。
【請求項１９】
前記少なくとも１つのコンテンツレーティングは、予め定義されたコンテンツレーティング基準に少なくとも部分的に基づいて決定され、前記予め定義されたコンテンツレーティング基準は、コンテンツ内の言葉の性質、オーディオコンテンツの性質、又はビジュアルコンテンツの性質のうちの少なくとも１つに関連し、成人向け度がより高いコンテンツは、前記予め定義されたコンテンツレーティング基準に少なくとも部分的に基づいて成人向け度がより低いコンテンツよりも高いコンテンツレーティングが与えられる請求項１８に記載の無線通信装置。
【請求項２０】
コンテンツレーティング優先度パラメータにアクセスするための手段と、
予め定義されたコンテンツレーティング基準に少なくとも部分的に基づいて前記コンテンツレーティング優先度を設定するための手段と、をさらに備える請求項１８に記載の無線通信装置。
【請求項２１】
コンピュータによって読み取り可能な記憶媒体であって、
モバイルデバイスと関連づけられたコンテンツレーティング優先度を設定することを少なくとも１つのコンピュータに行わせるための符号と、
少なくとも１つのコンテンツを備える少なくとも１つのメッセージを少なくとも１つのコンテンツプロバイダから受信することを前記少なくとも１つのコンピュータに行わせるための符号と、
前記コンテンツレーティング優先度および前記少なくとも１つのコンテンツレーティングに少なくとも部分的に基づいて前記少なくとも１つのコンテンツへのアクセスを制限することを前記少なくとも１つのコンピュータに行わせるための符号と、
前記制限された少なくとも１つのコンテンツを前記モバイルデバイス上のセキュリティが確保されたコンテンツフォルダに格納することを前記少なくとも１つのコンピュータに行わせるための符号と、
前記モバイルデバイスのユーザに、前記コンテンツレーティング優先度を無効にする前記ユーザからのセキュリティコードに応答して前記セキュリティが確保されたコンテンツフォルダ内の前記制限された少なくとも１つのコンテンツにアクセスすることを許可することを前記少なくとも１つのコンピュータに行わせるための符号と、を備え、
前記少なくとも1つのメッセージは、前記少なくとも1つのコンテンツと関連づけられた少なくとも１つのコンテンツレーティングを備える、コンピュータによって読み取り可能な記憶媒体。
【請求項２２】
コンテンツレーティング優先度パラメータにアクセスすることを前記少なくとも１つのコンピュータに行わせるための符号と、
予め定義されたコンテンツレーティング基準に少なくとも部分的に基づいて前記コンテンツレーティング優先度を設定することを前記少なくとも１つのコンピュータに行わせるための符号と、をさらに備える請求項２１に記載のコンピュータによって読み取り可能な記憶媒体。
【請求項２３】
前記セキュリティが確保されたコンテンツフォルダから少なくとも１つのその他のコンテンツを受信することを前記少なくとも１つのコンピュータに行わせるための符号と、をさらに備え、前記少なくとも１つのその他のコンテンツは、前記コンテンツレーティング優先度及び前記少なくとも１つのその他のコンテンツと関連づけられた少なくとも1つのその他のコンテンツレーティングに少なくとも部分的に基づいてフィルタリングされて排除され、前記セキュリティが確保されたコンテンツフォルダに格納され、前記少なくとも1つのその他のコンテンツ及び前記少なくとも1つのその他のコンテンツレーティングは、少なくとも１つのその他のメッセージ内に含められ、
許可することを前記少なくとも１つのコンピュータに行わせるための符号は、前記受信されたセキュリティコードが有効である場合に前記セキュリティが確保されたコンテンツフォルダに前記アクセスすることを許可する請求項２１に記載のコンピュータによって読み取り可能な記憶媒体。
【請求項２４】
前記少なくとも１つのコンテンツを評価することを前記少なくとも１つのコンピュータに行わせるための符号と、
前記少なくとも1つのコンテンツレーティングが前記コンテンツレーティング優先度の値よりも高い値を有する場合に前記少なくとも1つのコンテンツをフィルタリングして排除することを前記少なくとも１つのコンピュータに行わせるための符号と、をさらに備える請求項２１に記載のコンピュータによって読み取り可能な記憶媒体。
【請求項２５】
前記少なくとも１つのコンテンツレーティングは、予め定義されたコンテンツレーティング基準に少なくとも部分的に基づいて決定され、前記予め定義されたコンテンツレーティング基準は、コンテンツ内の言葉の性質、オーディオコンテンツの性質、又はビジュアルコンテンツの性質のうちの少なくとも１つにさらに関連し、成人向け度がより高いコンテンツは、前記予め定義されたコンテンツレーティング基準に少なくとも部分的に基づいて成人向け度がより低いコンテンツよりも高いコンテンツレーティングが与えられる請求項２１に記載のコンピュータによって読み取り可能な記憶媒体。
【請求項２６】
無線通信装置であって、
モバイルデバイスと関連づけられたコンテンツレーティング優先度を設定し、
少なくとも１つのコンテンツを備える少なくとも１つのメッセージを少なくとも１つのコンテンツプロバイダから受信し、
前記コンテンツレーティング優先度および前記少なくとも１つのコンテンツレーティングに少なくとも部分的に基づいて前記少なくとも１つのコンテンツへのアクセスを制限し、
前記制限された少なくとも１つのコンテンツを前記モバイルデバイス上のセキュリティが確保されたコンテンツフォルダに格納し、
前記モバイルデバイスのユーザに、前記コンテンツレーティング優先度を無効にする前記ユーザからのセキュリティコードに応答して前記セキュリティが確保されたコンテンツフォルダ内の前記制限された少なくとも１つのコンテンツにアクセスするように構成されたプロセッサを備え、
前記少なくとも１つのメッセージは、前記少なくとも１つのコンテンツと関連づけられた少なくとも１つのコンテンツレーティングを備える、無線通信装置。
【請求項２７】
前記プロセッサは、
コンテンツレーティング優先度パラメータにアクセスするようにさらに構成され、
前記プロセッサは、予め定義されたコンテンツレーティング基準に少なくとも部分的に基づいて前記コンテンツレーティング優先度を設定するように構成される請求項２６に記載の無線通信装置。
【請求項２８】
モバイルデバイスと関連づけられた通信を容易にする方法であって、
少なくとも１つのコンテンツプロバイダから少なくとも１つのモバイルデバイスに送信されている少なくとも１つのメッセージにおいて受信された少なくとも１つのコンテンツを評価することであって、前記少なくとも１つのメッセージは、前記少なくとも１つのコンテンツと関連づけられた少なくとも１つのコンテンツレーティングを備えることと、
前記少なくとも１つのコンテンツレーティング及び前記少なくとも１つのモバイルデバイスと関連づけられた少なくとも１つのコンテンツレーティング優先度に少なくとも部分的に基づいて前記少なくとも１つのコンテンツへのアクセスを制限することと、
前記制限された少なくとも１つのコンテンツを前記少なくとも１つのモバイルデバイス上の少なくとも１つのセキュリティが確保されたコンテンツフォルダに格納することと、
前記少なくとも１つのモバイルデバイスの少なくとも１つのユーザに、前記少なくとも１つのコンテンツレーティング優先度を無効にする前記少なくとも１つのユーザからの少なくとも１つのセキュリティコードに応答して前記少なくとも１つのセキュリティが確保されたコンテンツフォルダ内の前記制限された少なくとも１つのコンテンツにアクセスすることを許可することと、を備える、モバイルデバイスと関連づけられた通信を容易にする方法。
【請求項２９】
前記少なくとも１つのモバイルデバイスと関連づけられた前記少なくとも１つのコンテンツレーティング優先度に関連する少なくとも１つのセキュリティコードを受信することと、
前記少なくとも１つのセキュリティコードが有効であるかどうかを決定することを容易にするために前記少なくとも１つのセキュリティコードを評価することと、
前記少なくとも１つのコンテンツレーティング優先度と前記少なくとも１つのコンテンツレーティング優先度を設定することに関連するコマンドとを備えるメッセージを前記少なくとも１つのモバイルデバイスから受信することであって、前記メッセージは、修正されたショートメッセージサービス（ＳＭＳ）メッセージであり、前記少なくとも１つのコンテンツレーティング優先度は、追加のショートメッセージサービス（ＳＭＳ）レーティング優先度パラメータ又は追加の拡張メッセージングサービス（ＥＭＳ）レーティング優先度ヘッダのうちの少なくとも１つに含められることと、
前記少なくとも１つのセキュリティコードが有効であると決定された場合に、前記少なくとも１つのモバイルデバイスと関連づけられた少なくとも１つのコンテンツレーティング優先度パラメータを前記少なくとも１つのコンテンツレーティング優先度に設定することと、
前記少なくとも１つのセキュリティコードが有効であると決定された場合に前記少なくとも１つのコンテンツレーティング優先度を格納すること、とをさらに備える請求項２８に記載の方法。
【請求項３０】
少なくとも１つのセキュリティコードは、
コアネットワークと通信中の前記少なくとも１つのモバイルデバイス、前記コアネットワークと関連づけられたウェブサイト、又は前記コアネットワークと関連づけられた担当者への音声呼のうちの少なくとも１つを介してさらに受信される請求項２９に記載の方法。
【請求項３１】
前記少なくとも１つのモバイルデバイスと関連づけられた前記少なくとも１つのセキュリティが確保されたコンテンツフォルダに関連する少なくとも１つのセキュリティコードを受信することと、
前記少なくとも１つのセキュリティコードが有効であるかどうかを決定することを容易にするために前記少なくとも１つのセキュリティコードを評価することと、
前記少なくとも１つのセキュリティコードが有効である場合に前記少なくとも１つのセキュリティが確保されたコンテンツフォルダにアクセスすることと、
少なくとも１つの制限されたコンテンツを取り出すことと、
前記少なくとも１つの制限されたコンテンツを前記少なくとも１つのモバイルデバイス又は前記少なくとも１つのモバイルデバイスと関連づけられた少なくとも１つのユーザと関連づけられた少なくとも１つのその他の通信デバイスのうちの少なくとも１つに提供すること、とをさらに備える請求項２８に記載の方法。
【請求項３２】
前記少なくとも１つのコンテンツを制限することは、
前記少なくとも１つのコンテンツレーティングが前記コンテンツレーティング優先度の値よりも高い値を有する場合に前記少なくとも１つのコンテンツをフィルタリングして排除することをさらに備える請求項２８に記載の方法。
【請求項３３】
前記少なくとも１つのメッセージを前記少なくとも１つのコンテンツプロバイダから受信することをさらに備え、前記少なくとも１つのメッセージは、追加のショートメッセージサービス（ＳＭＳ）レーティングパラメータ、追加の拡張メッセージングサービス（ＥＭＳ）レーティングヘッダ、又は前記少なくとも１つのメッセージの前記本体内のレーティングフィールドのうちの少なくとも１つに含められる前記少なくとも１つのコンテンツレーティングを備える修正されたショートメッセージサービス（ＳＭＳ）メッセージであり、前記レーティングフィールドは、１つ以上のキーワードによって特定される請求項２８に記載の方法。
【請求項３４】
前記少なくとも１つのコンテンツレーティング優先度に関連する問い合わせとコマンドとを備えるメッセージを前記少なくとも１つのモバイルデバイスから受信することであって、前記メッセージは、修正されたショートメッセージサービス（ＳＭＳ）メッセージであり、前記問い合わせは、追加のショートメッセージサービス（ＳＭＳ）問い合わせパラメータ又は追加の拡張メッセージングサービス（ＥＭＳ）問い合わせヘッダのうちの少なくとも１つに含められることと、
前記問い合わせに少なくとも部分的に基づいて前記少なくとも１つのモバイルデバイスと関連づけられた前記少なくとも１つのコンテンツレーティング優先度の現在値を取り出すことと、
前記問い合わせに応答して前記少なくとも１つのコンテンツレーティング優先度の前記現在値を含む他のメッセージを前記少なくとも１つのモバイルデバイスに送信することと、をさらに備える請求項２８に記載の方法。
【請求項３５】
少なくとも１つのレーティングされていないコンテンツを備える少なくとも１つのその他のメッセージを少なくとも１つのその他のコンテンツプロバイダから受信することと、
前記少なくとも１つのレーティングされていないコンテンツを評価することと、
予め定義されたコンテンツレーティング基準に少なくとも部分的に基づいて前記少なくとも１つのレーティングされていないコンテンツのコンテンツレーティングを決定することと、
前記決定されたコンテンツレーティングが前記コンテンツレーティング優先度の値よりも高い値を有する場合に前記少なくとも１つのレーティングされていないコンテンツをフィルタリングして排除すること、又は
前記決定されたコンテンツレーティングが前記コンテンツレーティング優先度の前記値と同じであるか又はより低い値を有する場合に前記少なくとも１つのレーティングされていないコンテンツを前記少なくとも１つのモバイルデバイスに提示することのうちの少なくとも１つと、をさらに備える請求項２８に記載の方法。
【請求項３６】
前記予め定義されたコンテンツレーティング基準は、コンテンツ内の言葉の性質、オーディオコンテンツの性質、又はビジュアルコンテンツの性質のうちの少なくとも１つに関連し、成人向け度がより高いコンテンツは、前記予め定義されたコンテンツレーティング基準に少なくとも部分的に基づいて成人向け度がより低いコンテンツよりも高いコンテンツレーティングが与えられる請求項３５に記載の方法。
【請求項３７】
少なくとも１つのレーティングされていないコンテンツを備える少なくとも１つのその他のメッセージを少なくとも１つのその他のコンテンツプロバイダから受信することと、
前記少なくとも１つのモバイルデバイスと関連づけられた少なくとも１つの連絡先リストを再検討することと、
前記少なくとも１つのその他のコンテンツプロバイダが前記少なくとも１つの連絡先リストに含まれていない場合に前記少なくとも１つのレーティングされていないコンテンツをフィルタリングして排除すること、又は
前記少なくとも１つのその他のコンテンツプロバイダが前記少なくとも１つの連絡先リストに含まれている場合に前記少なくとも１つのレーティングされていないコンテンツを前記少なくとも１つのモバイルデバイスに提示することのうちの少なくとも１つと、をさらに備える請求項２８に記載の方法。
【請求項３８】
無線通信装置であって、
少なくとも１つのコンテンツプロバイダから少なくとも１つのモバイルデバイスに送信されている少なくとも１つのメッセージにおいて受信された少なくとも１つのコンテンツを評価し、
前記少なくとも１つのコンテンツレーティングおよび前記少なくとも１つのモバイルデバイスと関連づけられた少なくとも１つのコンテンツレーティング優先度に少なくとも部分的に基づいて前記少なくとも１つのコンテンツへのアクセスを制限し、
前記制限された少なくとも１つのコンテンツを前記少なくとも１つのモバイルデバイス上の少なくとも１つのセキュリティが確保されたコンテンツフォルダに格納し、
前記少なくとも１つのモバイルデバイスの少なくとも１つのユーザに、前記少なくとも１つのコンテンツレーティング優先度を無効にする前記少なくとも１つのユーザからの少なくとも１つのセキュリティコードに応答して前記少なくとも１つのセキュリティが確保されたコンテンツフォルダ内の前記制限された少なくとも１つのコンテンツにアクセスすることを許可するための命令を保持するメモリと、
前記メモリ内に保持された前記命令を実行するように構成された、前記メモリに結合されたプロセッサと、を備え、前記少なくとも１つのメッセージは、前記少なくとも１つのコンテンツと関連づけられた前記少なくとも１つのコンテンツレーティングを備え、前記少なくとも１つのコンテンツレーティングは、予め定義されたコンテンツレーティング基準に少なくとも部分的に基づく、無線通信装置。
【請求項３９】
前記メモリは、
前記少なくとも１つのモバイルデバイスと関連づけられた前記少なくとも１つのコンテンツレーティング優先度に関連する少なくとも１つのセキュリティコードを受信することと、
前記少なくとも１つのセキュリティコードが有効であるかどうかを決定することを容易にするために前記少なくとも１つのセキュリティコードを評価することと、
前記少なくとも１つのモバイルデバイスからの前記少なくとも１つのコンテンツレーティング優先度を受信することと、
前記少なくとも１つのセキュリティコードが有効であると決定された場合に、前記少なくとも１つのモバイルデバイスと関連づけられた少なくとも１つのコンテンツレーティング優先度パラメータを前記少なくとも１つのコンテンツレーティング優先度に設定することと、及び
前記少なくとも１つのセキュリティコードが有効であると決定された場合に前記少なくとも１つのコンテンツレーティング優先度を格納することに関連する命令をさらに保持する請求項３８に記載の無線通信装置。
【請求項４０】
モバイルデバイスと関連づけられた通信を容易にするにする無線通信装置であって、
少なくとも１つのコンテンツプロバイダから少なくとも１つのモバイルデバイスに送信されている少なくとも１つのメッセージにおいて受信された少なくとも１つのコンテンツを評価するための手段と、
前記少なくとも１つのコンテンツレーティングおよび前記少なくとも１つのモバイルデバイスと関連づけられた少なくとも１つのコンテンツレーティング優先度に少なくとも部分的に基づいて前記少なくとも１つのコンテンツへのアクセスを制限するための手段と、
前記制限された少なくとも１つのコンテンツを前記少なくとも１つのモバイルデバイス上の少なくとも１つのセキュリティが確保されたコンテンツフォルダに格納するための手段と、
前記少なくとも１つのモバイルデバイスの少なくとも１つのユーザに、前記少なくとも１つのコンテンツレーティング優先度を無効にする前記少なくとも１つのユーザからの少なくとも１つのセキュリティコードに応答して前記少なくとも１つのセキュリティが確保されたコンテンツフォルダ内の前記制限された少なくとも１つのコンテンツにアクセスすることを許可するための手段と、を備え、前記少なくとも１つのメッセージは、前記少なくとも１つのコンテンツと関連づけられた前記少なくとも１つのコンテンツレーティングを備え、前記少なくとも１つのコンテンツレーティングは、予め定義されたコンテンツレーティング基準に少なくとも部分的に基づく、モバイルデバイスと関連づけられた通信を容易にする無線通信装置。
【請求項４１】
前記少なくとも１つのモバイルデバイスと関連づけられた前記少なくとも１つのコンテンツレーティング優先度に関連する少なくとも１つのセキュリティコードを受信するための手段と、
前記少なくとも１つのセキュリティコードが有効であるかどうかを決定することを容易にするために前記少なくとも１つのセキュリティコードを評価するための手段と、
前記少なくとも１つのコンテンツレーティング優先度を前記少なくとも１つのモバイルデバイスから受信するための手段と、
前記少なくとも１つのセキュリティコードが有効であると決定された場合に、前記少なくとも１つのモバイルデバイスと関連づけられた少なくとも１つのコンテンツレーティング優先度パラメータを前記少なくとも１つのコンテンツレーティング優先度に設定するための手段と、
前記少なくとも１つのセキュリティコードが有効であると決定された場合に前記少なくとも１つのコンテンツレーティング優先度を格納するための手段と、をさらに備える請求項４０に記載の無線通信装置。
【請求項４２】
コンピュータによって読み取り可能な記憶媒体であって、
少なくとも１つのコンテンツプロバイダから少なくとも１つのモバイルデバイスに送信されている少なくとも１つのメッセージにおいて受信された少なくとも１つのコンテンツを評価することを少なくとも１つのコンピュータに行わせるための符号と、
前記少なくとも１つのコンテンツレーティングおよび前記少なくとも１つのモバイルデバイスと関連づけられた少なくとも１つのコンテンツレーティング優先度に少なくとも部分的に基づいて前記少なくとも１つのコンテンツへのアクセスを制限することを前記少なくとも１つのコンピュータに行わせるための符号と、
前記制限された少なくとも１つのコンテンツを前記少なくとも１つのモバイルデバイス上の少なくとも１つのセキュリティが確保されたコンテンツフォルダに格納することを前記少なくとも１つのコンピュータに行わせるための符号と、
前記少なくとも１つのモバイルデバイスの少なくとも１つのユーザに、前記少なくとも１つのコンテンツレーティング優先度を無効にする前記少なくとも１つのユーザからの少なくとも１つのセキュリティコードに応答して前記少なくとも１つのセキュリティが確保されたコンテンツフォルダ内の前記制限された少なくとも１つのコンテンツにアクセスすることを許可することを前記少なくとも１つのコンピュータに行わせるための符号と、を備え、前記少なくとも１つのメッセージは、前記少なくとも１つのコンテンツと関連づけられた前記少なくとも１つのコンテンツレーティングを備え、前記少なくとも１つのコンテンツレーティングは、予め定義されたコンテンツレーティング基準に少なくとも部分的に基づく、コンピュータによって読み取り可能な記憶媒体。
【請求項４３】
前記少なくとも１つのモバイルデバイスと関連づけられた前記少なくとも１つのコンテンツレーティング優先度に関連する少なくとも１つのセキュリティコードを受信することを前記少なくとも１つのコンピュータに行わせるための符号と、
前記少なくとも１つのセキュリティコードが有効であるかどうかを決定することを容易にするために前記少なくとも１つのセキュリティコードを評価することを前記少なくとも１つのコンピュータに行わせるための符号と、
前記少なくとも１つのモバイルデバイスから前記少なくとも１つのコンテンツレーティング優先度を受信することを前記少なくとも１つのコンピュータに行わせるための符号と、
前記少なくとも１つのセキュリティコードが有効であると決定された場合に、前記少なくとも１つのモバイルデバイスと関連づけられた少なくとも１つのコンテンツレーティング優先度パラメータを前記少なくとも１つのコンテンツレーティング優先度に設定することを前記少なくとも１つのコンピュータに行わせるための符号と、
前記少なくとも１つのセキュリティコードが有効であると決定された場合に前記少なくとも１つのコンテンツレーティング優先度を格納することを前記少なくとも１つのコンピュータに行わせるための符号と、をさらに備える請求項４２に記載のコンピュータによって読み取り可能な記憶媒体。
【請求項４４】
前記少なくとも１つのモバイルデバイスと関連づけられた前記少なくとも１つのセキュリティが確保されたコンテンツフォルダに関連する少なくとも１つのセキュリティコードを受信することを前記少なくとも１つのコンピュータに行わせるための符号と、
前記少なくとも１つのセキュリティコードが有効であるかどうかを決定することを容易にするために前記少なくとも１つのセキュリティコードを評価することを前記少なくとも１つのコンピュータに行わせるための符号と、
前記少なくとも１つのセキュリティコードが有効である場合に前記少なくとも１つのセキュリティが確保されたコンテンツフォルダにアクセスすることを前記少なくとも１つのコンピュータに行わせるための符号と、
少なくとも１つの制限されたコンテンツを取り出すことを前記少なくとも１つのコンピュータに行わせるための符号と、
前記少なくとも１つの制限されたコンテンツを前記少なくとも１つのモバイルデバイス又は前記少なくとも１つのモバイルデバイスと関連づけられた少なくとも１つのユーザと関連づけられた少なくとも１つのその他の通信デバイスのうちの少なくとも１つに提供することを前記少なくとも１つのコンピュータに行わせるための符号と、をさらに備える請求項４２に記載のコンピュータによって読み取り可能な記憶媒体。
【請求項４５】
前記予め定義されたコンテンツレーティング基準は、コンテンツ内の言葉の性質、オーディオコンテンツの性質、又はビジュアルコンテンツの性質のうちの少なくとも１つに関連し、成人向け度がより高いコンテンツは、前記予め定義されたコンテンツレーティング基準に少なくとも部分的に基づいて成人向け度がより低いコンテンツよりも高いコンテンツレーティングが与えられる請求項４２に記載のコンピュータによって読み取り可能な記憶媒体。
【請求項４６】
無線通信装置であって、
少なくとも１つのコンテンツプロバイダから少なくとも１つのモバイルデバイスに送信されている少なくとも１つのメッセージにおいて受信された少なくとも１つのコンテンツを評価し、
前記少なくとも１つのコンテンツレーティングおよび前記少なくとも１つのモバイルデバイスと関連づけられた少なくとも１つのコンテンツレーティング優先度に少なくとも部分的に基づいて前記少なくとも１つのコンテンツへのアクセスを制限し、
前記制限された少なくとも１つのコンテンツを前記少なくとも１つのモバイルデバイス上の少なくとも１つのセキュリティが確保されたコンテンツフォルダに格納し、
前記少なくとも１つのモバイルデバイスの少なくとも１つのユーザに、前記少なくとも１つのコンテンツレーティング優先度を無効にする前記少なくとも１つのユーザからの少なくとも１つのセキュリティコードに応答して前記少なくとも１つのセキュリティが確保されたコンテンツフォルダ内の前記制限された少なくとも１つのコンテンツにアクセスすることを許可するように構成されたプロセッサ、を備え、前記少なくとも１つのメッセージは、前記少なくとも１つのコンテンツと関連づけられた前記少なくとも１つのコンテンツレーティングを備え、前記少なくとも１つのコンテンツレーティングは、予め定義されたコンテンツレーティング基準に少なくとも部分的に基づく、無線通信装置。
【請求項４７】
前記予め定義されたコンテンツレーティング基準は、コンテンツ内の言葉の性質、オーディオコンテンツの性質、又はビジュアルコンテンツの性質のうちの少なくとも１つに関連し、成人向け度がより高いコンテンツは、前記予め定義されたコンテンツレーティング基準に少なくとも部分的に基づいて成人向け度がより低いコンテンツよりも高いコンテンツレーティングが与えられる請求項４６に記載の無線通信装置。
【請求項４８】
モバイルデバイスと関連づけられた通信を容易にする方法であって、
コアネットワークにおいて、レーティングされていないコンテンツをコンテンツプロバイダから取得することと、
前記コアネットワークによって、予め定義されたコンテンツレーティング基準に少なくとも部分的に基づいて前記レーティングされていないコンテンツとコンテンツレーティングを関連付けるように前記レーティングされていないコンテンツを評価することと、
前記コンテンツプロバイダによって少なくとも１つのモバイルデバイスに送信されたコンテンツをフィルタリングすることを容易にするために前記少なくとも１つのモバイルデバイスに送信されるメッセージ内に前記コンテンツ及び前記コンテンツレーティングを挿入すること、とを備える、モバイルデバイスと関連づけられた通信を容易にする方法。
【請求項４９】
前記メッセージは、追加のショートメッセージサービス（ＳＭＳ）レーティングパラメータ、追加の拡張メッセージングサービス（ＥＭＳ）レーティングヘッダ、又は前記少なくとも１つのメッセージの前記本体内のレーティングフィールドのうちの少なくとも１つに含められる前記コンテンツレーティングを備える修正されたショートメッセージサービス（ＳＭＳ）メッセージであり、前記レーティングフィールドは、１つ以上のキーワードによって特定される請求項４８に記載の方法。
【請求項５０】
前記予め定義されたコンテンツレーティング基準は、コンテンツ内の言葉の性質、オーディオコンテンツの性質、又はビジュアルコンテンツの性質のうちの少なくとも１つに関連し、成人向け度がより高いコンテンツは、前記予め定義されたコンテンツレーティング基準に少なくとも部分的に基づいて成人向け度がより低いコンテンツよりも高いコンテンツレーティングが与えられる請求項４８に記載の方法。
【請求項５１】
無線通信システムにおけるコアネットワークであって、
レーティングされていないコンテンツをコンテンツプロバイダから取得し、
予め定義されたコンテンツレーティング基準に少なくとも部分的に基づいて前記レーティングされていないコンテンツとコンテンツレーティングを関連付けるように前記レーティングされていないコンテンツを評価し、
前記コンテンツプロバイダによって少なくとも１つのモバイルデバイスに送信されたコンテンツをフィルタリングすることを容易にするために前記少なくとも１つのモバイルデバイスに送信されるメッセージ内に前記コンテンツ及び前記コンテンツレーティングを挿入するための命令を保持するメモリと、
前記メモリ内に保持された前記命令を実行するように構成された、前記メモリに結合されたプロセッサと、を備える、無線通信システムにおけるコアネットワーク。
【請求項５２】
モバイルデバイスと関連づけられた通信のためのコアネットワークであって、
レーティングされていないコンテンツをコンテンツプロバイダから取得するための手段と、
予め定義されたコンテンツレーティング基準に少なくとも部分的に基づいて前記レーティングされていないコンテンツとコンテンツレーティングを関連付けるように前記レーティングされていないコンテンツを評価するための手段と、
前記コンテンツプロバイダによって少なくとも１つのモバイルデバイスに送信されたコンテンツをフィルタリングすることを容易にするために前記少なくとも１つのモバイルデバイスに送信されるメッセージ内に前記コンテンツ及び前記コンテンツレーティングを挿入するための手段と、を備える、モバイルデバイスと関連づけられた通信のためのコアネットワーク。
【請求項５３】
コアネットワークによって実行された場合、前記コアネットワークに動作を行わせる命令を含むコンピュータによって読み取り可能な記憶媒体であって、前記命令は、
レーティングされていないコンテンツをコンテンツプロバイダから取得することを少なくとも１つのコンピュータに行わせるための符号と、
予め定義されたコンテンツレーティング基準に少なくとも部分的に基づいて前記レーティングされていないコンテンツとコンテンツレーティングを関連付けるように前記レーティングされていないコンテンツを評価することを前記少なくとも１つのコンピュータに行わせるための符号と、
前記コンテンツプロバイダによって少なくとも１つのモバイルデバイスに送信されたコンテンツをフィルタリングすることを容易にするために前記少なくとも１つのモバイルデバイスに送信されるメッセージ内に前記コンテンツ及び前記コンテンツレーティングを挿入することを前記少なくとも１つのコンピュータに行わせるための符号と、を備えるコンピュータによって読み取り可能な記憶媒体。
【請求項５４】
前記予め定義されたコンテンツレーティング基準は、コンテンツ内の言葉の性質、オーディオコンテンツの性質、又はビジュアルコンテンツの性質のうちの少なくとも１つに関連し、成人向け度がより高いコンテンツは、前記予め定義されたコンテンツレーティング基準に少なくとも部分的に基づいて成人向け度がより低いコンテンツよりも高いコンテンツレーティングが与えられる請求項５３に記載のコンピュータによって読み取り可能な記憶媒体。
【請求項５５】
無線通信システムにおけるコアネットワークであって、
レーティングされていないコンテンツをコンテンツプロバイダから取得し、
予め定義されたコンテンツレーティング基準に少なくとも部分的に基づいて前記レーティングされていないコンテンツとコンテンツレーティングを関連付けるように前記レーティングされていないコンテンツを評価し、
前記コンテンツプロバイダによって少なくとも１つのモバイルデバイスに送信されたコンテンツをフィルタリングすることを容易にするために前記少なくとも１つのモバイルデバイスに送信されるメッセージ内に前記コンテンツ及び前記コンテンツレーティングを挿入するように構成されたプロセッサを備える、無線通信システムにおけるコアネットワーク。
【請求項５６】
前記少なくとも１つのメッセージは、前記少なくとも１つのコンテンツおよび前記少なくとも１つのコンテンツレーティングを含む所定のメッセージを含む請求項１に記載の方法。
【手続補正２】
【補正対象書類名】明細書
【補正対象項目名】０１４７
【補正方法】変更
【補正の内容】
【０１４７】
上述されていることは、１つ以上の実施形態の例を含む。当然のことであるが、上記の実施形態を説明することを目的としてコンポーネント又は方法の考えられるあらゆる組み合わせを説明することは可能ではないが、様々な実施形態の数多くのさらなる組み合わせ及び置換が可能であることを当業者は認識することができる。従って、説明される実施形態は、添付された請求項の精神及び適用範囲内にあるあらゆる該変更、修正及び変形を包含することが意図される。さらに、発明を実施するための形態又は請求項の範囲において表現“含む”が用いられている限りにおいて、該表現は、“備える”という表現が請求項において移行語として採用されたときの解釈と同様の包含性を有することが意図される。
以下に、出願当初の特許請求の範囲に記載された発明を付記する。
［Ｃ１］
モバイルデバイスと関連づけられた通信を容易にする方法であって、
前記モバイルデバイスと関連づけられた制御レーティング優先度を設定することと、
少なくとも１つのコンテンツを備える少なくとも１つのメッセージを少なくとも１つのコンテンツプロバイダから受信すること、とを備え、前記少なくとも1つのメッセージは、前記少なくとも1つのコンテンツと関連づけられた少なくとも１つのコンテンツレーティングを備え、前記少なくとも1つのコンテンツは、前記制御レーティング優先度及び前記少なくとも1つのコンテンツレーティングに少なくとも部分的に基づいてフィルタリングされる、モバイルデバイスと関連づけられた通信を容易にする方法。
［Ｃ２］
前記少なくとも1つのコンテンツレーティングは、予め定義されたコンテンツレーティング基準に少なくとも部分的に基づいて決定されるＣ１に記載の方法。
［Ｃ３］
前記予め定義されたコンテンツレーティング基準は、コンテンツ内の言葉の性質、オーディオコンテンツの性質、又はビジュアルコンテンツの性質のうちの少なくとも１つに関連し、成人向け度がより高いコンテンツは、前記予め定義されたコンテンツレーティング基準に少なくとも部分的に基づいて成人向け度がより低いコンテンツよりも高いコンテンツレーティングが与えられるＣ２に記載の方法。
［Ｃ４］
制御レーティング優先度メニューにおける前記制御レーティング優先度に関連するセキュリティコードを受信することと、
制御レーティング優先度パラメータにアクセスすることと、
予め定義された制御レーティング基準に少なくとも部分的に基づいて前記制御レーティング優先度を設定すること、とをさらに備えるＣ１に記載の方法。
［Ｃ５］
セキュリティが確保されたコンテンツフォルダに関連するセキュリティコードを受信することと、
前記受信されたセキュリティコードが有効である場合に前記セキュリティが確保されたコンテンツフォルダにアクセスすることと、
前記セキュリティが確保されたコンテンツフォルダから少なくとも１つのその他のコンテンツを受信すること、とをさらに備え、前記少なくとも１つのその他のコンテンツは、前記コンテンツレーティング優先度及び前記少なくとも１つのその他のコンテンツと関連づけられた少なくとも1つのその他のコンテンツレーティングに少なくとも部分的に基づいてフィルタリングされて排除され、前記セキュリティが確保されたコンテンツフォルダに格納され、前記少なくとも1つのその他のコンテンツ及び前記少なくとも1つのその他のコンテンツレーティングは、少なくとも１つのその他のメッセージ内に含められるＣ１に記載の方法。
［Ｃ６］
前記少なくとも1つのコンテンツと前記少なくとも1つのコンテンツレーティングとを備える前記少なくとも1つのメッセージをコアネットワークを介して前記少なくとも1つのコンテンツプロバイダから受信することと、
前記コンテンツレーティング優先度及び前記少なくとも1つのコンテンツレーティングに少なくとも部分的に基づいて前記少なくとも1つのコンテンツをフィルタリングすること、とをさらに備えるＣ１に記載の方法。
［Ｃ７］
前記少なくとも1つのコンテンツをフィルタリングすることは、
前記少なくとも1つのコンテンツを評価することと、
前記少なくとも1つのコンテンツレーティングが前記コンテンツレーティング優先度の値よりも高い値を有する場合に前記少なくとも1つのコンテンツをフィルタリングして排除すること、又は
前記少なくとも1つのコンテンツレーティングが前記コンテンツレーティング優先度の前記値と同じであるか又はより低い値を有する場合に前記少なくとも1つのコンテンツを提示することのうちの少なくとも１つと、をさらに備えるＣ６に記載の方法。
［Ｃ８］
前記制御レーティング優先度と前記モバイルデバイスと関連づけられた前記制御レーティング優先度を設定することに関連するコマンドとを備えるメッセージをコアネットワークに送信することをさらに備え、前記メッセージは、修正されたショートメッセージサービス（ＳＭＳ）メッセージであり、前記制御レーティング優先度は、追加のショートメッセージサービス（ＳＭＳ）レーティング優先度パラメータ又は追加の拡張メッセージングサービス（ＥＭＳ）レーティング優先度ヘッダのうちの少なくとも１つに含められ、前記制御レーティング優先度は、最高レベルのコンテンツフィルタリングからコンテンツのフィルタリングなしまでの範囲内の値であるＣ１に記載の方法。
［Ｃ９］
前記制御レーティング優先度に関連する問い合わせとコマンドとを備えるメッセージをコアネットワークに送信することであって、前記メッセージは、修正されたショートメッセージサービス（ＳＭＳ）メッセージであり、前記問い合わせは、追加のショートメッセージサービス（ＳＭＳ）問い合わせパラメータ又は追加の拡張メッセージングサービス（ＥＭＳ）問い合わせヘッダのうちの少なくとも１つに含められることと、
前記問い合わせに少なくとも部分的に基づいて前記制御レーティング優先度の現在値に関して前記コアネットワークに問い合わせることと、
前記問い合わせに応答して前記制御レーティング優先度の前記現在値を受信すること、とをさらに備えるＣ１に記載の方法。
［Ｃ１０］
前記少なくとも１つのメッセージは、コアネットワークを介して前記少なくとも１つのコンテンツプロバイダから受信され、前記少なくとも１つのメッセージは、追加のショートメッセージサービス（ＳＭＳ）レーティングパラメータ、追加の拡張メッセージングサービス（ＥＭＳ）レーティングヘッダ、又は前記少なくとも１つのメッセージの本体内のレーティングフィールドのうちの少なくとも１つに含められる前記少なくとも１つのコンテンツレーティングを備える修正されたショートメッセージサービス（ＳＭＳ）メッセージであり、前記レーティングフィールドは、１つ以上のキーワードによって特定されるＣ１に記載の方法。
［Ｃ１１］
少なくとも１つのレーティングされていないコンテンツを備える少なくとも１つのその他のメッセージを少なくとも１つのその他のコンテンツプロバイダから受信することと、
前記少なくとも１つのレーティングされていないコンテンツを評価することと、
前記少なくとも１つのレーティングされていないコンテンツのコンテンツレーティングを決定することと、
前記決定されたコンテンツレーティングが前記コンテンツレーティング優先度の値よりも高い値を有する場合に前記少なくとも１つのレーティングされていないコンテンツをフィルタリングして排除すること、又は
前記決定されたコンテンツレーティングが前記コンテンツレーティング優先度の前記値と同じであるか又はより低い値を有する場合に前記少なくとも１つのレーティングされていないコンテンツを提示することのうちの少なくとも１つと、をさらに備えるＣ１に記載の方法。
［Ｃ１２］
少なくとも１つのレーティングされていないコンテンツを備える少なくとも１つのその他のメッセージを少なくとも１つのその他のコンテンツプロバイダから受信することと、
前記モバイルデバイスと関連づけられた少なくとも１つの連絡先リストを再検討することと、
前記少なくともその他のコンテンツプロバイダが前記少なくとも１つの連絡先リストに含まれていない場合に前記少なくとも１つのレーティングされていないコンテンツをフィルタリングして排除すること、又は
前記少なくとも１つのその他のコンテンツプロバイダが前記少なくとも１つの連絡先リストに含まれている場合に前記少なくとも１つのレーティングされていないコンテンツを提示することのうちの少なくとも１つと、をさらに備えるＣ１に記載の方法。
［Ｃ１３］
無線通信装置であって、
モバイルデバイスと関連づけられた制御レーティング優先度の確立、及び少なくとも１つのコンテンツプロバイダからの少なくとも１つのコンテンツを備える少なくとも１つのメッセージの受信に関連する命令を保持するメモリと、
前記メモリ内に保持される前記命令を実行するように構成された、前記メモリに結合されたプロセッサと、を備え、前記少なくとも１つのメッセージは、前記少なくとも１つのコンテンツと関連づけられた少なくとも１つのコンテンツレーティングを備え、前記少なくとも１つのコンテンツは、前記制御レーティング優先度及び前記少なくとも１つのコンテンツレーティングに少なくとも部分的に基づいてフィルタリングされる、無線通信装置。
［Ｃ１４］
前記少なくとも１つのコンテンツレーティングは、予め定義されたコンテンツレーティング基準に少なくとも部分的に基づいて決定され、前記予め定義されたコンテンツレーティング基準は、コンテンツ内の言葉の性質、オーディオコンテンツの性質、又はビジュアルコンテンツの性質のうちの少なくとも１つに関連し、成人向け度がより高いコンテンツは、前記予め定義されたコンテンツレーティング基準に少なくとも部分的に基づいて成人向け度がより低いコンテンツよりも高いコンテンツレーティングが与えられるＣ１３に記載の無線通信装置。
［Ｃ１５］
前記メモリは、
制御レーティング優先度メニューにおける前記制御レーティング優先度に関連するセキュリティコードの受信、
制御レーティング優先度パラメータへのアクセス、及び
予め定義された制御レーティング基準に少なくとも部分的に基づく前記制御レーティング優先度の確立に関連する命令を保持するＣ１３に記載の無線通信装置。
［Ｃ１６］
前記メモリは、
セキュリティが確保されたコンテンツフォルダに関連するセキュリティコードの受信、
前記受信されたセキュリティコードが有効である場合における前記セキュリティが確保されたコンテンツフォルダへのアクセス、及び
前記セキュリティが確保されたコンテンツフォルダからの少なくとも１つのその他のコンテンツの受信に関連する命令をさらに保持し、前記少なくとも１つのその他のコンテンツは、前記コンテンツレーティング優先度及び前記少なくとも１つのその他のコンテンツと関連づけられた少なくとも1つのその他のコンテンツレーティングに少なくとも部分的に基づいてフィルタリングされて排除され、前記セキュリティが確保されたコンテンツフォルダに格納され、前記少なくとも1つのその他のコンテンツ及び前記少なくとも1つのその他のコンテンツレーティングは、少なくとも１つのその他のメッセージ内に含められるＣ１３に記載の無線通信装置。
［Ｃ１７］
前記メモリは、
前記少なくとも1つのコンテンツプロバイダからの前記少なくとも1つのコンテンツと前記少なくとも1つのコンテンツレーティングとを備える前記少なくとも1つのメッセージの受信、及び
前記コンテンツレーティング優先度及び前記少なくとも1つのコンテンツレーティングに少なくとも部分的に基づく前記少なくとも1つのコンテンツのフィルタリングに関連する命令をさらに保持するＣ１３に記載の無線通信装置。
［Ｃ１８］
モバイルデバイスと関連づけられた通信を容易にする無線通信装置であって、
前記モバイルデバイスと関連づけられた制御レーティング優先度を設定するための手段と、
少なくとも１つのコンテンツを備える少なくとも１つのメッセージを少なくとも１つのコンテンツプロバイダから受信するための手段と、を備え、前記少なくとも１つのメッセージは、前記少なくとも１つのコンテンツと関連づけられた少なくとも１つのコンテンツレーティングを備え、前記少なくとも１つのコンテンツは、前記制御レーティング優先度及び前記少なくとも１つのコンテンツレーティングに少なくとも部分的に基づいてフィルタリングされる、モバイルデバイスと関連づけられた通信を容易にする無線通信装置。
［Ｃ１９］
前記少なくとも１つのコンテンツレーティングは、予め定義されたコンテンツレーティング基準に少なくとも部分的に基づいて決定され、前記予め定義されたコンテンツレーティング基準は、コンテンツ内の言葉の性質、オーディオコンテンツの性質、又はビジュアルコンテンツの性質のうちの少なくとも１つに関連し、成人向け度がより高いコンテンツは、前記予め定義されたコンテンツレーティング基準に少なくとも部分的に基づいて成人向け度がより低いコンテンツよりも高いコンテンツレーティングが与えられるＣ１８に記載の無線通信装置。
［Ｃ２０］
制御レーティング優先度メニューにおける前記制御レーティング優先度に関連するセキュリティコードを受信するための手段と、
制御レーティング優先度パラメータにアクセスするための手段と、
予め定義された制御レーティング基準に少なくとも部分的に基づいて前記制御レーティング優先度を設定するための手段と、をさらに備えるＣ１８に記載の無線通信装置。
［Ｃ２１］
コンピュータプログラム製品であって、
モバイルデバイスと関連づけられた制御レーティング優先度を設定することを少なくとも１つのコンピュータに行わせるための符号と、
少なくとも１つのコンテンツを備える少なくとも１つのメッセージを少なくとも１つのコンテンツプロバイダから受信することを少なくとも１つのコンピュータに行わせるための符号と、を備えるコンピュータによって読み取り可能な媒体を備え、前記少なくとも1つのメッセージは、前記少なくとも1つのコンテンツと関連づけられた少なくとも１つのコンテンツレーティングを備え、前記少なくとも1つのコンテンツは、前記制御レーティング優先度及び前記少なくとも1つのコンテンツレーティングに少なくとも部分的に基づいてフィルタリングされる、コンピュータプログラム製品。
［Ｃ２２］
制御レーティング優先度メニューにおける前記制御レーティング優先度に関連するセキュリティコードを受信することを少なくとも１つのコンピュータに行わせるための符号と、
制御レーティング優先度パラメータにアクセスすることを少なくとも１つのコンピュータに行わせるための符号と、
予め定義された制御レーティング基準に少なくとも部分的に基づいて前記制御レーティング優先度を設定することを少なくとも１つのコンピュータに行わせるための符号と、を備えるコンピュータによって読み取り可能な媒体、をさらに備えるＣ２１に記載のコンピュータプログラム製品。
［Ｃ２３］
セキュリティが確保されたコンテンツフォルダに関連するセキュリティコードを受信することを少なくとも１つのコンピュータに行わせるための符号と、
前記受信されたセキュリティコードが有効である場合に前記セキュリティが確保されたコンテンツフォルダにアクセスすることを少なくとも１つのコンピュータに行わせるための符号と、
前記セキュリティが確保されたコンテンツフォルダから少なくとも１つのその他のコンテンツを受信することを少なくとも１つのコンピュータに行わせるための符号と、を備えるコンピュータによって読み取り可能な媒体をさらに備え、前記少なくとも１つのその他のコンテンツは、前記コンテンツレーティング優先度及び前記少なくとも１つのその他のコンテンツと関連づけられた少なくとも1つのその他のコンテンツレーティングに少なくとも部分的に基づいてフィルタリングされて排除され、前記セキュリティが確保されたコンテンツフォルダに格納され、前記少なくとも1つのその他のコンテンツ及び前記少なくとも1つのその他のコンテンツレーティングは、少なくとも１つのその他のメッセージ内に含められるＣ２１に記載のコンピュータプログラム製品。
［Ｃ２４］
前記少なくとも1つのコンテンツと前記少なくとも1つのコンテンツレーティングとを備える前記少なくとも1つのメッセージを前記少なくとも1つのコンテンツプロバイダから受信することを少なくとも１つのコンピュータに行わせるための符号と、
前記少なくとも１つのコンテンツを評価することを少なくとも１つのコンピュータに行わせるための符号と、
前記少なくとも1つのコンテンツレーティングが前記コンテンツレーティング優先度の値よりも高い値を有する場合に前記少なくとも1つのコンテンツをフィルタリングして排除すること、又は
前記少なくとも1つのコンテンツレーティングが前記コンテンツレーティング優先度の前記値と同じであるか又はより低い値を有する場合に前記少なくとも1つのコンテンツを提示することのうちの少なくとも１つを行うことを少なくとも１つのコンピュータに行わせるための符号と、を備えるコンピュータによって読み取り可能な媒体、をさらに備えるＣ２１に記載のコンピュータプログラム製品。
［Ｃ２５］
前記少なくとも１つのコンテンツレーティングは、予め定義されたコンテンツレーティング基準に少なくとも部分的に基づいて決定され、前記予め定義されたコンテンツレーティング基準は、コンテンツ内の言葉の性質、オーディオコンテンツの性質、又はビジュアルコンテンツの性質のうちの少なくとも１つにさらに関連し、成人向け度がより高いコンテンツは、前記予め定義されたコンテンツレーティング基準に少なくとも部分的に基づいて成人向け度がより低いコンテンツよりも高いコンテンツレーティングが与えられるＣ２１に記載のコンピュータプログラム製品。
［Ｃ２６］
無線通信システムにおいて、
モバイルデバイスと関連づけられた制御レーティング優先度を確立し、及び
少なくとも１つのコンテンツを備える少なくとも１つのメッセージを少なくとも１つのコンテンツプロバイダから受信するように構成されたプロセッサを備え、前記少なくとも１つのメッセージは、前記少なくとも１つのコンテンツと関連づけられた少なくとも１つのコンテンツレーティングを備え、前記少なくとも１つのコンテンツは、前記制御レーティング優先度及び前記少なくとも１つのコンテンツレーティングに少なくとも部分的に基づいてフィルタリングされる、装置。
［Ｃ２７］
前記プロセッサは、
制御レーティング優先度メニューにおける前記制御レーティング優先度に関連するセキュリティコードを受信し、
制御レーティング優先度パラメータにアクセスし、及び
予め定義された制御レーティング基準に少なくとも部分的に基づいて前記制御レーティング優先度を設定するようにさらに構成されるＣ２６に記載の装置。
［Ｃ２８］
モバイルデバイスと関連づけられた通信を容易にする方法であって、
少なくとも１つのコンテンツプロバイダから少なくとも１つのモバイルデバイスに送信されている少なくとも１つのメッセージにおいて受信された少なくとも１つのコンテンツを評価することであって、前記少なくとも１つのメッセージは、前記少なくとも１つのコンテンツと関連づけられた少なくとも１つのコンテンツレーティングを備えることと、
前記少なくとも１つのコンテンツレーティング及び前記少なくとも１つのモバイルデバイスと関連づけられた少なくとも１つのコンテンツレーティング優先度に少なくとも部分的に基づいて前記少なくとも１つのコンテンツをフィルタリングすること、とを備える、モバイルデバイスと関連づけられた通信を容易にする方法。
［Ｃ２９］
前記少なくとも１つのモバイルデバイスと関連づけられた前記少なくとも１つのコンテンツレーティング優先度に関連する少なくとも１つのセキュリティコードを受信することと、
前記少なくとも１つのセキュリティコードが有効であるかどうかを決定することを容易にするために前記少なくとも１つのセキュリティコードを評価することと、
前記少なくとも１つのコンテンツレーティング優先度と前記制御レーティング優先度を設定することに関連するコマンドとを備えるメッセージを前記少なくとも１つのモバイルデバイスから受信することであって、前記メッセージは、修正されたショートメッセージサービス（ＳＭＳ）メッセージであり、前記制御レーティング優先度は、追加のショートメッセージサービス（ＳＭＳ）レーティング優先度パラメータ又は追加の拡張メッセージングサービス（ＥＭＳ）レーティング優先度ヘッダのうちの少なくとも１つに含められることと、
前記少なくとも１つのセキュリティコードが有効であると決定された場合に、前記少なくとも１つのモバイルデバイスと関連づけられた少なくとも１つのコンテンツレーティング優先度パラメータを前記少なくとも１つのコンテンツレーティング優先度に設定することと、
前記少なくとも１つのセキュリティコードが有効であると決定された場合に前記少なくとも１つのコンテンツレーティング優先度を格納すること、とをさらに備えるＣ２８に記載の方法。
［Ｃ３０］
少なくとも１つのセキュリティコードを受信することは、
コアネットワークと通信中の前記少なくとも１つのモバイルデバイス、前記コアネットワークと関連づけられたウェブサイト、又は前記コアネットワークと関連づけられた担当者への音声呼のうちの少なくとも１つを介して前記少なくとも１つのセキュリティコードを受信することをさらに備えるＣ２９に記載の方法。
［Ｃ３１］
前記少なくとも１つのモバイルデバイスと関連づけられた前記少なくとも１つのセキュリティが確保されたコンテンツフォルダに関連する少なくとも１つのセキュリティコードを受信することと、
前記少なくとも１つのセキュリティコードが有効であるかどうかを決定することを容易にするために前記少なくとも１つのセキュリティコードを評価することと、
前記少なくとも１つのセキュリティコードが有効である場合に前記少なくとも１つのセキュリティが確保されたコンテンツフォルダにアクセスすることと、
少なくとも１つのフィルタリングされて排除されたコンテンツを取り出すことと、
前記少なくとも１つのフィルタリングされて排除されたコンテンツを前記少なくとも１つのモバイルデバイス又は前記少なくとも１つのモバイルデバイスと関連づけられた少なくとも１つのユーザと関連づけられた少なくとも１つのその他の通信デバイスのうちの少なくとも１つに提供すること、とをさらに備えるＣ２８に記載の方法。
［Ｃ３２］  
前記少なくとも１つのコンテンツをフィルタリングすることは、
前記少なくとも１つのコンテンツレーティングが前記コンテンツレーティング優先度の値よりも高い値を有する場合に前記少なくとも１つのコンテンツをフィルタリングして排除すること、又は
前記少なくとも１つのコンテンツレーティングが前記コンテンツレーティング優先度の前記値と同じであるか又はより低い値を有する場合に前記少なくとも１つのコンテンツを前記少なくとも１つのモバイルデバイスに提示することのうちの少なくとも１つをさらに備えるＣ２８に記載の方法。
［Ｃ３３］
前記少なくとも１つのメッセージを前記少なくとも１つのコンテンツプロバイダから受信することをさらに備え、前記少なくとも１つのメッセージは、追加のショートメッセージサービス（ＳＭＳ）レーティングパラメータ、追加の拡張メッセージングサービス（ＥＭＳ）レーティングヘッダ、又は前記少なくとも１つのメッセージの前記本体内のレーティングフィールドのうちの少なくとも１つに含められる前記少なくとも１つのコンテンツレーティングを備える修正されたショートメッセージサービス（ＳＭＳ）メッセージであり、前記レーティングフィールドは、１つ以上のキーワードによって特定されるＣ２８に記載の方法。
［Ｃ３４］
前記制御レーティング優先度に関連する問い合わせとコマンドとを備えるメッセージを前記少なくとも１つのモバイルデバイスから受信することであって、前記メッセージは、修正されたショートメッセージサービス（ＳＭＳ）メッセージであり、前記問い合わせは、追加のショートメッセージサービス（ＳＭＳ）問い合わせパラメータ又は追加の拡張メッセージングサービス（ＥＭＳ）問い合わせヘッダのうちの少なくとも１つに含められることと、
前記問い合わせに少なくとも部分的に基づいて前記少なくとも１つのモバイルデバイスと関連づけられた前記制御レーティング優先度の現在値を取り出すことと、
前記問い合わせに応答して前記制御レーティング優先度の前記現在値を含む他のメッセージを前記少なくとも１つのモバイルデバイスに送信すること、とをさらに備えるＣ２８に記載の方法。
［Ｃ３５］
少なくとも１つのレーティングされていないコンテンツを備える少なくとも１つのその他のメッセージを少なくとも１つのその他のコンテンツプロバイダから受信することと、
前記少なくとも１つのレーティングされていないコンテンツを評価することと、
予め定義されたコンテンツレーティング基準に少なくとも部分的に基づいて前記少なくとも１つのレーティングされていないコンテンツのコンテンツレーティングを決定することと、
前記決定されたコンテンツレーティングが前記コンテンツレーティング優先度の値よりも高い値を有する場合に前記少なくとも１つのレーティングされていないコンテンツをフィルタリングして排除すること、又は
前記決定されたコンテンツレーティングが前記コンテンツレーティング優先度の前記値と同じであるか又はより低い値を有する場合に前記少なくとも１つのレーティングされていないコンテンツを前記少なくとも１つのモバイルデバイスに提示することのうちの少なくとも１つと、をさらに備えるＣ２８に記載の方法。
［Ｃ３６］
前記予め定義されたコンテンツレーティング基準は、コンテンツ内の言葉の性質、オーディオコンテンツの性質、又はビジュアルコンテンツの性質のうちの少なくとも１つに関連し、成人向け度がより高いコンテンツは、前記予め定義されたコンテンツレーティング基準に少なくとも部分的に基づいて成人向け度がより低いコンテンツよりも高いコンテンツレーティングが与えられるＣ３５に記載の方法。
［Ｃ３７］
少なくとも１つのレーティングされていないコンテンツを備える少なくとも１つのその他のメッセージを少なくとも１つのその他のコンテンツプロバイダから受信することと、
前記少なくとも１つのモバイルデバイスと関連づけられた少なくとも１つの連絡先リストを再検討することと、
前記少なくとも１つのその他のコンテンツプロバイダが前記少なくとも１つの連絡先リストに含まれていない場合に前記少なくとも１つのレーティングされていないコンテンツをフィルタリングして排除すること、又は
前記少なくとも１つのその他のコンテンツプロバイダが前記少なくとも１つの連絡先リストに含まれている場合に前記少なくとも１つのレーティングされていないコンテンツを前記少なくとも１つのモバイルデバイスに提示することのうちの少なくとも１つと、をさらに備えるＣ２８に記載の方法。
［Ｃ３８］
無線通信装置であって、
少なくとも１つのコンテンツプロバイダから少なくとも１つのモバイルデバイスに送信されている少なくとも１つのメッセージにおいて受信された少なくとも１つのコンテンツの評価、及び
前記少なくとも１つのコンテンツと関連づけられた前記少なくとも１つのコンテンツレーティング及び前記少なくとも１つのモバイルデバイスと関連づけられた少なくとも１つのコンテンツレーティング優先度に少なくとも部分的に基づいた前記少なくとも１つのコンテンツのフィルタリングに関連する命令を保持するメモリと、
前記メモリ内に保持された前記命令を実行するように構成された、前記メモリに結合されたプロセッサと、を備え、前記少なくとも１つのメッセージは、前記少なくとも１つのコンテンツレーティングを備え、前記少なくとも１つのコンテンツレーティングは、前記予め定義されたコンテンツレーティング基準に少なくとも部分的に基づく、無線通信装置。
［Ｃ３９］
前記メモリは、
前記少なくとも１つのモバイルデバイスと関連づけられた前記少なくとも１つのコンテンツレーティング優先度に関連する少なくとも１つのセキュリティコードの受信、
前記少なくとも１つのセキュリティコードが有効であるかどうかを決定することを容易にするための前記少なくとも１つのセキュリティコードの評価、
前記少なくとも１つのモバイルデバイスからの前記少なくとも１つのコンテンツレーティング優先度の受信、
前記少なくとも１つのセキュリティコードが有効であると決定された場合における、前記少なくとも１つのモバイルデバイスと関連づけられた少なくとも１つのコンテンツレーティング優先度パラメータの前記少なくとも１つのコンテンツレーティング優先度への設定、及び
前記少なくとも１つのセキュリティコードが有効であると決定された場合における前記少なくとも１つのコンテンツレーティング優先度の格納に関連する命令をさらに保持するＣ３８に記載の無線通信装置。
［Ｃ４０］
モバイルデバイスと関連づけられた通信を容易にするにする無線通信装置であって、
少なくとも１つのコンテンツプロバイダから少なくとも１つのモバイルデバイスに送信されている少なくとも１つのメッセージにおいて受信された少なくとも１つのコンテンツを評価するための手段と、
前記少なくとも１つのコンテンツと関連づけられた前記少なくとも１つのコンテンツレーティング及び前記少なくとも１つのモバイルデバイスと関連づけられた少なくとも１つのコンテンツレーティング優先度に少なくとも部分的に基づいて前記少なくとも１つのコンテンツをフィルタリングするための手段と、を備え、前記少なくとも１つのメッセージは、前記少なくとも１つのコンテンツレーティングを備え、前記少なくとも１つのコンテンツレーティングは、予め定義されたコンテンツレーティング基準に少なくとも部分的に基づく、モバイルデバイスと関連づけられた通信を容易にする無線通信装置。
［Ｃ４１］
前記少なくとも１つのモバイルデバイスと関連づけられた前記少なくとも１つのコンテンツレーティング優先度に関連する少なくとも１つのセキュリティコードを受信するための手段と、
前記少なくとも１つのセキュリティコードが有効であるかどうかを決定することを容易にするために前記少なくとも１つのセキュリティコードを評価するための手段と、
前記少なくとも１つのコンテンツレーティング優先度を前記少なくとも１つのモバイルデバイスから受信するための手段と、
前記少なくとも１つのセキュリティコードが有効であると決定された場合に、前記少なくとも１つのモバイルデバイスと関連づけられた少なくとも１つのコンテンツレーティング優先度パラメータを前記少なくとも１つのコンテンツレーティング優先度に設定するための手段と、
前記少なくとも１つのセキュリティコードが有効であると決定された場合に前記少なくとも１つのコンテンツレーティング優先度を格納するための手段と、をさらに備えるＣ４０に記載の無線通信装置。
［Ｃ４２］
コンピュータプログラム製品であって、
少なくとも１つのコンテンツプロバイダから少なくとも１つのモバイルデバイスに送信されている少なくとも１つのメッセージにおいて受信された少なくとも１つのコンテンツを評価することを少なくとも１つのコンピュータに行わせるための符号と、
前記少なくとも１つのコンテンツと関連づけられた前記少なくとも１つのコンテンツレーティング及び前記少なくとも１つのモバイルデバイスと関連づけられた少なくとも１つのコンテンツレーティング優先度に少なくとも部分的に基づいて前記少なくとも１つのコンテンツをフィルタリングすることを少なくとも１つのコンピュータに行わせるための符号と、を備えるコンピュータによって読み取り可能な媒体を備え、前記少なくとも１つのメッセージは、前記少なくとも１つのコンテンツレーティングを備え、前記少なくとも１つのコンテンツレーティングは、予め定義されたコンテンツレーティング基準に少なくとも部分的に基づく、コンピュータプログラム製品。
［Ｃ４３］
前記少なくとも１つのモバイルデバイスと関連づけられた前記少なくとも１つのコンテンツレーティング優先度に関連する少なくとも１つのセキュリティコードを受信することを少なくとも１つのコンピュータに行わせるための符号と、
前記少なくとも１つのセキュリティコードが有効であるかどうかを決定することを容易にするために前記少なくとも１つのセキュリティコードを評価することを少なくとも１つのコンピュータに行わせるための符号と、
前記少なくとも１つのモバイルデバイスから前記少なくとも１つのコンテンツレーティング優先度を受信することを少なくとも１つのコンピュータに行わせるための符号と、
前記少なくとも１つのセキュリティコードが有効であると決定された場合に、前記少なくとも１つのモバイルデバイスと関連づけられた少なくとも１つのコンテンツレーティング優先度パラメータを前記少なくとも１つのコンテンツレーティング優先度に設定することを少なくとも１つのコンピュータに行わせるための符号と、
前記少なくとも１つのセキュリティコードが有効であると決定された場合に前記少なくとも１つのコンテンツレーティング優先度を格納することを少なくとも１つのコンピュータに行わせるための符号と、備えるコンピュータによって読み取り可能な媒体、をさらに備えるＣ４２に記載のコンピュータプログラム製品。
［Ｃ４４］
前記少なくとも１つのモバイルデバイスと関連づけられた前記少なくとも１つのセキュリティが確保されたコンテンツフォルダに関連する少なくとも１つのセキュリティコードを受信することを少なくとも１つのコンピュータに行わせるための符号と、
前記少なくとも１つのセキュリティコードが有効であるかどうかを決定することを容易にするために前記少なくとも１つのセキュリティコードを評価することを少なくとも１つのコンピュータに行わせるための符号と、
前記少なくとも１つのセキュリティコードが有効である場合に前記少なくとも１つのセキュリティが確保されたコンテンツフォルダにアクセスすることを少なくとも１つのコンピュータに行わせるための符号と、
少なくとも１つのフィルタリングされて排除されたコンテンツを取り出すことを少なくとも１つのコンピュータに行わせるための符号と、
前記少なくとも１つのフィルタリングされて排除されたコンテンツを前記少なくとも１つのモバイルデバイス又は前記少なくとも１つのモバイルデバイスと関連づけられた少なくとも１つのユーザと関連づけられた少なくとも１つのその他の通信デバイスのうちの少なくとも１つに提供することを少なくとも１つのコンピュータに行わせるための符号と、を備えるコンピュータによって読み取り可能な媒体、をさらに備えるＣ４２に記載のコンピュータプログラム製品。
［Ｃ４５］
前記予め定義されたコンテンツレーティング基準は、コンテンツ内の言葉の性質、オーディオコンテンツの性質、又はビジュアルコンテンツの性質のうちの少なくとも１つに関連し、成人向け度がより高いコンテンツは、前記予め定義されたコンテンツレーティング基準に少なくとも部分的に基づいて成人向け度がより低いコンテンツよりも高いコンテンツレーティングが与えられるＣ４２に記載のコンピュータプログラム製品。
［Ｃ４６］
無線通信システムにおいて、
少なくとも１つのコンテンツプロバイダから少なくとも１つのモバイルデバイスに送信されている少なくとも１つのメッセージにおいて受信された少なくとも１つのコンテンツを評価し、及び
前記少なくとも１つのコンテンツと関連づけられた前記少なくとも１つのコンテンツレーティング及び前記少なくとも１つのモバイルデバイスと関連づけられた少なくとも１つのコンテンツレーティング優先度に少なくとも部分的に基づいて前記少なくとも１つのコンテンツをフィルタリングするように構成されたプロセッサ、を備え、前記少なくとも１つのメッセージは、前記少なくとも１つのコンテンツレーティングを備え、前記少なくとも１つのコンテンツレーティングは、予め定義されたコンテンツレーティング基準に少なくとも部分的に基づく、装置。
［Ｃ４７］
前記予め定義されたコンテンツレーティング基準は、コンテンツ内の言葉の性質、オーディオコンテンツの性質、又はビジュアルコンテンツの性質のうちの少なくとも１つに関連し、成人向け度がより高いコンテンツは、前記予め定義されたコンテンツレーティング基準に少なくとも部分的に基づいて成人向け度がより低いコンテンツよりも高いコンテンツレーティングが与えられるＣ４６に記載の装置。
［Ｃ４８］
モバイルデバイスと関連づけられた通信を容易にする方法であって、
予め定義されたコンテンツレーティング基準に少なくとも部分的に基づいてコンテンツのためのコンテンツレーティングを決定することと、
前記コンテンツを提供するコンテンツプロバイダによって少なくとも１つのモバイルデバイスに送信されたコンテンツをフィルタリングすることを容易にするために前記少なくとも１つのモバイルデバイスに送信されるメッセージ内に前記コンテンツ及び前記コンテンツレーティングを挿入すること、とを備える、モバイルデバイスと関連づけられた通信を容易にする方法。
［Ｃ４９］
前記メッセージは、追加のショートメッセージサービス（ＳＭＳ）レーティングパラメータ、追加の拡張メッセージングサービス（ＥＭＳ）レーティングヘッダ、又は前記少なくとも１つのメッセージの前記本体内のレーティングフィールドのうちの少なくとも１つに含められる前記コンテンツレーティングを備える修正されたショートメッセージサービス（ＳＭＳ）メッセージであり、前記レーティングフィールドは、１つ以上のキーワードによって特定されるＣ４８に記載の方法。
［Ｃ５０］
前記予め定義されたコンテンツレーティング基準は、コンテンツ内の言葉の性質、オーディオコンテンツの性質、又はビジュアルコンテンツの性質のうちの少なくとも１つに関連し、成人向け度がより高いコンテンツは、前記予め定義されたコンテンツレーティング基準に少なくとも部分的に基づいて成人向け度がより低いコンテンツよりも高いコンテンツレーティングが与えられるＣ４８に記載の方法。
［Ｃ５１］
無線通信装置であって、
予め定義されたコンテンツレーティング基準に少なくとも部分的に基づいたコンテンツのためのコンテンツレーティングの生成、及び
前記コンテンツを提供するコンテンツプロバイダによって少なくとも１つのモバイルデバイスに送信されたコンテンツをフィルタリングすることを容易にするための前記少なくとも１つのモバイルデバイスに送信されるメッセージ内への前記コンテンツ及び前記コンテンツレーティングの挿入に関連する命令を保持するメモリと、
前記メモリ内に保持された前記命令を実行するように構成された、前記メモリに結合されたプロセッサと、を備える、無線通信装置。
［Ｃ５２］
モバイルデバイスと関連づけられた通信を容易にする無線通信装置であって、
予め定義されたコンテンツレーティング基準に少なくとも部分的に基づいてコンテンツのためのコンテンツレーティングを決定するための手段と、
前記コンテンツを提供するコンテンツプロバイダによって少なくとも１つのモバイルデバイスに送信されたコンテンツをフィルタリングすることを容易にするために前記少なくとも１つのモバイルデバイスに送信されるメッセージ内に前記コンテンツ及び前記コンテンツレーティングを挿入するための手段と、を備える、モバイルデバイスと関連づけられた通信を容易にする無線通信装置。
［Ｃ５３］
コンピュータプログラム製品であって、
予め定義されたコンテンツレーティング基準に少なくとも部分的に基づいてコンテンツのためのコンテンツレーティングを生成することを少なくとも１つのコンピュータに行わせるための符号と、    
前記コンテンツを提供するコンテンツプロバイダによって少なくとも１つのモバイルデバイスに送信されたコンテンツをフィルタリングすることを容易にするために前記少なくとも１つのモバイルデバイスに送信されるメッセージ内に前記コンテンツ及び前記コンテンツレーティングを挿入することを少なくとも１つのコンピュータに行わせるための符号と、を備えるコンピュータによって読み取り可能な媒体、を備える、コンピュータプログラム製品。
［Ｃ５４］
前記予め定義されたコンテンツレーティング基準は、コンテンツ内の言葉の性質、オーディオコンテンツの性質、又はビジュアルコンテンツの性質のうちの少なくとも１つに関連し、成人向け度がより高いコンテンツは、前記予め定義されたコンテンツレーティング基準に少なくとも部分的に基づいて成人向け度がより低いコンテンツよりも高いコンテンツレーティングが与えられるＣ５３に記載のコンピュータプログラム製品。
［Ｃ５５］
無線通信システムにおいて、
予め定義されたコンテンツレーティング基準に少なくとも部分的に基づいてコンテンツのためのコンテンツレーティングを決定し、及び
前記コンテンツを提供するコンテンツプロバイダによって少なくとも１つのモバイルデバイスに送信されたコンテンツをフィルタリングすることを容易にするために前記少なくとも１つのモバイルデバイスに送信されるメッセージ内に前記コンテンツ及び前記コンテンツレーティングを挿入するように構成されたプロセッサを備える、装置。
【外国語明細書】
2014112363000001.pdf